(57)【要約】  ゴルフクラブヘッド及びゴルフクラブヘッド製造方法の実施形態は、概ね本明細書に記載されている。一例では、ゴルフクラブヘッドは、フロント部と、リア部と、トウ部と、ヒール部と、ボトム部と、トップ部の開口部をカバーするクラウン部とを有するボディ部を含み得る。クラウン部は、上側の複数の複合層と、下側の複数の複合層と、上側の複数の複合層と下側の複数の複合層の間に配置された１つ以上の一体型リブとを含み得る。他の実施例及び実施形態は、明細書で説明され、特許請求の範囲に記載され得る。【特許請求の範囲】
【請求項１】
フロント部と、リア部と、トウ部と、ヒール部と、ボトム部と、開口部を持つトップ部とを有するボディ部と、
前記トップ部に取り付けられて前記開口部をカバーするクラウン部と
を備えたゴルフクラブヘッドであって、
前記クラウン部は、
上側の複数の複合層と、
下側の複数の複合層と、
前記上側の複数の複合層と前記下側の複数の複合層の間に配置されたクラウン補強部を備え、
前記クラウン補強部は、
前記クラウン部のフロント側外周から前記クラウン部のリア側外周に向かって延在する、複数の複合層を有する第１の一体型リブと、
前記クラウン部のフロント側外周から前記クラウン部のリア側外周に向かって延在する、複数の複合層を有する第２の一体型リブを備えたことを特徴とするゴルフクラブヘッド。
【請求項２】
請求項１に記載のゴルフクラブヘッドにおいて、
前記上側の複数の複合層は、カーボンファイバー及び樹脂を含む外側構造層を有することを特徴とするゴルフクラブヘッド。
【請求項３】
請求項１に記載のゴルフクラブヘッドにおいて、
前記下側の複数の複合層は、グラスファイバー及び樹脂を含む内側構造層を有することを特徴とするゴルフクラブヘッド。
【請求項４】
請求項１に記載のゴルフクラブヘッドにおいて、
前記第１の一体型リブの前記複数の複合層は、カーボンファイバー及び樹脂を含むことを特徴とするゴルフクラブヘッド。
【請求項５】
請求項１に記載のゴルフクラブヘッドにおいて、
前記第２の一体型リブの前記複数の複合層は、カーボンファイバー及び樹脂を含むことを特徴とするゴルフクラブヘッド。
【請求項６】
請求項１に記載のゴルフクラブヘッドにおいて、
前記第１の一体型リブと前記第２の一体型リブは、前記クラウン部のフロント側からリア側に向かう方向に広がることを特徴とするゴルフクラブヘッド。
【請求項７】
請求項１に記載のゴルフクラブヘッドにおいて、
前記第１の一体型リブ内の複合層は、前記第１の一体型リブ内の隣接する複合層の幅より少なくとも５％大きい幅を有することを特徴とするゴルフクラブヘッド。
【請求項８】
請求項１に記載のゴルフクラブヘッドにおいて、
前記第２の一体型リブ内の複合層は、前記第２の一体型リブ内の隣接する複合層の幅より少なくとも５％大きい幅を有することを特徴とするゴルフクラブヘッド。
【請求項９】
フロント部と、リア部と、トウ部と、ヒール部と、ボトム部と、開口部を持つトップ部とを有するボディ部と、
前記トップ部に取り付けられて前記開口部をカバーするクラウン部と
を備えたゴルフクラブヘッドであって、
前記クラウン部は、
上側の複数の複合層と、
下側の複数の複合層と、
前記上側の複数の複合層と前記下側の複数の複合層の間に配置されたクラウン補強部を備え、
前記クラウン補強部は、
前記クラウン部のフロント側外周から前記クラウン部のリア側外周に向かって延在する、複数の複合層を有するトウ側一体型リブと、
前記クラウン部のフロント側外周から前記クラウン部のリア側外周に向かって延在する、複数の複合層を有するヒール側一体型リブと、
前記クラウン部のフロント側外周に沿って延在し、前記トウ側一体型リブと前記ヒール側一体型リブを接続する、複数の複合層を有する中央一体型リブを備えたことを特徴とするゴルフクラブヘッド。
【請求項１０】
請求項９に記載のゴルフクラブヘッドにおいて、
前記クラウン部は更に、前記トウ側一体型リブから前記ヒール側一体型リブまで延在すると共に前記中央一体型リブから前記リア側外周まで延在する中央クラウン部を備え、
前記中央クラウン部は、トウ側クラウン部の最大高さより大きく且つヒール側クラウン部の最大高さより大きい最大高さを有することを特徴とするゴルフクラブヘッド。
【請求項１１】
請求項９に記載のゴルフクラブヘッドにおいて、
前記クラウン部は更に、トウ側クラウン部と、ヒール側クラウン部と、前記ヒール側クラウン部と前記トウ側クラウン部の間に位置する中央クラウン部とを備え、
前記中央クラウン部は、前記トウ側クラウン部の最大高さより大きく且つ前記ヒール側クラウン部の最大高さより大きい最大高さを有することを特徴とするゴルフクラブヘッド。
【請求項１２】
請求項９に記載のゴルフクラブヘッドにおいて、
前記クラウン部は更に、
トウ側クラウン部、ヒール側クラウン部、及び、前記ヒール側クラウン部と前記トウ側クラウン部の間に位置すると共に前記トウ側クラウン部の最大高さより大きく且つ前記ヒール側クラウン部の最大高さより大きい最大高さを有する中央クラウン部と、
前記トウ側クラウン部と前記中央クラウン部の間に延在し且つこれらを分離する第１の輪郭付け遷移領域と、
前記ヒール側クラウン部と前記中央クラウン部の間に延在し且つこれらを分離する第２の輪郭付け遷移領域とを備えたことを特徴とするゴルフクラブヘッド。
【請求項１３】
請求項９に記載のゴルフクラブヘッドにおいて、
前記クラウン部は更に、
トウ側クラウン部、ヒール側クラウン部、及び、前記ヒール側クラウン部と前記トウ側クラウン部の間に位置すると共に前記トウ側クラウン部の最大高さより大きく且つ前記ヒール側クラウン部の最大高さより大きい最大高さを有する中央クラウン部と、
前記トウ側クラウン部と前記中央クラウン部の間に延在し且つこれらを分離する第１の輪郭付け遷移領域と、
前記ヒール側クラウン部と前記中央クラウン部の間に延在し且つこれらを分離する第２の輪郭付け遷移領域とを備え、
前記トウ側一体型リブは、前記第１の輪郭付け遷移領域に配置され、
前記ヒール側一体型リブは、前記第２の輪郭付け遷移領域に配置されたことを特徴とするゴルフクラブヘッド。
【請求項１４】
フロント部と、リア部と、トウ部と、ヒール部と、ボトム部と、開口部を持つトップ部とを有するボディ部と、
前記トップ部に取り付けられて前記開口部をカバーするクラウン部と
を備えたゴルフクラブヘッドであって、
前記クラウン部は、
上側の複数の複合層と、
下側の複数の複合層と、
前記上側の複数の複合層と前記下側の複数の複合層の間に配置された、スタック状に配置された複数の複合層を有する第１の一体型リブであって、当該スタック内の少なくとも１つの複合層は当該スタック内の隣接する複合層より幅広である、前記第１の一体型リブと、
前記上側の複数の複合層と前記下側の複数の複合層の間に配置された、スタック状に配置された複数の複合層を有する第２の一体型リブであって、当該スタック内の少なくとも１つの複合層は当該スタック内の隣接する複合層より幅広である、前記第２の一体型リブを備えたことを特徴とするゴルフクラブヘッド。
【請求項１５】
請求項１４に記載のゴルフクラブヘッドにおいて、
前記第１の一体型リブは、前記クラウン部のフロント側外周から前記クラウン部のリア側外周まで延在することを特徴とするゴルフクラブヘッド。
【請求項１６】
請求項１４に記載のゴルフクラブヘッドにおいて、
前記第２の一体型リブは、前記クラウン部のフロント側外周から前記クラウン部のリア側外周まで延在することを特徴とするゴルフクラブヘッド。
【請求項１７】
請求項１４に記載のゴルフクラブヘッドにおいて、
前記第１の一体型リブと前記第２の一体型リブは、前記クラウン部のフロント側からリア側に向かう方向に広がることを特徴とするゴルフクラブヘッド。
【請求項１８】
請求項１４に記載のゴルフクラブヘッドにおいて、
前記クラウン部は更に、前記第１の一体型リブから前記第２の一体型リブまで延在すると共に前記クラウン部のフロント側外周からリア側外周まで延在する隆起状中央クラウン部を備え、
前記隆起状中央クラウン部は、前記クラウン部の外側表面積の３０％以上の外側表面積を有することを特徴とするゴルフクラブヘッド。
【請求項１９】
請求項１４に記載のゴルフクラブヘッドにおいて、
前記上側の複数の複合層は、４０グロスユニットより小さい鏡面反射率を有する外側層を含むことを特徴とするゴルフクラブヘッド。
【請求項２０】
請求項１４に記載のゴルフクラブヘッドにおいて、
前記上側の複数の複合層は、２５グロスユニットより小さい鏡面反射率を持つ表面コーティングを有する外側層を含むことを特徴とするゴルフクラブヘッド。
【発明の詳細な説明】
【技術分野】
【０００１】
［著作権表示］
本開示は、著作権による保護の対象となり得る。著作権者は、特許商標庁の特許ファイル又は記録に表れるように、本開示又はその関連文書が何人かによりファクシミリ複製されることに異議を持たないが、そうでない場合には全ての著作権を留保する。
【０００２】
［関連出願の相互参照］
本出願は２０１８年１２月２７日に出願された出願第１６／２３４，１６９号の継続出願であり、これは２０１８年１１月３０日に出願された出願１６／２０５，５８３号の継続出願であり、これは２０１８年４月２４日に出願された米国仮出願第６２／６６２，１１２号、２０１８年９月２０日に出願された米国仮出願第６２／７３４，１７６号、２０１８年９月２１日に出願された米国仮出願第６２／７３４，９２２号、２０１８年１０月２日に出願された米国仮出願第６２／７４０，３５５号、２０１８年１０月１２日に出願された米国仮出願第６２／７４５，１１３号、２０１８年１０月２６日に出願された米国仮出願第６２／７５１，４５６号、及び２０１８年１１月２９日に出願された米国仮出願第６２／７７２，６６９号の利益を主張する。
【０００３】
上記参照した全ての出願の開示は、その全体が参照により本明細書に組み込まれる。
【０００４】
［技術分野］
本開示は、一般にスポーツ用品に関し、より具体的には、ゴルフクラブヘッド及びゴルフクラブヘッド製造方法に関する。
【背景技術】
【０００５】
ゴルフでは、種々の要因が、ゴルフボールの進む距離や方向に影響を与え得る。具体的には、ゴルフクラブヘッドの重心（ＣＧ）及び／又は慣性モーメント（ＭＯＩ）が、打ち出し角、スピンレート、及びインパクト時のゴルフボールの方向に影響を与え得る。このような要因が、ゴルフスイングのタイプによって大きく変化する。
【図面の簡単な説明】
【０００６】
図１は、本明細書に記載の装置、方法、及び製造物の一実施形態に関する例示的なゴルフクラブヘッドの上面斜視図である。
【０００７】
図２は、図１に例示したゴルフクラブヘッドの底面斜視図である。
【０００８】
図３は、図１に例示したゴルフクラブヘッドの平面図である。
【０００９】
図４は、図１に例示したゴルフクラブヘッドの底面図である。
【００１０】
図５は、図１に例示したゴルフクラブヘッドの正面図である。
【００１１】
図６は、図１に例示したゴルフクラブヘッドの背面図である。
【００１２】
図７は、図１に例示したゴルフクラブヘッドのトウ側を示す図である。
【００１３】
図８は、図１に例示したゴルフクラブヘッドのヒール側を示す図である。
【００１４】
図９は、図１に例示したゴルフクラブヘッドの例示的なボディ部の底面図である。
【００１５】
図１０は、図１に例示したゴルフクラブヘッドの例示的なボディ部の断面図である。
【００１６】
図１１は、図１に例示したゴルフクラブヘッドの２つのウェイトポートを示す図である。
【００１７】
図１２は、図１に例示したゴルフクラブヘッドの例示的なウェイト部の平面図である。
【００１８】
図１３は、図１２に例示したウェイト部の側面図である。
【００１９】
図１４は、図１に例示したゴルフクラブヘッドの例示的な打ち出し軌道プロファイルを示す図である。
【００２０】
図１５は、例示的なウェイト部の第１のウェイト配置を示す図である。
【００２１】
図１６は、例示的なウェイト部の第２のウェイト配置を示す図である。
【００２２】
図１７は、例示的なウェイト部の第３のウェイト配置を示す図である。
【００２３】
図１８は、例示的なウェイト部の第４のウェイト配置を示す図である。
【００２４】
図１９は、図１８に例示したゴルフクラブヘッドの例示的な打ち出し軌道プロファイルを示す図である。
【００２５】
図２０は、本明細書で例示したゴルフクラブヘッドを製造する方法の１つを示す図である。
【００２６】
図２１は、別の例示的なゴルフクラブヘッドの底面図である。
【００２７】
図２２は、更に別の例示的なゴルフクラブヘッドの底面図である。
【００２８】
図２３は、本明細書に記載の装置、方法、及び製造物の一実施形態に関する例示的なゴルフクラブヘッドの上面斜視図である。
【００２９】
図２４は、図２３に例示したゴルフクラブヘッドの底面斜視図である。
【００３０】
図２５は、図２３に例示したゴルフクラブヘッドの正面図である。
【００３１】
図２６は、図２３に例示したゴルフクラブヘッドの背面図である。
【００３２】
図２７は、図２３に例示したゴルフクラブヘッドの平面図である。
【００３３】
図２８は、図２３に例示したゴルフクラブヘッドの底面図である。
【００３４】
図２９は、図２３に例示したゴルフクラブヘッドのトウ側を示す図である。
【００３５】
図３０は、図２３に例示したゴルフクラブヘッドのヒール側を示す図である。
【００３６】
図３１は、図２３に例示したゴルフクラブヘッドの図２９に示す３１−３１線に沿った断面図である。
【００３７】
図３２は、図２３に例示したゴルフクラブヘッドの図２５に示す３２−３２線に沿った断面図である。
【００３８】
図３３は、本明細書に記載の装置、方法、及び製造物の一実施形態に関し、図２３に例示したゴルフクラブヘッドの図２９に示す３１−３１線に沿った断面図である。
【００３９】
図３４は、図３３に示したゴルフクラブヘッドの図２５に示す３２−３２線に沿った断面図である。
【００４０】
図３５は、本明細書に記載の装置、方法、及び製造物の一実施形態に関し、図２３に例示したゴルフクラブヘッドの図２９に示す３１−３１線に沿った断面図である。
【００４１】
図３６は、本明細書に記載の装置、方法、及び製造物の一実施形態に関し、図２３に例示したゴルフクラブヘッドの図２９に示す３１−３１線に沿った断面図である。
【００４２】
図３７は、本明細書に記載の装置、方法、及び製造物の一実施形態に関し、図２３に例示したゴルフクラブヘッドの図２９に示す３１−３１線に沿った断面図である。
【００４３】
図３８は、本明細書に記載の装置、方法、及び製造物の一実施形態に関し、図２３に例示したゴルフクラブヘッドの図２９に示す３１−３１線に沿った断面図である。
【００４４】
図３９は、本明細書に記載の装置、方法、及び製造物の一実施形態に関し、図２３に例示したゴルフクラブヘッドの図２９に示す３１−３１線に沿った断面図である。
【００４５】
図４０は、本明細書に記載の装置、方法、及び製造物の一実施形態に関する弾性ポリマー挿入物の斜視図である。
【００４６】
図４１は、本明細書に記載の装置、方法、及び製造物の一実施形態に関する例示的なゴルフクラブヘッドの上面斜視図である。
【００４７】
図４２は、図４１に例示したゴルフクラブヘッドの底面図である。
【００４８】
図４３は、図４１に例示したゴルフクラブヘッドのトウ側を示す図である。
【００４９】
図４４は、図４１に示したゴルフクラブヘッドの図４３に示す４４−４４線に沿った上面透視断面図である。
【００５０】
図４５は、本明細書に記載の装置、方法、及び製造物の一実施形態に関し、図４１に例示したゴルフクラブヘッドの図４３に示す４４−４４線に沿った上面透視断面図である。
【００５１】
図４６は、本明細書に記載の装置、方法、及び製造物の一実施形態に関し、図４１に例示したゴルフクラブヘッドの図４３に示す４４−４４線に沿った上面透視断面図である。
【００５２】
図４７は、本明細書に記載の装置、方法、及び製造物の一実施形態に関する弾性ポリマー挿入物の斜視図である。
【００５３】
図４８は、本明細書に記載の装置、方法、及び製造物の一実施形態に関する例示的なゴルフクラブヘッドの上面斜視図である。
【００５４】
図４９は、図４８に例示したゴルフクラブヘッドの底面図である。
【００５５】
図５０は、図４８に例示したゴルフクラブヘッドのトウ側を示す図である。
【００５６】
図５１は、図４８に例示したゴルフクラブヘッドのヒール側を示す図である。
【００５７】
図５２は、図４８に例示したゴルフクラブヘッドの図５１に示す５２−５２線に沿った上面透視断面図である。
【００５８】
図５３は、図４８に例示したゴルフクラブヘッドの図４９に示す５３−５３線に沿った上面透視断面図である。
【００５９】
図５４は、本明細書に記載の装置、方法、及び製造物の一実施形態に関する弾性ポリマー挿入物の上面斜視図である。
【００６０】
図５５は、図５４に示した弾性ポリマー挿入物の側面斜視図である。
【００６１】
図５６は、本明細書に記載の装置、方法、及び製造物の一実施形態に関する例示的なゴルフクラブヘッドの上面斜視図である。
【００６２】
図５７は、図５６に例示したゴルフクラブヘッドの底面図である。
【００６３】
図５８は、図５６に例示したゴルフクラブヘッドのトウ側を示す図である。
【００６４】
図５９は、図５６に例示したゴルフクラブヘッドのヒール側を示す図である。
【００６５】
図６０は、図５６に例示したゴルフクラブヘッドの正面図である。
【００６６】
図６１は、図５６に例示したゴルフクラブヘッドの背面図である。
【００６７】
図６２は、本明細書に記載の装置、方法、及び製造物の一実施形態に関する例示的なゴルフクラブヘッドの上面斜視図である。
【００６８】
図６３は、図６２に例示したゴルフクラブヘッドの底面斜視図である。
【００６９】
図６４は、図６２に例示したゴルフクラブヘッドの平面図である。
【００７０】
図６５は、図６２に例示したゴルフクラブヘッドの底面図である。
【００７１】
図６６は、図６２に例示したゴルフクラブヘッドの正面図である。
【００７２】
図６７は、図６２に例示したゴルフクラブヘッドの背面図である。
【００７３】
図６８は、図６２に例示したゴルフクラブヘッドのトウ側を示す図である。
【００７４】
図６９は、図６２に例示したゴルフクラブヘッドのヒール側を示す図である。
【００７５】
図７０は、図６２に例示したゴルフクラブヘッドの図６４に示す７０−７０線に沿った断面図である。
【００７６】
図７１は、図６２に例示したゴルフクラブヘッドの図６４に示す７１−７１線に沿った断面図である。
【００７７】
図７２は、図６２に例示したゴルフクラブヘッドの図６４に示す７２−７２線に沿った断面図である。
【００７８】
図７３は、図６２に例示したゴルフクラブヘッドの図６４に示す７３−７３線に沿った断面図である。
【００７９】
図７４は、図６２に例示したゴルフクラブヘッドのクラウン部を除いた上面図である。
【００８０】
図７５は、図６２に例示したゴルフクラブヘッドの図７４に示す７５−７５線に沿った断面図である。
【００８１】
図７６は、図６２に例示したゴルフクラブヘッドをフェース部に近接するゴルフボールと共に示す上面図である。
【００８２】
図７７は、図６２に例示したゴルフクラブヘッドの例示的なクラウン部の図７６に示す７７−７７線に沿った断面図である。
【００８３】
図７８は、図７７に例示したクラウン部の一部の拡大図である。
【００８４】
図７９は、図６２に例示したゴルフクラブヘッドに対する例示的なクラウン部の分解図である。
【００８５】
図８０は、本明細書に記載の装置、方法、及び製造物の一実施形態に関する例示的なゴルフクラブヘッドの上面斜視図である。
【００８６】
図８１は、図８０に例示したゴルフクラブヘッドの底面斜視図である。
【００８７】
図８２は、図８０に例示したゴルフクラブヘッドの正面図である。
【００８８】
図８３は、図８０に例示したゴルフクラブヘッドの背面図である。
【００８９】
図８４は、図８０に例示したゴルフクラブヘッドの平面図である。
【００９０】
図８５は、図８０に例示したゴルフクラブヘッドのトウ側を示す図である。
【００９１】
図８６は、図８０に例示したゴルフクラブヘッドの底面図である。
【００９２】
図８７は、図８０に例示したゴルフクラブヘッドのヒール側を示す図である。
【００９３】
図８８は、本明細書に記載の装置、方法、及び製造物の一実施形態に関する例示的なゴルフクラブヘッドの上面斜視図である。
【００９４】
図８９は、図８８に例示したゴルフクラブヘッドの底面斜視図である。
【００９５】
図９０は、図８８に例示したゴルフクラブヘッドの正面図である。
【００９６】
図９１は、図８８に例示したゴルフクラブヘッドの背面図である。
【００９７】
図９２は、図８８に例示したゴルフクラブヘッドのヒール側を示す図である。
【００９８】
図９３は、図８８に例示したゴルフクラブヘッドのトウ側を示す図である。
【００９９】
図９４は、図８８に例示したゴルフクラブヘッドの平面図である。
【０１００】
図９５は、図８８に例示したゴルフクラブヘッドの底面図である。
【０１０１】
図９６は、本明細書に記載の装置、方法、及び製造物の一実施形態に関する例示的なゴルフクラブヘッドのクラウン部を取り付ける前の上面斜視図である。
【０１０２】
図９７は、本明細書に記載の装置、方法、及び製造物の一実施形態に関する例示的なゴルフクラブヘッドのクラウン部を取り付ける前の上面斜視図である。
【０１０３】
図９８は、図８０に例示したゴルフクラブヘッドのクラウン部を取り付ける前の背面斜視図である。
【０１０４】
図９９は、図８８に例示したゴルフクラブヘッドのクラウン部を取り付ける前の背面斜視図である。
【０１０５】
図１００は、例示的なゴルフクラブヘッドに対する例示的なクラウン部の分解図である。
【０１０６】
図１０１は、例示的なゴルフクラブヘッドに対する例示的なクラウン部の分解図である。
【０１０７】
図１０２は、例示的なゴルフクラブヘッドに対する例示的なクラウン部の分解図である。
【０１０８】
説明の簡素化及び明確化のために、図面は構造を一般的な方法で示し、周知の機能及び技術の説明及び詳細は本開示を不必要に不明瞭にすることを避けるために省略される場合がある。更に、図面中の要素は必ずしも一定の縮尺では描かれない場合がある。例えば、図面中の幾つかの要素の寸法は、本開示の実施形態の理解の改善を助けるために他の要素に対して誇張される場合がある。
【発明を実施するための形態】
【０１０９】
一般に、ゴルフクラブヘッド及びゴルフクラブヘッド製造方法が本明細書に記載される。本明細書に記載の装置、方法、及び製造物は、これに限定されない。図１〜１３の例では、ゴルフクラブヘッド１００は、ボディ部１１０と、概ね第１セットのウェイト部２１０（図２）及び第２セットのウェイト部２２０（図２）として示される、複数のウェイト部１２０とを含み得る。ボディ部１１０は、トップ１３０と、ボトム部１４０と、トウ部１５０と、ヒール部１６０と、フロント部１７０と、リア部１８０とを含み得る。ボトム部１４０は、トップ部１３０とボトム部１４０との間に、フロント部１７０を除き、トウ部１５０からリア部１８０を回ってヒール部１６０に至るゴルフクラブヘッド１００の周縁部を横断して延在する、ゴルフクラブヘッド１００のサイド部として規定されたスカート部１９０を含み得る。ボトム部１４０は、推移領域２３０とウェイトポート領域２４０とを含み得る。例えば、ウェイトポート領域２４０は、Ｄ字状の領域であり得る。ウェイトポート領域２４０は、複数のウェイト部１２０を受けるための複数のウェイトポート９００（図９）を含み得る。フロント部１７０は、ゴルフボール（不図示）に当たるフェース部１７５を含み得る。ボディ部１１０はまた、シャフト（不図示）を受けるためのホーゼル部１６５を含み得る。あるいは、ボディ部１１０は、ホーゼル部１６５に代えてボアを含み得る。例えば、ボディ部１１０は、部分的に又は完全に、アルミニウム系材料、マグネシウム系材料、スチール系材料、チタン系材料、それらの任意の組み合わせ、又は他の適切なタイプの材料で作製され得る。別の例では、ボディ部１１０は、部分的に又は完全に、セラミック材料、複合材料、それらの任意の組み合わせ、又は他の適切なタイプの材料などの非金属材料で作製され得る。
【０１１０】
ゴルフクラブヘッド１００は、３００立方センチメートル（ｃｍ3又はｃｃ）以上のクラブヘッド体積を有し得る。一例では、ゴルフクラブヘッド１００は、約４６０ｃｃであり得る。あるいは、ゴルフクラブヘッド１００は、３００ｃｃ以下のクラブヘッド体積を有し得る。具体的には、ゴルフクラブヘッド１００は、１００ｃｃから２００ｃｃの間のクラブヘッド体積を有し得る。ゴルフクラブヘッド１００のクラブヘッド体積は、加重水置換法（すなわち、アルキメデスの原理）を用いて測ることができる。例えば、ゴルフ標準団体、及び／又は、全米ゴルフ協会（ＵＳＧＡ）及び／又は全英ゴルフ協会（Ｒ＆Ａ）などの運営組織によって規定された手順を、ゴルフクラブヘッド１００のクラブヘッド体積を測定するために使用することができる。図１は特定のタイプのクラブヘッド（例えば、ドライバー系クラブヘッド）を示すが、本明細書に記載の装置、方法、及び製造物は、他のタイプのクラブヘッド（例えば、フェアウェイウッド系クラブヘッド、ハイブリッド系クラブヘッド、アイアン系クラブヘッド、パター系クラブヘッドなど）に適用可能であり得る。本明細書に記載の装置、方法、及び製造物は、これに限定されない。
【０１１１】
概ね４０５、４１０、４１５、４２０、４２５、４３０、４３５（図４）として示される、第１セットのウェイト部２１０の各々は、第１質量と関連付けられ得る。概ね４４０、４４５、４５０、４５５、４６０、４６５、４７０、４７５、４８０（図４）として示される、第２セットのウェイト部２２０の各々は、第２質量と関連付けられ得る。第１質量は、第２質量より大きくてもよく、又はその逆でもよい。一例では、第１セットのウェイト部２１０は、タングステン系材料で作製され得る一方で、第２セットのウェイト部２２０は、アルミニウム系材料で作製され得る。以下に詳細に説明するように、第１セットのウェイト部２１０及び第２セットのウェイト部２２０は、それぞれ、種々のウェイト配置を提供することができる（例えば、図１５〜１８）。
【０１１２】
図９〜１１を参照すると、例えば、ボディ部１１０のボトム部１４０は、複数のウェイトポート９００を含み得る。概ね９０５、９１０、９１５、９２０、９２５、９３０、９３５、９４０、９４５、９５０、９５５、９６０、９６５、９７０、９７５、９８０として示される、複数のウェイトポート９００は、ボトム部１４０のウェイトポート領域２４０の周縁部に沿って配置され得る。複数のウェイトポート９００は、ボトム部１４０を横断して延在し得る。具体的には、複数のウェイトポート９００は、ボトム部１４０を横断して、トウ部１５０とヒール部１６０のそれぞれの間に延在し得る。複数のウェイトポート９００はまた、ボトム部１４０を横断して、フロント部１７０とリア部１８０のそれぞれの間に延在し得る。複数のウェイトポート９００は、概ねＤ字状のループを画定する経路に沿ってボトム部１４０を横断して配置され得る。一例では、複数のウェイトポート９００は、ボトム部１４０を横断して、トウ部１５０とヒール部１６０のそれぞれの間の最大トウ−ヒール間距離５００の５０％以上に延在し得る。ゴルフクラブヘッド１００の最大トウ−ヒール間距離５００は、トウ部１５０とヒール部１６０のそれぞれの間で、トップ部１３０とボトム部１４０のそれぞれの間の推移領域から測定され得る。あるいは、最大トウ−ヒール間距離５００は、トウ部１５０とヒール部１６０のそれぞれの最外点の垂直投影間の水平距離であり得る。例えば、最大トウ−ヒール間距離５００は、ゴルフクラブヘッド１００が約６０度のライ角５１０である場合に測定され得る。図５を参照すると、ヒール部１６０の最外点を容易に規定できない場合には、ヒール部１６０の最外点は、接地面５３０（例えば、ゴルフクラブヘッド１００が置かれる水平面）の上側の約０．８７５インチ（２２．２３ミリメートル）の高さ５２０に決めてもよい。図９〜図１１を参照すると、複数のウェイトポート９００は、ゴルフクラブヘッド１００の最大トウ−ヒール間クラブヘッド距離５００の５０％以上に延在し得る。具体的には、複数のウェイトポート９００は、ゴルフクラブヘッド１００の最大トウ−ヒール間クラブヘッド距離５００の５０％以上である最大トウ−ヒール間ウェイトポート距離９９５でトウ部１５０とヒール部の間に延在し得る。一例では、ゴルフクラブヘッド１００の最大トウ−ヒール間クラブヘッド距離５００は、５インチ（１２７ミリメートル）以上でなくともよい。従って、複数のウェイトポート９００は、トウ部１５０とヒール部１６０のそれぞれの間の少なくとも２．５インチのウェイトポート最大トウ−ヒール間ウェイトポート距離に延在し得る。最大トウ−ヒール間ウェイトポート距離９９５は、トウ部１５０から最も遠いウェイトポートのヒール側の境界とヒール部１６０から最も遠いウェイトポートのトウ側の境界との間の最大距離であり得る。図９の例では、ウェイトポート最大トウ−ヒール間ウェイトポート距離９９５は、ウェイトポート９４０のヒール側の境界とウェイトポート９８０のトウ側の境界との間の最大距離であり得る。例えば、最大トウ−ヒール間ウェイトポート距離９９５は、約３．７インチであり得る。ゴルフのルールが時々変更される（例えば、ゴルフ標準団体及び／又は運営組織によって、新たな規則が採用され、又は古い規定が撤廃又は修正される）ように、最大トウ−ヒール間クラブヘッド距離５００を測定するためのライ角５１０及び／又は高さ５２０も変更され得る。本明細書に記載の装置、方法、及び製造物は、これに限定されない。
【０１１３】
複数のウェイトポート９００の各々は、ポート直径（Ｄport）（例えば、図１１に１１０５、１１１０として示される）と関連付けられ得る。例えば、複数のウェイトポート９００の各ウェイトポートのポート直径は、約０．３インチ（７．６５ミリメートル）であり得る。あるいは、隣接するウェイトポートのポート直径は、異なってもよい。一例では、ウェイトポート９０５は、ポート直径１１０５と関連付けられてもよく、ウェイトポート９１０は、ポート直径１１１０と関連付けられてもよい。具体的には、ウェイトポート９０５のポート直径１１０５は、ウェイトポート９１０のポート直径１１１０より大きくてもよく、又はその逆でもよい。本明細書に記載の装置、方法、及び製造物は、これに限定されない。
【０１１４】
ボトム部１４０はまた、外側面９９０を含み得る。図１０に示すように、例えば、複数のウェイトポート９００は、外側面９９０によって形成された外側面カーブ１０９０に関してボトム部１４０に形成され得る。具体的には、複数のウェイトポート９００の各々は、概ね１０１５、１０１０、１０１５として示されるポート軸と関連付けられ得る。ウェイトポートの中心は、ウェイトポートのポート軸を規定し得る。各ポート軸は、ポート軸と外側面カーブ１０９０との交点で外側面カーブ１０９０に接する面に対して垂直又は実質的に垂直であり得る。一例では、実質的に垂直とは、垂直から±５°のずれを指すものであり得る。他の例では、実質的に垂直とは、垂直から±３°のずれを指すものであり得る。垂直からのずれは、製造上の公差に依存してもよい。
【０１１５】
一例では、ポート軸１０１０は、外側面カーブ１０９０の接平面１０１２に対して垂直又は実質的に垂直（すなわち、法線）であり得る。複数の固定具を、種々の位置でのゴルフクラブヘッド１００の位置調整によって複数のウェイトポート９００を作製するために使用することができる。あるいは、ウェイトポートは、複数のウェイトポート９００を形成するために余分な材料を（例えば、水ジェット切断及び／又はレーザー切断による）フライス加工で取り除くよう複数の軸の周りにゴルフクラブヘッドを回転させることが可能な多軸加工プロセスによって作製することができる。別の例では、多軸加工プロセスの工具がゴルフクラブヘッドに対して移動して複数のウェイトポート９００を形成する間、ゴルフクラブヘッドは固定位置に留まることができる。フライス工具は表面に対して接線方向に移動できるので、多軸加工プロセスは適切な表面仕上げを提供することができる。従って、本明細書に記載の装置、方法、及び製造物は、ボトム部１４０に複数のウェイトポート９００の各々を形成するために多軸加工プロセスを使用することができる。例えば、５軸フライス盤は、複数のウェイトポート９００の各々のポート軸１０００を外側面カーブ１０９０に対して垂直又は実質的に垂直となるように、複数のウェイトポート９００を形成することができる。５軸フライス盤の工具は、外側面９９０の外側面カーブ１０９０に対して接線方向に移動することができる。
【０１１６】
図１１を参照すると、例えば、隣接する２つのウェイトポートは、外側面カーブ１０９０上の隣接する２つのウェイトポート間の最短距離であるポート距離１１００で離間され得る。具体的には、ポート距離１１００は、隣接する２つのウェイトポートのうちのいずれかのポート直径以下であり得る。一例では、ウェイトポート９０５、９１０間のポート距離１１００は、ポート直径１１０５又はポート直径１１１０のいずれか以下であり得る。本明細書に記載の装置、方法、及び製造物は、これに限定されない。
【０１１７】
複数のウェイト部１２０は、類似又は異なる物理的特性（例えば、密度、形状、質量、体積、サイズ、色など）を有し得る。一例では、第１セットのウェイト部２１０は、黒色であり得る一方で、第２セットのウェイト部２２０は、灰色又は鋼色であり得る。複数のウェイト部１２０の一部又は全部は、部分的に又は完全に、スチール系材料、タングステン系材料、アルミニウム系材料などの金属材料、それらの任意の組み合わせ又は適切なタイプの材料で作製され得る。あるいは、複数のウェイト部１２０の一部又は全部は、部分的に又は完全に、非金属材料（例えば、複合材料、プラスチックなど）で作製され得る。
【０１１８】
図１２及び図１３に例を図示するように、複数のウェイト部１２０の各ウェイト部は、円筒形状（例えば、円形の断面）を有し得る。上記の例は特定の形状を持つウェイト部を記載しているが、本明細書に記載の装置、方法、及び製造物は、他の適切な形状（例えば、球体の一部又は全部、立方体、円錐、円柱、角錐、円錐台、立方体状、角柱、錐台、又は他の適切な幾何学的形状）のウェイト部を含み得る。複数のウェイト部１２０の各ウェイト部は、直径１２００及び高さ１３００と関連付けられ得る。一例では、複数のウェイト部１２０の各ウェイト部は、約０．３インチ（７．６２ミリメートル）の直径及び約０．２インチ（５．０８ミリメートル）の高さを有し得る。あるいは、第１セットのウェイト部２１０及び第２セットのウェイト部２２０は、それぞれ、幅及び／又は高さが異なり得る。
【０１１９】
他のゴルフクラブヘッドとしてリア−フロント方向に代えて、複数のウェイト部１２０の各ウェイト部は、ボトム−トップ方向の複数のウェイトポート４００の１つに係合させることができる。複数のウェイト部１２０は、ウェイトポートに固定するためのネジ山を含み得る。例えば、複数のウェイト部１２０の各ウェイト部は、ネジであり得る。複数のウェイト部１２０は、工具の有無に関わらず、ボディ部１１０から容易に取り外し可能でなくともよい。あるいは、複数のウェイト部１２０は、１つ以上のウェイト部１２０を相対的に重い又は軽いウェイト部にそれぞれ付け替えることができるように、（例えば、工具を用いて）容易に取り外し可能であってもよい。別の例では、複数のウェイト部１２０は、複数のウェイト部１２０を容易に取り外しできないように、エポキシ樹脂又は接着剤でボディ部１１０のウェイトポートに固定されてもよい。更に別の例では、複数のウェイト部１２０は、複数のウェイト部１２０を容易に取り外しできないように、エポキシ樹脂及びネジ山の両方でボディ部１１０のウェイトポートに固定されてもよい。本明細書に記載の装置、方法、及び製造物は、これに限定されない。
【０１２０】
他のゴルフクラブヘッドとは対照的に、ゴルフクラブヘッド１００は、少なくとも４つの異なるタイプのゴルフスイングに対応することができる。図１４に示すように、例えば、各ウェイト配置は、概ね１４１０、１４２０、１４３０として示される、複数の打ち出し軌道プロファイル１４００の１つと関連付けられ得る。図１５を参照すると、例えば、第１のウェイト配置１５００は、第１セットのウェイトポート１５１０に関連付けられ得る。第１セットのウェイトポート１５１０は、フロント部１７０又はその近傍に配置され得る（例えば、図９に示すウェイトポート９０５、９１０、９１５、９２０、９２５、９３０、９３５）。第１のウェイト配置１５００では、第１セットのウェイト部は、第１セットのウェイトポート１５１０の配置に従って、フロント部１７０に向かって配置され得る一方で、第２セットのウェイト部は、リア部１８０に向かって配置され得る。具体的には、第１セットのウェイト部は、第１セットのウェイトポート１５１０の配置に従って、フロント部１７０又はその近傍でクラスターを形成し得る。ウェイト部４０５、４１０、４１５、４２０、４２５、４３０、４３５は、第１セットのウェイト部を画定してもよく、それぞれ、ウェイトポート９０５、９１０、９１５、９２０、９２５、９３０、９３５に配置することができる。ウェイト部４４０、４４５、４５０、４５５、４６０、４６５、４７０、４７５、４８０は、第２セットのウェイト部を画定してもよく、それぞれ、ウェイトポート９４０、９４５、９５０、９５５、９６０、９６５、９７０、９７５、９８０に配置することができる。第１のウェイト配置１５００は、第１の打ち出し軌道プロファイル１４１０（図１４）と関連付けられ得る。具体的には、第１のウェイト配置１５００は、ゴルフボールのスピンレートを減少させることができる。第１セットのウェイトポート１５１０の配置に従ってゴルフクラブヘッド１００のフロント部１７０に向かって比較的重いウェイト部（すなわち、第１セットのウェイト部）を配置することで、ゴルフクラブヘッド１００の重心（ＧＣ）を比較的前方及び下方に移動させて、比較的低い打ち出し及びスピン軌道を提供することができる。その結果、第１の打ち出し軌道プロファイル１４１０は、比較的大きいロール距離（すなわち、地面に衝突した後の距離）と関連付けることができる。上記の例は、特定のウェイトポートにウェイト部を配置する記述であるが、第１セットのウェイト部２１０の任意のウェイト部は、第１セットのウェイトポート１５１０の任意のウェイトポートに配置することができる。
【０１２１】
図１６を参照すると、例えば、第２のウェイト配置１６００は、第２セットのウェイトポート１６１０に関連付けられ得る。第２セットのウェイトポート１６１０は、リア部１８０又はその近傍に配置され得る（例えば、図９に示すウェイトポート９４５、９５０、９５５、９６０、９６５、９７０、９７５）。第２のウェイト配置１６００では、第１セットのウェイト部は、リア部１８０に向かって配置され得る一方で、第２セットのウェイト部は、フロント部１７０に向かって配置され得る。具体的には、第１セットのウェイト部は、第２セットのウェイトポート１６１０の配置に従って、リア部１８０又はその近傍でクラスター１６１０を形成し得る。ウェイト部４０５、４１０、４１５、４２０、４２５、４３０、４３５は、第１セットのウェイト部を画定してもよく、それぞれ、ウェイトポート９４５、９５０、９５５、９６０、９６５、９７０、９７５に配置することができる。ウェイト部４４０、４４５、４５０、４５５、４６０、４６５、４７０、４７５、４８０は、第２セットのウェイト部を画定してもよく、それぞれ、ウェイトポート９０５、９１０、９１５、９２０、９２５、９３０、９３５、９４０、９８０に配置することができる。第２のウェイト配置１６００は、第２の打ち出し軌道プロファイル１４２０（図１４）と関連付けられ得る。具体的には、第２のウェイト配置１６００は、ゴルフボールの打ち出し角を増加させ、寛容性を最大にすることができる。第２セットのウェイトポート１６１０の配置に従ってゴルフクラブヘッド１００のリア部１８０に向かって比較的重いウェイト部（すなわち、第１セットのウェイト部）を配置することで、ゴルフクラブヘッド１００の重心（ＧＣ）を比較的後方及び上方に移動させて、比較的高い打ち出し及びスピン軌道を提供することができる。更に、ゴルフクラブヘッド１００の慣性モーメント（ＭＯＩ）を、水平軸（フロント−バック軸）と垂直軸（トップ−ボトム軸）の両方で増加させることができ、中心を外れた打撃のより高い寛容性を提供することができる。その結果、第２の打ち出し軌道プロファイル１４２０は、比較的大きいキャリー距離（すなわち、空中の距離）と関連付けることができる。
【０１２２】
図１７を参照すると、例えば、第３のウェイト配置１７００は、第３セットのウェイトポート１７１０に関連付けられ得る。第３のウェイト配置１７００では、第１セットのウェイト部は、ヒール部１６０に向かって配置され得る一方で、第２セットのウェイト部は、トウ部１５０に向かって配置され得る。具体的には、第１セットのウェイト部は、第３セットのウェイトポート１７１０の配置に従って、ヒール部１６０又はその近傍でクラスターを形成し得る。ウェイト部４０５、４１０、４１５、４２０、４２５、４３０、４３５は、第１セットのウェイト部を画定してもよく、それぞれ、ウェイトポート９２５、９３０、９３５、９４０、９４５、９５０、９５５に配置することができる。ウェイト部４４０、４４５、４５０、４５５、４６０、４６５、４７０、４７５、４８０は、第２セットのウェイト部を画定してもよく、それぞれ、ウェイトポート９０５、９１０、９１５、９２０、９６０、９６５、９７０、９７５、９８０に配置することができる。第３のウェイト配置１７００は、第３の打ち出し軌道プロファイル１４３０（図１４）と関連付けられ得る。具体的には、第３のウェイト配置１７００は、人がゴルフクラブヘッド１００を比較的容易にターンオーバーすることを可能にすることができる（すなわち、ゴルフボールに衝撃を与えるためにフェース部１７５を直角にする）。ゴルフクラブヘッド１００のヒール部１６０に向かって比較的重いウェイト部（すなわち、第１セットのウェイト部）を配置することで、ゴルフクラブヘッド１００の重心（ＧＣ）をシャフトの軸の比較的近くに移動させることができる。
【０１２３】
図１８を参照すると、例えば、第４のウェイト配置１８００は、第４セットのウェイトポート１８１０に関連付けられ得る。第４のウェイト配置１８００では、第１セットのウェイト部は、トウ部１５０に向かって配置され得る一方で、第２セットのウェイト部は、ヒール部１６０に向かって配置され得る。具体的には、第１セットのウェイト部は、第４セットのウェイトポート１８１０の配置に従って、トウ部１５０又はその近傍でクラスターを形成し得る。ウェイト部４０５、４１０、４１５、４２０、４２５、４３０、４３５は、第１セットのウェイト部を画定してもよく、それぞれ、ウェイトポート９０５、９１０、９１５、９６５、９７０、９７５、９８０に配置することができる。ウェイト部４４０、４４５、４５０、４５５、４６０、４６５、４７０、４７５、４８０は、第２セットのウェイト部を画定してもよく、それぞれ、ウェイトポート９２０、９２５、９３０、９３５、９４０、９４５、９５０、９５５、９６０に配置することができる。第４のウェイト配置１８００は、第３の打ち出し軌道プロファイル１４３０（図１４）と関連付けられ得る。具体的には、第４のウェイト配置１８００は、人がゴルフクラブヘッド１００をターンオーバーすることを妨げるようにしてもよい（すなわち、フェース部１７５をゴルフボールに衝撃を与えるためによりオープンにすることができる）。ゴルフクラブヘッド１００のトウ部１５０に向かって比較的重いウェイト部（すなわち、第１セットのウェイト部）を配置することで、ゴルフクラブヘッド１００の重心（ＧＣ）をシャフトの軸から比較的遠くに移動させることができる。第４のウェイト配置１８００は、フェードのゴルフショット（図１９に示すように、例えば、右利きの人にとって、ゴルフボールがターゲット１９１０の左に向かって進み、ターゲットの右に向かって戻るように曲がる軌道又はボールの飛行）になることがある。本明細書に記載の装置、方法、及び製造物は、これに限定されない。
【０１２４】
図２０は、ゴルフクラブヘッド１００を製造することができる方法の１つを示している。図２０の例では、プロセス２０００は、複数のウェイト部を供給することで開始され得る（ブロック２０１０）。複数のウェイト部は、第１セットのウェイト部及び第２セットのウェイト部を含み得る。第１セットのウェイト部の各ウェイト部は、第１質量と関連付けられ得る一方で、第２セットのウェイト部の各ウェイト部は、第２質量と関連付けられ得る。第１質量は、第２質量より大きくてもよい。一例では、第１セットのウェイト部の各ウェイト部は、約２〜５グラム、３．０〜４．５グラム、３．５〜４．２５グラム、４グラム、又は２．６グラムの質量のタングステン系材料で作製され得る一方で、第２セットのウェイト部の各ウェイト部は、０．４グラムの質量のアルミニウム系材料で作製され得る。第１セットのウェイト部は、灰色又は鋼色であり得る一方で、第２セットのウェイト部は、黒色であり得る。
【０１２５】
プロセス２０００は、ゴルフクラブヘッドのボディ部を供給することができる（ブロック２０２０）。ボディ部は、フロント部と、リア部と、トウ部と、ヒール部と、トップ部と、外側面カーブと関連付けられた外側面を持つボトム部と、トップ部とボトム部の間のスカート部とを含み得る。
【０１２６】
プロセス２０００は、ボトム部及びスカート部又はそれらの近傍に位置するウェイトポート領域を形成することができる（ブロック２０３０）。推移領域は、ウェイトポート領域の周りを取り囲んでもよい。
【０１２７】
プロセス２０００は、ウェイトポート領域の周縁部に沿って複数のウェイトポートを形成することができる（ブロック２０４０）。複数のウェイトポートの各ウェイトポートは、ポート直径と関連付けられて、複数のウェイト部の少なくとも１つのウェイト部を受けるよう構成され得る。隣接する２つのウェイトポートは、ポート直径以下で離間され得る。更に、複数のウェイトポートの各ウェイトポートは、ポート軸と関連付けられ得る。ポート軸は、ゴルフクラブヘッドのボトム部の外側面カーブの接平面に対して垂直又は実質的に垂直であり得る。
【０１２８】
図２０のプロセス２０００の例は、単に、ゴルフクラブヘッド１００を製造する方法の１つの例として、図１〜１９と共に提供及び説明している。アクションの特定の順序を図２０に示しているが、これらのアクションは、他の経時的な順番で実行されてもよい。例えば、図２０に示す２以上のアクションは、連続して、同時に、又は一斉に実行され得る。図２０は特定の数のブロックを示すが、プロセスは、１つ以上のブロックを実行しなくてもよい。本明細書に記載の装置、方法、及び製造物は、これに限定されない。
【０１２９】
上記の例に示すように、複数のウェイト部１２０及び複数のウェイトポート９００は、概ね図４に４９０、９９５として示すように、２つの弧で形成された概ねＤ字状のループを画定する経路に沿ってウェイトポート領域２４０の周縁部に配置され得る。例えば、ウェイト部４０５、４１０、４１５、４２０、４２５、４３０、４３５（図４）、及び、ウェイトポート９０５、９１０、９１５、９２０、９２５、９３０、９３５（図９）は、第１の弧４９０を形成し得る。具体的には、第１の弧４９０は、頭部１５０とヒール部１６０のそれぞれの間に、ボトム部１４０を横断して延在し得る。ウェイト部４４０、４４５、４５０、４５５、４６０、４６５、４７０、４７５、４８０（図４）、及び、ウェイトポート９４０、９４５、９５０、９５５、９６０、９６５、９７０、９６５、９８０（図９）は、第２の弧４９５を形成し得る。第２の弧４９５は、概ねボディ部１１０のリア部１８０の輪郭に従い得る。あるいは、第１及び第２の弧４９０、４９５は、ボトム部１４０を横断して延在する他の形状のループを画定し得る（例えば、概ねＯ字状のループ）。本明細書に記載の装置、方法、及び製造物は、これに限定されない。
【０１３０】
上記の例は、特定の幾何学的形状に形成された複数のウェイト部１２０及び複数のウェイトポート９００を記載するが、本明細書に記載の装置、方法、および製造物は、他の幾何学的形状に形成されたウェイト部領域の周縁部に沿って設けられたウェイト部及びウェイトポートを有してもよい。図２１を参照すると、例えば、ゴルフクラブヘッド２１００は、ボトム部２１１０と、複数のウェイトポート２１３０に配置された複数のウェイト部２１２０とを含み得る。複数のウェイトポート２１３０は、ボトム部２１１０のウェイトポート領域２１４０の周縁部に沿って配置され得る（すなわち、複数のウェイトポート２１３０は、トウ部２１１２とヒール部２１１４のそれぞれの間にボトム部２１１０を横断して延在し得る）。複数のウェイト部１２０及び複数のウェイトポート９００（例えば、図４、９）とは対照的に、複数のウェイトポート２１３０は、ボトム部２１１０を横断して延在する、概ね２１５０、２１５５として示される、２つの別々の弧を形成し得る。
【０１３１】
第１の弧２１５０は、トウ部２１１２とヒール部２１１４との間に延在し得る。第１の弧２１５０は、ゴルフクラブヘッド２１００のフロント部２１７０に向かってカーブし得る（すなわち、フロント部２１７０に関して凹状である）。図２１の例によれば、第１の弧２１５０は、トウ部２１１２の近傍の領域からフロント部２１７０の近傍の領域、及び、フロント部２１７０の近傍の領域からヒール部２１１４の近傍の領域に延在し得る（すなわち、フロント部２１７０に関して凹状である）。従って、第１の弧２１５０は、トウ部２１１２とヒール部２１１４との間に延在する、ゴルフクラブヘッド２１００のリア部２１８０に向くＣ字状の弧のように見え得る。第２の弧２１５５はまた、トウ部２１１２とヒール部２１１４との間に設けられ得る。第２の弧２１５５は、ゴルフクラブヘッド２１００のリア部２１８０に向かってカーブし得る（すなわち、リア部２１８０に関して凹状である）。従って、第２の弧２１５５は、トウ部２１１２とヒール部２１１４との間に延在する、ゴルフクラブヘッド２１００のフロント部２１７０に向くＣ字状の弧のように見え得る。更に、第１の弧２１５０は、第２の弧２１５５よりフロント部２１７０に近くてもよい。第１の弧２１５０及び第２の弧２１５５は、第１の弧２１５０及び第２の弧２１５５のそれぞれがボトム部２１１０の周縁部に沿って離れて設けられるように、別々であり得る。従って、ボトム部２１１０は、第１の弧２１５０のウェイトポート２１３０と第２の弧２１５５のウェイトポート２１３０との間でボトム部２１１０の周縁部に沿ったギャップ２１９０、２１９２を含み得る。ギャップ２１９０及び／又は２１９２は、ギャップ２１９０及び／又は２１９２に隣接するウェイトポート２１３０などのウェイトポート２１３０のいずれかのポート直径以上であり得る。図２１に示す一例によれば、ギャップ２１９０、２１９２は、ギャップ２１９０、２１９２に隣接するウェイトポート２１３０の直径より桁違いに大きくてもよい。本明細書に記載の装置、方法、及び製造物は、これに限定されない。
【０１３２】
図２１を参照すると、例えば、第１の弧２１５０は、特定のゴルフクラブヘッド（例えば、フェアウェイウッド系ゴルフクラブヘッド及び／又はハイブリッド系ゴルフクラブヘッド）に適するように、第２の弧２１５５より多くのウェイトポート２１３０を含み得る。あるいは、第２の弧２１５５は、第１の弧２１５０と同じ又はより多くのウェイトポート２１３０を含み得る。第１の弧２１５０及び第２の弧２１５５内の各々のウェイトポート２１３０の数、各ウェイトポート２１３０と関連付けられたウェイト部２１２０、隣接するウェイトポート２１３０間の間隔は、ゴルフクラブのタイプ、ゴルフクラブヘッド２１００の好ましい重量分布、及び／又はゴルフクラブヘッド２１００の重心位置に基づいて決定され得る。
【０１３３】
第１の弧２１５０及び／又は第２の弧２１５５のウェイトポート２１３０は、第１の弧２１５０及び／又は第２の弧２１５５のそれぞれに沿って同じ又は略同じ距離で互いに離間され得る。第１の弧２１５０や第２の弧２１５５のウェイトポート２１３０間、又は、本明細書に記載された任意のウェイトポート間の間隔の変化は、製造精度に関連する製造公差及び／又は費用対効果などの、異なる製造上の検討事項に起因し得る。例えば、第１の弧２１５０及び／又は第２の弧２１５５のウェイトポート２１３０間の間隔の変化は、１／１６インチから０．００１インチの間であり得る。本明細書で説明するように、隣接するウェイトポート２１３０間の距離（すなわち、ポート距離）は、隣接する２つのウェイトポートのいずれかのポート直径以下であり得る。複数のウェイトポート２１３０は、ゴルフクラブヘッド２１００の最大トウ−ヒール間クラブヘッド距離２１９５の５０％以上である最大トウ−ヒール間ウェイトポート距離でトウ部２１１２とヒール部２１１４との間に延在し得る。最大トウ−ヒール間ウェイトポート距離は、トウ部２１１２から最も遠いウェイトポートのヒール側の境界とヒール部２１１４から最も遠いウェイトポートのトウ側の境界との間の最大距離であり得る。
【０１３４】
具体的には、ゴルフクラブヘッド２１００は、４３０ｃｃ未満の体積を有し得る。例えば、ゴルフクラブヘッド２１００は、１００ｃｃから４００ｃｃの範囲の体積を有し得る。別の例では、ゴルフクラブヘッド２１００は、１５０ｃｃから３５０ｃｃの範囲の体積を有し得る。更に別の例では、ゴルフクラブヘッド２１００は、２００ｃｃから３００ｃｃの範囲の体積を有し得る。ゴルフクラブヘッド２１００は、１００グラムから３５０グラムの範囲の質量を有し得る。別の例では、ゴルフクラブヘッド２１００は、１５０グラムから３００グラムの範囲の質量を有し得る。更に別の例では、ゴルフクラブヘッド２１００は、２００グラムから２５０グラムの範囲の質量を有し得る。ゴルフクラブヘッド２１００は、１０°から３０°の範囲のロフト角を有し得る。別の例では、ゴルフクラブヘッド２１００は、１３°から２７°の範囲のロフト角を有し得る。例えば、ゴルフクラブヘッド２１００は、フェアウェイウッド系ゴルフクラブヘッドであり得る。あるいは、ゴルフクラブヘッド２１００は、小さめのドライバー系ゴルフクラブヘッドであり得る（例えば、フェアウェイウッド系ゴルフクラブヘッドより大きいがドライバー系ゴルフクラブヘッドより小さい）。本明細書に記載の装置、方法、及び製造物は、これに限定されない。
【０１３５】
図２２に示すように、例えば、ゴルフクラブヘッド２２００は、ボトム部２２１０と、複数のウェイトポート２２３０に配置された複数のウェイト部２２２０とを含み得る。ウェイトポート領域２２４０の周縁部に沿って配置された複数のウェイトポート２２３０は、ボトム部２２１０を横断して延在する、概ね２２５０として示される、弧を画定する経路に沿って配置され得る（すなわち、複数のウェイトポート２２３０は、ボトム部２２１０を横断してトウ部２２１２とヒール部２２１４のそれぞれの間に延在し得る）。弧２２５０は、ゴルフクラブヘッド２２００のリア部２２８０に向かってカーブし得るすなわち、リア部２２８０に関して凹状である）。図２２の例によれば、弧２２５０は、トウ部２２１２の近傍の領域からリア部２２８０の近傍の領域、及び、リア部２２８０の近傍の領域からヒール部２２１４の近傍の領域に延在し得る（すなわち、リア部２２８０に関して凹状である）。従って、弧２２５０は、ヒール部２２１４の近くからトウ部２２１２の近くに延在する、ゴルフクラブヘッド２２００のフロント部２２７０に向くＣ字状の弧のように見え得る。更に、弧２２５０の曲率は、ゴルフクラブヘッド２２００のリア部２２８０の輪郭と実質的に同様であってもよく、又は概ね従ってもよい。弧２２５０内のウェイトポート２２３０の数、各ウェイトポート２２３０と関連付けられたウェイト部２２２０、隣接するウェイトポート２２３０間の間隔は、ゴルフクラブのタイプ、ゴルフクラブヘッド２２００の好ましい重量分布、及び／又はゴルフクラブヘッド２２００の重心位置に基づいて決定され得る。
【０１３６】
弧２２５０のウェイトポート２２３０は、弧２２５０に沿って同じ又は略同じ距離で互いに離間され得る（例えば、ウェイトポート２２３０は、実質的に同様な間隔で互いに離間され得る）。弧２２５０のウェイトポート２２３０間、又は、本明細書に記載された任意のウェイトポート間の間隔の変化は、製造精度に関連する製造公差及び／又は費用対効果などの、異なる製造上の検討事項に起因し得る。例えば、弧２２５０のウェイトポート２２３０間の間隔の変化は、１／１６インチから０．００１インチの間であり得る。本明細書で説明するように、隣接するウェイトポート２２３０間の距離（すなわち、ポート距離）は、隣接する２つのウェイトポートのいずれかのポート直径以下であり得る。複数のウェイトポート２２３０は、ゴルフクラブヘッド２２００の最大トウ−ヒール間クラブヘッド距離２２９０の５０％以上である最大トウ−ヒール間ウェイトポート距離でトウ部２２１２とヒール部２２１４との間に延在し得る。最大トウ−ヒール間ウェイトポート距離は、トウ部２２１２から最も遠いウェイトポートのヒール側の境界とヒール部２２１４から最も遠いウェイトポートのトウ側の境界との間の最大距離であり得る。
【０１３７】
具体的には、ゴルフクラブヘッド２２００は、２００ｃｃ未満の体積を有し得る。例えば、ゴルフクラブヘッド２２００は、５０ｃｃから１５０ｃｃの範囲の体積を有し得る。別の例では、ゴルフクラブヘッド２２００は、６０ｃｃから１２０ｃｃの範囲の体積を有し得る。更に別の例では、ゴルフクラブヘッド２２００は、７０ｃｃから１００ｃｃの範囲の体積を有し得る。ゴルフクラブヘッド２２００は、１８０グラムから２７５グラムの範囲の質量を有し得る。別の例では、ゴルフクラブヘッド２２００は、２００グラムから２５０グラムの範囲の質量を有し得る。ゴルフクラブヘッド２２００は、１５°から３５°の範囲のロフト角を有し得る。別の例では、ゴルフクラブヘッド２２００は、１７°から３３°の範囲のロフト角を有し得る。例えば、ゴルフクラブヘッド２２００は、ハイブリッド系ゴルフクラブヘッドであってもよい。本明細書に記載の装置、方法、及び製造物は、これに限定されない。
【０１３８】
図２３〜３２の例では、ゴルフクラブヘッド２３００は、ボディ部２３１０と、概ね第１セットのウェイト部２４１０及び第２セットのウェイト部２４２０（図２４）として示される、複数のウェイト部２３２０とを含み得る。ボディ部２３１０は、トップ部２３３０と、ボトム部２３４０と、トウ部２３５０と、ヒール部２３６０と、フロント部２３７０と、リア部２３８０とを含み得る。ボトム部２３４０は、トップ部２３３０とボトム部２３４０との間に、フロント部２３７０を除き、トウ部２３５０からリア部２３８０を回ってヒール部２３６０に至るゴルフクラブヘッド２３００の周縁部を横断して延在する、ゴルフクラブヘッド２３００のサイド部として規定されたスカート部２３９０を含み得る。ボトム部２３４０は、推移領域２４３０とウェイトポート領域２４４０とを含み得る。例えば、ウェイトポート領域２４４０は、Ｄ字状の領域であり得る。ウェイトポート領域２４４０は、複数のウェイト部２３２０を受ける複数のウェイトポート２８００（図２８）を含み得る。フロント部２３７０は、ゴルフボール（不図示）に当たるフェース部２３７５を含み得る。ボディ部２３１０はまた、シャフト（不図示）を受けるホーゼル部２３６５を含み得る。ホーゼル部２３６５は、ボディ部２３１０と一体的な部分でもよく、別体の部分でもよい。例えば、ホーゼル部２３６５は、一方の端部がシャフトを受けると共に他方の端部がボディ部２３１０に挿入されるホーゼルスリーブを含んでもよい。あるいは、ボディ部２３１０は、ホーゼル部２３６５に代えてボアを含み得る。ゴルフクラブヘッド２３００は、ゴルフクラブヘッド１００又は本明細書に記載の任意のゴルフクラブヘッドと同様な材料から構成されてもよく、同様な体積を有してもよく、同じタイプのゴルフクラブヘッドであってもよい。本明細書に記載の装置、方法、及び製造物は、これに限定されない。
【０１３９】
概ね２６０５、２６１０、２６１５、２６２０として示される、第１セットのウェイト部２４１０の各々は、第１質量と関連付けられ得る。概ね２６４０、２６４５、２６５０、２６５５、２６６０、２６６５、２６７０として示される、第２セットのウェイト部２４２０の各々は、第２質量と関連付けられ得る。第１質量は、第２質量より大きくてもよく、又はその逆でもよい。第１セットのウェイト部２４１０及び第２セットのウェイト部２４２０は、それぞれ、ゴルフクラブヘッド１００又は本明細書に記載の任意のゴルフクラブヘッドに対する種々のウェイト配置と同様であり得る、種々のウェイト配置をゴルフクラブヘッド２３００に対して提供することができる。あるいは、第１セット及び第２セットのウェイト部２４１０、２４２０の全てのウェイト部は、それぞれ、同じ質量を有し得る。すなわち、第１質量と第２質量は互いに等しくてもよい。複数のウェイト部２３２０は、類似又は異なる物理的特性（例えば、密度、形状、質量、体積、サイズ、色など）を有し得る。ウェイト部２３２０は、ゴルフクラブヘッド１００又は本明細書に記載の任意のゴルフクラブヘッドのウェイト部１２０と多くの点で類似し得る。本明細書に記載の装置、方法、及び製造物は、これに限定されない。本明細書に記載の装置、方法、及び製造物は、これに限定されない。
【０１４０】
図２８を参照し、例えば、ボディ部２３１０のボトム部２３４０は、複数のウェイトポート２８００を含み得る。概ね２８０５、２８１０、２８１５、２８２０、２８４０、２８４５、２８５０、２８５５、２８６０、２８６５、２８７０として示される、複数のウェイトポート２８００は、ボトム部２３４０のウェイトポート領域２４４０の周縁部に、及び／又はそれに沿って配置され得る。複数のウェイトポート２８００の各々は、ゴルフクラブヘッド１００又は本明細書に記載の任意のゴルフクラブヘッドの任意のウェイトポートと多くの点（例えば、ポート直径）で類似し得る。更に、複数のウェイトポート２８００の各々は、ゴルフクラブヘッド１００又は本明細書に記載の任意のゴルフクラブヘッドのウェイトポート９００の構成と同様にボトム部２３４０に形成され得る。また更に、複数のウェイトポート２８００は、ゴルフクラブヘッド１００又は本明細書に記載の任意のゴルフクラブヘッドのウェイトポート９００の配置と同様にボトム部２３４０を横断して延在し得る。しかしながら、ボトム部２３４０のウェイトポート２８００の配置は、ゴルフクラブヘッド１００又は本明細書に記載の任意のゴルフクラブヘッドのウェイトポート９００の配置と異なり得る。本明細書に記載の装置、方法、及び製造物は、これに限定されない。
【０１４１】
図２３〜３２に示す一例では、ボトム部２３４０は、外側面２３４２及び内側面２３４４を含み得る。外側面２３４２及び内側面２３４４の各々は、概ね３１１０、３１２０、３１４０として示される、１つ又は複数の支持部を含み得る。外側面２３４２は、少なくとも１つの外側支持部３１１０を含んでもよく、内側面２３４４は、第１セットの内側支持部３１２０（概ね内側支持部３１２１、３１２２、３１２３、３１２４、３１２５、３１２６、３１２７、３１２８、３１２９、３１３０、３１３１、３１３２、３１３３として示される）及び第２セットの内側支持部３１４０（概ね内側支持部３１４１、３１４２、３１４３、３１４４、３１４５、３１４６として示される）を含み得る。本明細書に記載の装置、方法、及び製造物は、これに限定されない。
【０１４２】
外側支持部３１１０は、ボトム部２３４０及び／又はスカート部２３９０の、任意のウェイトポート２８００の間に及び／又はトウ部２３５０とヒール部２３６０とフロント部２３７０とリア部２３８０とで画定されるボディ部２３１０の周縁部に、配置され得る。しかしながら、外側支持部３１１０は、ゴルフクラブヘッド２３００の構造的支持のために、ゴルフクラブヘッド２３００の任意の位置に配置されてもよい。図２３〜３２の例では、外側支持部３１１０は、ボトム部２３４０及び／又はスカート部２３９０の、ボディ部２３１０の周縁部に近接してリア部２３８０からトウ部２３５０に向かって、及び／又はトウ部２３５０まで延在する、溝又は刻み目によって画定され得る。外側支持部３１１０は、任意の構造を有し得る。図３１に示すように、外側支持部３１１０の幅は、リア部２３８０からトウ部２３５０に向かって増大してもよく、更に、外側支持部３１１０は、リア部２３８０とトウ部２３５０の間のボディ部２３１０の周縁部の輪郭に沿ってもよい。従って、外側支持部３１１０は、ボトム部２３４０にある湾曲した三角形の溝に類似し得る。外側支持部３１１０の深さも、変化し得る。あるいは、外側支持部３１１０の深さは、一定であり得る。更に、外側支持部３１１０の深さは、ボトム部２３４０の厚さとボトム部２３４０を形成する材料に基づいて決定され得る。本明細書に記載の装置、方法、及び製造物は、これに限定されない。
【０１４３】
第１セットの内側支持部３１２０の各内側支持部は、壁、リブ、及び／又はボトム部２３４０の内側面２３４４からの任意の突出部を含み得る。第１セットの内側支持部３１２０の各内側支持部は、各ウェイトポート２８００から延在し、隣接するウェイトポート２８００又は隣接しない他の１つ以上のウェイトポート２８００と接続し得る。図３１に示すように、例えば、内側支持部３１２１は、ボトム部２３４０の内側面２３４４から突出してウェイトポート２８０５と２８１０を接続する壁を含み得る。同様に、図３１に示すように、隣接するウェイトポート２８１０と２８１５、２８１５と２８２０、２８２０と２８４０、２８４０と２８４５、２８４５と２８５０、２８５０と２８５５、２８５５と２８６０、２８６０と２８６５、２８６５と２８７０、２８７０と２８０５の各ペアは、それぞれ、内側支持部３１２２、３１２３、３１２４、３１２５、３１２６、３１２７、３１２８、３１２９、３１３０、３１３１によって接続され得る。従って、第１セットの内側支持部３１２０の内側支持部３１２１〜３１３１は、ボトム部２３４０の内側面２３４４にループ状支持領域３１５０を画定することができる。本明細書に記載の装置、方法、及び製造物は、これに限定されない。
【０１４４】
更に、内側支持部３１３２は、ボトム部２３４０の内側面２３４４から突出してウェイトポート２８０５と２８５５などの隣接しない２つのウェイトポートを接続する壁を含み得る。内側支持部３１３３は、ボトム部２３４０の内側面２３４４から突出してウェイトポート２８２０と２８５５などの隣接しない２つのウェイトポートを接続する壁を含み得る。従って、内側支持部３１２１、３１２２、３１２３、３１３２、３１３３は、ボトム部２３４０の内側面２３４４に、ループ状支持領域３１５０に部分的に含まれると共にループ状支持領域３１５０に部分的に重なる三角形支持領域３１６０を画定し得る。ウェイトポート２８０５、２８２０、２８５５は、三角形支持領域３１６０の頂点を画定してもよい。第１セットの内側支持部３１２０は、任意の構造を有してもよく、任意の２以上のウェイトポートを接続してもよく、及び／又は任意の形状を画定し得る。本明細書に記載の装置、方法、及び製造物は、これに限定されない。
【０１４５】
第２セットの内側支持部３１４０の各内側支持部は、壁、リブ、及び／又はボトム部２３４０の内側面２３４４の任意の突出部を含み得る。第２セットの内側支持部３１４０の各内側支持部は、１つ以上のウェイトポート２８００から周縁部に向かって、及び／又はボディ部２３１０のスカート部２３９０に向かって延在し得る。図３１に示す一例では、内側支持部３１４１は、ウェイトポート２８０５に接続されると共に、ウェイトポート２８０５からトウ部２３５０に向かって、及び／又はそこまで延在する壁を含み得る。内側支持部３１４２は、ウェイトポート２８７０に接続されると共に、ウェイトポート２８７０からトウ部２３５０に向かって、及び／又はそこまで延在する壁を含み得る。内側支持部３１４３は、ウェイトポート２８６５に接続されると共に、ウェイトポート２８６５からトウ部２３５０又はリア部２３８０に向かって、及び／又はそこまで延在する壁を含み得る。内側支持部３１４１、３１４２、３１４３が、ボトム部２３４０、スカート部２３９０、トウ部２３５０、フロント部２３７０、及び／又はリア部２３８０の構造的支持を提供し得るように、又は実質的に提供し得るように、内側支持部３１４１、３１４２、３１４３の各々の長さ、高さ、厚さ、配向角度、及び／又は断面構造を構成することができる。本明細書に記載の装置、方法、及び製造物は、これに限定されない。
【０１４６】
図３１に示すように、内側支持部３１４４は、ウェイトポート２８５５に接続され得ると共に、ウェイトポート２８５５からリア部２３８０に向かって、及び／又はそこまで延在し得る壁を含み得る。内側支持部３１４５は、ウェイトポート２８４５に接続され得ると共に、ウェイトポート２８４５からヒール部２３６０に向かって、及び／又はそこまで延在し得る壁を含み得る。内側支持部３１４６は、ウェイトポート２８２０に接続され得ると共に、ウェイトポート２８２０からヒール部２３６０に向かって、及び／又はそこまで延在し得る壁を含み得る。内側支持部３１４４、３１４５、３１４６が、ボトム部２３４０、スカート部２３９０、ヒール部２３６０、フロント部２３７０、及び／又はリア部２３８０の構造的支持を提供し得るように、又は実質的に提供し得るように、内側支持部３１４４、３１４５、３１４６の各々の長さ、高さ、厚さ、配向角度、及び／又は断面構造を構成することができる。本明細書に記載の装置、方法、及び製造物は、これに限定されない。
【０１４７】
第１セットの内側支持部３１２０は、ゴルフクラブヘッド２３００がゴルフボール（不図示）を打つときに、ボトム部２３４０に与えられる衝撃荷重をボトム部２３４０に分散させることによって、ボトム部２３４０を構造的に支持することができる。第２セットの内側支持部３１４０は、加重衝撃をボトム部２３４０、スカート部２３９０、トウ部２３５０、ヒール部２３６０、フロント部２３７０、及び／又はリア部２３８０に更に分散させることができる。一例では、第２セットの内側支持部３１４０は、加重衝撃をボディ部２３１０に更に分散するように、ウェイトポート２８４０、２８５０、２８６０などの任意のウェイトポートに接続される追加の壁、リブ、及び／又は突出部（不図示）を含み得る。上記の例は、特定の数の内側支持部を示しているが、ボトム部２３４０は、追加の内側支持部（不図示）を含み得る。例えば、ボトム部２３４０は、隣接しないウェイトポート２８００（例えば、ウェイトポート２８１５と２８６０）及び／又は第２セットの内側支持部３１４０を接続する複数の内側支持部（不図示）を含み得る。本明細書に記載の装置、方法、及び製造物は、これに限定されない。
【０１４８】
第１セットの内側支持部３１２０及び／又は第２セットの内側支持部３１４０の内側支持部の幅（すなわち、厚さ）、長さ、高さ、配向角度、及び／又は断面構造は、同様でもよく、変化してもよく、ゴルフクラブヘッド２３００の構造的支持を提供するように構成され得る。例えば、ボトム部２３４０及び／又はボディ部２３１０を構成し得る材料は、第１セットの内側支持部３１２０及び／又は第２セットの内側支持部３１４０の内側支持部の幅、長さ、高さ、配向角度、及び／又は断面構造を決定し得る。例えば、第１セットの内側支持部３１２０及び／又は第２セットの内側支持部３１４０の内側支持部は、ウェイトポート２８００の深さと同様の高さを持つ矩形断面の壁によって画定され得る。第２セットの内側支持部３１４０の各内側支持部の長さは、第２セットの内側支持部の１つ以上の内側支持部がボトム部２３４０からスカート部２３９０まで延在するに構成され得る。本明細書に記載の装置、方法、及び製造物は、これに限定されない。
【０１４９】
本明細書に記載のゴルフクラブヘッドのいずれも、外側支持部及び／又は内側支持部は異なる構成を有してもよく、ゴルフクラブヘッドの任意の部分及び／又は部品のサイズ、厚さ、構成材料、及び／又は他の特性に応じて、ゴルフボールとの衝突時にゴルフクラブヘッドに構造的支持を提供する。外側支持部及び／又は内側支持部の異なる構成は、ゴルフボールを打つときのゴルフクラブヘッドの振動、減衰、及び／又はノイズ特性に影響し得る。更に、外側支持部及び／又は内側支持部の異なる構成は、追加の構造的支持を必要とするゴルフクラブヘッドの部分に構造的支持を提供し得る。例えば、本明細書に記載のゴルフクラブヘッドは、本明細書に記載の第１セットの内側支持部及び第２セットの内側支持部に追加してより多くの内側支持部を含み得る。例えば、本明細書に記載のゴルフクラブヘッドは、本明細書に記載の第１セットの内側支持部及び第２セットの内側支持部より少ない内側支持部を含み得る。
【０１５０】
図３３及び図３４は、内側支持部の構成が異なる別のゴルフクラブヘッド２３００の例を示している。ボトム部２３４０の内側面２３４４は、第１セットの内側支持部３３２０（概ね内側支持部３３２３、３３２４、３３２５、３３２６、３３２７として示される）及び第２セットの内側支持部３３４０（概ね内側支持部３３４４、３３４５、３３４６、３３４７、３３４８として示される）を含み得る。第１セットの内側支持部３３２０及び第２セットの内側支持部３３４０は、トウ部２３５０よりもヒール部２３６０に近い。例えば、第１セットの内側支持部３３２０及び第２セットの内側支持部３３４０は、ボディ部２３１０の中間点（不図示）とヒール部２３６０との間のボトム部２３４０に配置され得る。本明細書に記載の装置、方法、及び製造物は、これに限定されない。
【０１５１】
第１セットの内側支持部３３２０は、図３１に示す第１セットの内側支持部３１２０の内側支持部などの本明細書に記載の任意の内側支持部と多くの点で類似し得る。図３３及び図３４に示すように、例えば、内側支持部３３２３は、ボトム部２３４０の内側面２３４４から突出してウェイトポート２８１５と２８２０を接続する壁を含み得る。同様に、ウェイトポート２８１５と２８２０、２８２０と２８４０、２８４０と２８４５、２８４５と２８５０、２８５０と２８１５の各ペアは、それぞれ、内側支持部３３２３、３３２４、３３２５、３３２６、３３２７によって接続され得る。従って、第１セットの内側支持部３３２０の内側支持部３３２３〜３３２７は、ボトム部２３４０の内側面２３４４にループ状支持領域３３５０を画定し得る。ループ状支持領域３３５０は、トウ部２３５０よりもヒール部２３６０に近くてもよい。ループ状支持領域３３５０は、ボディ部２３１０の中間点（不図示）とヒール部２３６０との間に配置され得る。本明細書に記載の装置、方法、及び製造物は、これに限定されない。
【０１５２】
第２セットの内側支持部３３４０は、図３１に示す第２セットの内側支持部３１４０などの本明細書に記載の任意の内側支持部と多くの点で類似し得る。図３３及び図３４に示すように、例えば、内側支持部３３４４は、ウェイトポート２８５０と接続され、ウェイトポート２８５０からリア部２３８０に向かって、及び／又はそこまで延在する壁部を含み得る。内側支持部３３４５は、ウェイトポート２８４５と接続され、ウェイトポート２８４５からヒール部２３６０及びリア部２３８０に向かって、及び／又はそこまで延在する壁部を含み得る。内側支持部３３４６は、ウェイトポート２８４０と接続され、ウェイトポート２８４０からヒール部２３６０に向かって、及び／又はそこまで延在する壁部を含み得る。内側支持部３３４７は、ウェイトポート２８２０と接続され、ウェイトポート２８２０からヒール部２３６０に向かって、及び／又はそこまで延在する壁部を含み得る。内側支持部３３４８は、ウェイトポート２８１５と接続され、ウェイトポート３８１５からフロント部２３７０に向かって、及び／又はそこまで延在する壁部を含み得る。内側支持部３３４４、３３４５、３３４６、３３４７、３３４８が、ボトム部２３４０、スカート部２３９０、ヒール部２３６０、フロント部２３７０、及び／又はリア部２３８０の構造的支持を提供し得るように、又は実質的に提供し得るように、内側支持部３３４４、３３４５、３３４６、３３４７、３３４８の各々の長さ、高さ、厚さ、配向角度、及び／又は断面構造を構成することができる。本明細書に記載の装置、方法、及び製造物は、これに限定されない。
【０１５３】
図３５は、内側支持部の構成が異なる別のゴルフクラブヘッド２３００の例を示している。内側面２３４４は、第１セットの内側支持部３１２０（概ね内側支持部３１２１、３１２２、３１２３、３１２４、３１２５、３１２６、３１２７、３１２８、３１２９、３１３０、３１３１として示される）及び第２セットの内側支持部３１４０（概ね内側支持部３１４１、３１４２、３１４３、３１４４、３１４５、３１４６として示される）を含み得る。従って、図４３のゴルフクラブヘッド２３００は、図４３のゴルフクラブヘッド２３００が内側支持部３１３２、３１３３を含まないことを除いて、図３１のゴルフクラブヘッド２３００と同様であり得る。本明細書に記載の装置、方法、及び製造物は、これに限定されない。
【０１５４】
本明細書に記載のゴルフクラブヘッドはいずれも、本明細書に記載の任意のゴルフクラブヘッドの外側支持部及び／又は内側支持部の構成の相違に加えて、外側支持部及び／又は内側支持部の構成の相違と組み合わせてウェイト部の構成を異ならせてもよい。ウェイトポートの構成の相違は、ゴルフクラブヘッドの重量分布に影響を及ぼし得る。外側支持部及び／又は内側支持部の構成の相違は、ゴルフボールを打つときのゴルフクラブヘッドの剛性、振動、減衰、及び／又はノイズ特性に影響を及ぼし得る。更に、外側支持部及び／又は内側支持部の構成の相違は、追加の構造的支持を必要とするゴルフクラブヘッドの部分に構造的支持を提供することができる。例えば、本明細書に記載のゴルフクラブヘッドは、本明細書に記載した幾つかの例示的なゴルフクラブヘッドより多い又は少ないウェイトポートを含み得る。例えば、本明細書に記載のゴルフクラブヘッドは、本明細書に記載の第１セットの内側支持部及び第２セットの内側支持部に追加してより多くの内側支持部を含み得る。例えば、本明細書に記載のゴルフクラブヘッドは、本明細書に記載の第１セットの内側支持部及び第２セットの内側支持部より少ない内側支持部を含み得る。本明細書に記載の装置、方法、及び製造物は、これに限定されない。
【０１５５】
図３６は、ウェイトポートの配置が異なると共に内側支持部の構成が異なる別のゴルフクラブヘッド２３００の例を示している。ボトム部２３４０は、概ね２８０５、２８１０、２８１５、２８２０、２８４５、２８５０、２８５５、２８６０、２８６５として示される、複数のウェイトポート２８００を含み得る。従って、図３６のゴルフクラブヘッド２３００は、図３６のゴルフクラブヘッド２３００がウェイトポート２８４０、２８７０を含まないことを除いて、図３１のゴルフクラブヘッド２３００と同様であり得る。また、図３６の例では、ボトム部２３４０の内側面２３４４は、第１セットの内側支持部３１２０（概ね内側支持部３１２１、３１２２、３１２３、３１２６、３１２７、３１２８、３１２９として示される）及び第２セットの内側支持部３１４０（概ね内側支持部３１４１、３１４３、３１４４、３１４５、３１４６として示される）を含み得る。従って、図３６のゴルフクラブヘッド２３００は、図３６のゴルフクラブヘッド２３００が内側支持部３１２４、３１２５、３１３０、３１３１、３１３２、３１３３、３１４２を含まないことを除いて、図３１のゴルフクラブヘッド２３００と同様であり得る。本明細書に記載の装置、方法、及び製造物は、これに限定されない。
【０１５６】
図３７に示す一例では、ゴルフクラブヘッド２３００のボディ部２３１０の内部の特定の領域は、本明細書において充填材料と称され得る、弾性ポリマー材料又はエラストマー材料を含み得る。充填材料は、ゴルフボール（不図示）を打つときのゴルフクラブヘッド２３００の振動を減衰し、ノイズを減衰し、重心を下げ、及び／又は良好な感触及び音を提供し得る。一例によれば、三角形支持領域３１６０は、充填材料で充填され得る。充填材料は、ボトム部２３４０の内側面２３４４から内側支持部３１２２、３１３２、及び／又は３１３３のいずれかの高さまで延在し得る。しかしながら、充填材料は、内側支持部３１２２、３１３２、及び／又は３１３３のいずれかの高さより下側又は上側まで延在してもよい。更に、充填材料がボトム部２３４０の内側面２３４４から延在する距離として規定され得る、充填材料の厚さは、変化してもよい。一例では、充填材料の厚さは、三角形支持領域３１６０の中心部の周りの方が、三角形支持領域３１６０の側面より厚くてもよい。別の例では、充填材料の厚さは、三角形支持領域３１６０の中心部の周りの方が、三角形支持領域３１６０の側面より薄くてもよい。本明細書に記載の装置、方法、及び製造物は、これに限定されない。
【０１５７】
別の例によれば、内側支持部３１２８、３１２９、３１３０、３１３１、３１３２によって画定される支持領域３１６１と、内側支持部３１２４、３１２５、３１３６、３１３７、３１３３によって画定される支持領域３１６２は、充填材料で充填され得る。充填材料は、ボトム部２３４０の内側面２３４４から支持領域３１６１及び／又は３１６２を画定するいずれかの内側支持部の高さまで延在し得る。しかしながら、充填材料は、支持領域３１６１、３１６２を画定するいずれかの内側支持部の高さより下側又は上側まで延在してもよい。更に、重点材料がボトム部２３４０の内側面２３４４から延在する距離として規定され得る、充填材料の厚さは、変化してもよい。一例では、充填材料の厚さは、支持領域３１６１及び／又は支持領域３１６２の中心部の周りの方が、それぞれ、支持領域３１６１及び／又は支持領域３１６２の側面より厚くてもよい。別の例では、充填材料の厚さは、支持領域３１６１及び／又は支持領域３１６２の中心部の周りの方が、それぞれ、支持領域３１６１及び／又は支持領域３１６２の側面より薄くてもよい。一例によれば、支持領域３１６０、３１６１及び／又は３１６２のいずれか１つ又は組み合わせは、本明細書に記載の充填材料で充填され得る。本明細書に記載の装置、方法、及び製造物は、これに限定されない。
【０１５８】
図３３に示すゴルフクラブヘッド２３００と多くの点で類似する図３８に示す一例では、ゴルフクラブヘッド２３００のボディ部２３１０の内部の特定の領域は、本明細書に記載の弾性ポリマー材料又はエラストマー材料であり得る充填材料を含み得る。充填材料は、ゴルフボール（不図示）を打つときのゴルフクラブヘッド２３００の振動を減衰し、ノイズを減衰し、重心を下げ、及び／又は良好な感触及び音を提供し得る。一例によれば、支持領域３３５０は、充填材料で充填され得る。充填材料は、ボトム部２３４０の内側面２３４４から内側支持部３３２３、３３２４、３３２５、３３２６、及び／又は３３２７のいずれかの高さまで延在し得る。しかしながら、充填材料は、内側支持部３３２３、３３２４、３３２５、３３２６、及び／又は３３２７の高さより下側又は上側まで延在してもよい。更に、重点材料がボトム部２３４０の内側面２３４４から延在する距離として定義され得る、充填材料の厚さは、変化してもよい。一例では、充填材料の厚さは、支持領域３３５０の中心部の周りの方が、支持領域３３５０の側面より厚くてもよい。別の例では、充填材料の厚さは、支持領域３３５０の中心部の周りの方が、支持領域３３５０の側面より薄くてもよい。本明細書に記載の装置、方法、及び製造物は、これに限定されない。
【０１５９】
本明細書に記載のゴルフクラブヘッドはいずれも、上述した充填材料を含み得る１つ以上の内部領域を有し得る。一例では、ゴルフクラブヘッドの１つ以上のポートからゴルフクラブヘッドの領域に注入されて、その領域をカバー又は充填する。充填材料の注入に使用される１つ以上のポートは、本明細書に記載のウェイトポートの１つ以上であり得る。従って、充填材料が注入されてカバー又は充填される領域の形状に、充填材料を成形することができる。あるいは、１つ以上の挿入物を弾性ポリマー材料又はエラストマー材料（すなわち、充填材料）から形成して、ゴルフクラブヘッドの内部の１つ以上の領域に配置してもよい。図３９は、弾性ポリマー材料又はエラストマー材料から構成され得る挿入物３９５０を有する図３６のゴルフクラブヘッド２３００の例を示している。挿入物３９５０は、ボトム部２３４０の内側面２３４４の領域３９５４の形状と同様の形状を有するように製造され得る。従って、挿入物３９５０は、概ね平坦でボトム部２３４０の内側面２３４４に接触して配置されるように、領域３９５４でのボトム部２３４０の曲率と同様の曲率であってもよく、領域３９５４に挿入されて領域３９５４内に概ねフィットするように、領域３９５４の形状と同様の形状であってもよく、及び／又は、ウェイトポート２８００の各々の側壁部の形状及び／又は輪郭に概ねマッチするように、複数の切欠き部３９５６を有してもよい。本明細書に記載の装置、方法、及び製造物は、これに限定されない。
【０１６０】
挿入物３９５０は、いずれかのウェイトポート２８００の高さと同様な厚さを有し得る。従って、挿入物３９５０を領域３９５４に入れた場合に、ウェイトポート２８００又はその近傍の挿入物３９５０のトップ部は、ウェイトポート２８００と同じ高さ、又は実質的に同じ高さとなり得る。しかしながら、挿入物３９５０の厚さは、一定でもよく、挿入物３９５０の任意の位置での挿入物３９５０の厚さが任意のウェイトポート２８００の高さより大きく又は小さくなるように変化してもよい。挿入物３９５０は、ゴルフボール（不図示）を打つときの図３９のゴルフクラブヘッド２３００の振動を減衰し、ノイズを減衰し、重心を下げ、及び／又は良好な感触及び音を提供し得る。本明細書に記載の装置、方法、及び製造物は、これに限定されない。
【０１６１】
挿入物３９５０は、本明細書に記載の任意のゴルフクラブヘッドで使用するために製造され得る。図３９に示すように、挿入物３９５０は、ウェイトポート２８００の外側壁部の形状に概ねマッチする複数の切欠き部３９５６を含み得る。図３９に示す挿入物３９５０は、切欠き部３９５８、３９５９を更に含む。図３５を再び参照すると、図３５のゴルフクラブヘッド２３００に挿入物３９５０を使用する場合に、切欠き部３９５８、３９５９は、それぞれ、ウェイトポート２８７０、２８４０の外側壁部の形状と概ねマッチし得る。従って、挿入物３９５０は、図３５のゴルフクラブヘッド２３００と図３６のゴルフクラブヘッド２３００の両方に使用することができる。本明細書に記載の装置、方法、及び製造物は、これに限定されない。
【０１６２】
図３１を再び参照すると、挿入物３９５０は、内側支持部３１３２、３１３３をその中に受け入れる大きさ及び形状のチャネル、溝、又はスロット（不図示）を含み得る。従って、挿入物３９５０は、図３１、３３、３５、３６のゴルフクラブヘッド２３００に使用するために、上述したチャネル、溝、又はスロットを設けて製造され得る。あるいは、本明細書に記載のゴルフクラブヘッドの１つのみにフィットする１つ以上の挿入物が製造されてもよい。例えば、本明細書に記載のゴルフクラブヘッドの各々は、ゴルフクラブヘッド内の１つ以上の領域にのみフィットする特定の形状を持つ１つ以上の挿入物を含み得る。図３１を再び参照すると、例えば、ゴルフクラブヘッド２３００は、支持領域３１６１にフィットする第１の挿入物（不図示）と、三角形支持領域３１６０にフィットする第２の挿入物（不図示）と、支持領域３１６２にフィットする第３の挿入物（不図示）とを含み得る。図３３を再び参照すると、例えば、ゴルフクラブヘッド３３００は、支持領域３３５０にフィットする挿入物（不図示）を含み得る。本明細書に記載の装置、方法、及び製造物は、これに限定されない。
【０１６３】
本明細書に記載の挿入物はいずれも、一体的な連続部品として弾性ポリマー材料から製造され得る。図３９の例では、挿入物３９５０は、凹部及び／又は穴部がない一体的な連続部品であり得る。図４０は、挿入物３９５０と多くの点で類似し得る挿入物４０５０を示している。従って、一例では、挿入物４０５０は、図３９のゴルフクラブヘッド２３００のボトム部２３４０の内側面２３４４の領域３９５４の形状と同様の形状を有するように製造されてもよく、本明細書に記載の切欠き部３９５６、３９５８、３９５９と同様な複数の切欠き部４０５６を更に含んでもよい。挿入物４０５０は、挿入物４０５０の重量及び／又は挿入物４０５０の構造に使用される材料の量を減らせる複数の穴部４０６２を更に含む。挿入物４０５０は、挿入物４０５０に任意の構成で配置された任意の数の穴部４０６２を含み得る。図４０の例では、挿入物４０５０は、挿入物４０５０の厚さを貫通すると共にハニカムパターンと同様なパターンを画定するように挿入物４０５０に配置された複数の六角形穴部４０６２を含む。穴部４０６２は、任意の形状又は間隔を有し得る。上記の例は、特定の形状を有する穴部を説明したが、本明細書に記載の装置、方法、及び製造物は、他の適切な形状（例えば、円形、三角形、八角形、又は他の適切な幾何学形状）の穴部を含み得る。更に、穴部４０６２は、形状、サイズ、及び／又は挿入物４０５０上の配置が類似してもよく、異なってもよい。一例では、挿入物４０５０は、複数の丸穴部（不図示）を含み得る。別の例では、挿入物４０５０は、複数のスロット、溝、及び／又はスリット（不図示）を含み得る。更に別の例では、挿入物４０５０は、挿入物４０５０を貫通しない凹部（不図示）を含み得る。図９６の例では、クラウン部をボディ部９６１０に取り付ける前のゴルフクラブヘッド９６００を示している。挿入物９６５０がゴルフクラブヘッドの内部領域内に設けられる。挿入物９６５０は、本明細書に記載の弾性ポリマー材料又はエラストマー材料（すなわち、充填材料）から形成され得る。本明細書に記載の装置、方法、及び製造物は、これに限定されない。
【０１６４】
図９７の例では、クラウン部をボディ部９７１０に取り付ける前のゴルフクラブヘッド９７００を示している。挿入物９７５０は、ゴルフクラブヘッド９７００の内部領域内に設けられる。挿入物９７５０は、ゴルフボールとの衝突に起因するゴルフクラブヘッド９７００内の振動を減衰させることができ、人によって知覚される音又は感触を改善することができる。挿入物９７５０は、本明細書に記載の弾性ポリマー材料又はエラストマー材料（すなわち、充填材料）から形成され得る。挿入物９７５０は、中央開口部９７５１を含み得る。中央開口部９７５１は、ゴルフクラブヘッド内の重量配分を改善することができる。挿入物９７５０の中央開口部９７５１のサイズ及び位置は、ゴルフクラブヘッド９６００の中央ソール領域の重量を減らすことによって、ゴルフクラブヘッド９７００のＭＯＩを増加させることができる。中央開口部９７５１は、ゴルフクラブヘッドのソール部の総内部表面積９７１６の約１０％以上の面積を有し得る。中央開口部９７５１は、ゴルフクラブヘッドのソール部の総内部表面積９７１６の約１５％以上の面積を有し得る。中央開口部９７５１は、ゴルフクラブヘッドのソール部の総内部表面積９７１６の約２０％以上の面積を有し得る。中央開口部９７５１は、ゴルフクラブヘッドのソール部の総内部表面積９７１６の約２５％以上の面積を有し得る。挿入物９７５０は、１つ以上のウェイトポート（例えば、９７３２〜９７４０）に隣接し得る。挿入物９７５０は、１つ以上のウェイトポート（例えば、９７３２〜９７４０）を取り囲み得る。挿入物９７５０は、第１セットのウェイトポート（例えば、９７３８〜９７４０）を取り囲み得る。挿入物９７５０は、第２セットのウェイトポート（例えば、９７３２〜９７３４）に隣接し得る。挿入物９７５０は、第３セットのウェイトポート（例えば、９７３５〜９７３７）に隣接し得る。本明細書に記載の装置、方法、及び製造物は、これに限定されない。
【０１６５】
本明細書に記載の充填材料及び／又は挿入物はいずれも、衝撃を吸収し、振動を分離し、及び／又はノイズを減衰するように、弾性ポリマー又はエラストマー材料（例えば、オハイオ州、ケント、Ｓｏｒｂｏｔｈａｎｅ社製のＳｏｒｂｏｔｈａｎｅ（登録商標）などの粘弾性ウレタンポリマー材料）、熱可塑性エラストマー材料（ＴＰＥ）、熱可塑性ポリウレタン材料（ＴＰＵ）、及び／又は他の適切なタイプの材料であり得る。別の例では、充填材料は、高密度エチレン共重合体アイオノマー、脂肪酸変成エチレン共重合体アイオノマー、高非晶質エチレン共重合体アイオノマー、エチレン酸アクリレート三元共重合体のアイオノマー、マグネシウムアイオノマーを含むエチレン共重合体、様々な形状を作り出す従来の射出成形装置で使用される射出成形可能なエチレン共重合体、様々な形状を作り出す従来の押出し装置で使用できるエチレン共重合体、及び／又は熱硬化性ポリブタジエンゴムに類似した高圧縮性及び低反発性のエチレン共重合体であり得る。
例えば、エチレン共重合体は、デラウェア州、ウィルミントンのＥ．Ｉ．ｄｕ  Ｐｏｎｔ  ｄｅ  Ｎｅｍｏｕｒｓ  ａｎｄ  Ｃｏｍｐａｎｙ社製の、ＤｕＰｏｎｔTM  高性能樹脂（ＨＰＦ）ファミリーの材料（例えば、ＤｕＰｏｎｔTM  ＨＰＦ  ＡＤ１１７２、ＤｕＰｏｎｔTM  ＨＰＦ  ＡＤ１０３５、ＤｕＰｏｎｔ（登録商標）  ＨＰＦ  １０００、及びＤｕＰｏｎｔTM  ＨＰＦ  ２０００）に関連するエチレン共重合体のいずれかを含み得る。エチレン共重合体のＤｕＰｏｎｔTM  ＨＰＦファミリーは射出成形可能であり、従来の射出成形装置及び型を使用することができ、低圧縮性及び高反発力を提供する。本明細書に記載の装置、方法、及び製造物は、これに限定されない。
【０１６６】
本明細書に記載の充填材料から製造され得る任意の挿入物を含む充填材料は、本明細書に記載の任意のゴルフクラブヘッドのボディ部と充填材料との間の接着力の改善及び／又は層間剥離の軽減のために、結合部（不図示）によって本明細書に記載の任意のゴルフクラブヘッドに結合、連結及び／又は接続され得る。結合部は、結合剤、エポキシ樹脂、結合剤の組み合わせ、結合構造又は連結具、結合構造及び／又は連結具の組み合わせ、及び／又は、１つ以上の結合剤と１つ以上の結合構造及び／又は１つ以上の連結具との組み合わせであり得る。一例では、結合部は、ミシガン州、オーバーンヒルズ、Ｄｏｗ  Ｃｈｅｍｉｃａｌ  Ｃｏｍｐａｎｙ社製のＭＥＧＵＭTM、ＲＯＢＯＮＤTM、及び／又はＴＨＩＸＯＮTM材料などの低粘度有機溶剤型の溶液及び／又はポリマーと他の反応性化学物質の分散液であり得る。別の例では、結合部は、コネチカット州、ロッキーヒル、Ｈｅｎｋｅｌ  Ｃｏｒｐｏｒａｔｉｏｎ社製のＬＯＣＴＩＴＥ（登録商標）であり得る。本明細書に記載の装置、方法、及び製造物は、これに限定されない。
【０１６７】
図４１〜図４７の例では、ゴルフクラブヘッド４１００は、トップ部４１３０と、ボトム部４１４０と、トウ部４１５０と、ヒール部４１６０と、フロント部４１７０と、リア部４１８０とを持つボディ部４１１０を含み得る。ボトム部４１４０は、トップ部４１３０とボトム部４１４０との間に、フロント部４１７０を除き、トウ部４１５０からリア部４１８０を回ってヒール部４１６０に至るゴルフクラブヘッド４１００の周縁部を横断して延在する、ゴルフクラブヘッド４１００のサイド部として規定されたスカート部（不図示）を含み得る。ボトム部４１４０は、推移領域４２３０とウェイトポート領域４２４０とを含み得る。推移領域４２３０は、ボトム部４１４０の溝又はチャネルによって画定され得る。更に、推移領域４２３０は、ウェイトポート領域４２４０の境界を画定し得る。フロント部４１７０は、ゴルフボール（不図示）に当たるフェース部４１７５を含み得る。ボディ部４１１０はまた、本明細書に記載の任意のホーゼル部と多くの点で類似し得るホーゼル部４１６５を含み得る。あるいは、ボディ部４１１０は、ホーゼル部４１６５に代えてボア（不図示）を含み得る。ボディ部４１１０は、本明細書に記載の任意の材料から、部分的に又は完全に作製され得る。更に、ゴルフクラブヘッド４１００は、本明細書に記載の任意のゴルフクラブヘッドのクラブヘッド体積と同様なクラブヘッド体積を有する任意のタイプのゴルフクラブヘッドであり得る。本明細書に記載の装置、方法、及び製造物は、これに限定されない。
【０１６８】
ボディ部４１１０は、概ね第１セットのウェイト部４２１０（概ねウェイト部４４０５、４４１０、４４１５、４４２０、４４２５として示される）及び第２セットのウェイト部４２２０（概ねウェイト部４４４５、４４５０、４４５５、４４６０、４４６５として示される）として示される、複数のウェイト部４１２０（図４２）を含み得る。ウェイトポート領域４２４０は、本明細書に記載の任意のゴルフクラブヘッドのウェイトポート領域と同様の形状を有し得る。ウェイトポート領域４２４０は、複数のウェイト部４１２０を受けるように、複数のウェイトポート４６００（概ねウェイトポート４６０５、４６１０、４６１５、４６２０、４６２５、４６４５、４６５０、４６５５、４６６０、４６６５として示される）を含み得る。複数のウェイト部４１２０の各ウェイト部及び複数のウェイトポート４６００の各ウェイトポートの特性（例えば、密度、形状、体積、サイズ、色、寸法、深さ、直径、構成材料、質量、形成方法など）、ゴルフクラブヘッド上の位置（例えば、ゴルフクラブヘッドの周縁部に対する位置、及び／又は、ウェイト部及び／又はウェイトポートに対する位置）、及び／又は任意の他の特性は、本明細書に記載の任意のゴルフクラブヘッドの各ウェイト部及びウェイトポートのそれぞれと多くの点で類似し得る。本明細書に記載の装置、方法、及び製造物は、これに限定されない。
【０１６９】
ボトム部４１４０の外側面４１４２及び／又は内側面４１４４は、本明細書に記載に任意の外側部又は内側部と同様な１つ又は複数の支持部を含み得る。外側面４１４２は、少なくとも１つの外側支持部４３１０を含み得る。外側支持部４３１０は、その機能を含めて、ゴルフクラブヘッド２３００の外側支持部３１１０と多くの点で類似し得る。本明細書に記載の装置、方法、及び製造物は、これに限定されない。
【０１７０】
内側面４１４４は、本明細書では内側壁部４３２０とも称され得る、内側支持部４３２０を含み得る。内側支持部４３２０は、壁、リブ、及び／又はボトム部４１４０の内側面４１４４からの任意の突出部を含み得る。内側支持部４３２０は、ウェイトポート４６００を部分的に又は完全に囲むように、ウェイトポート４６００の幾つか又は全ての周囲に延在し得る。図４１〜図４７の例では、内側支持部４３２０は、ウェイトポート４６００を完全に取り囲んでいる。従って、内側支持部４３２０は、ボトム部４１４０の内側面４１４４の内側ポート領域４３２５を画定し得る。内側支持部４３２０は、ゴルフクラブヘッド４１００がゴルフボール（不図示）を打つときに、ボトム部４１４０に与えられる衝撃荷重をボトム部４１４０に分散させることによって、ボトム部４１４０を構造的に支持することができる。上記の例は特定の内側支持部を示しているが、ボトム部４１４０は、追加の内側支持部及び／又は任意のタイプの支持部（不図示）を含み得る。本明細書に記載の装置、方法、及び製造物は、これに限定されない。
【０１７１】
内側支持部４３２０の幅（すなわち、厚さ）、長さ、高さ、配向角度、及び／又は断面構造は、同様でもよく、内側支持部４３２０の長さに沿って変化してもよく、ゴルフクラブヘッド４１００の構造的支持を提供するように構成されてもよい。例えば、ボディ部４１１０及び／又はボトム部４１４０を構成する材料を含むボディ部４１１０及び／又はボトム部４１４０の特性は、内側支持部４３２０の長さに沿って内側支持部４３２０の幅、長さ、高さ、配向角度、及び／又は断面形状を決定し得る。一例では、内側支持部４３２０は、ウェイト部４６００の深さと同様の高さを有する壁によって画定され得る。別の例では、内側支持部４３２０は、ウェイト部４６００の深さより大きい高さを有する壁によって画定され得る。更に別の例では、内側支持部４３２０は、ウェイト部４６００の深さより小さい高さを有する壁によって画定され得る。本明細書に記載の装置、方法、及び製造物は、これに限定されない。
【０１７２】
図４５に示す一例では、ゴルフクラブヘッド４１００のボディ部４１１０の内部の特定の領域は、本明細書では充填材料４５１０とも称され得る、弾性ポリマー材料又はエラストマー材料を含み得る。充填材料４５１０は、ゴルフボール（不図示）を打つときのゴルフクラブヘッド４１００の振動を減衰し、ノイズを減衰し、重心を下げ、及び／又は良好な感触及び音を提供し得る。一例によれば、ボトム部４１４０の内側面４１４４と内側支持部４３２０によって画定され得る内側ポート領域４３２５は、充填材料４５１０を部分的に又は完全に含み得る。充填材料４５１０は、ボトム部４１４０の内側面４１４４から内側支持部４３２０の高さまで延在し得る。しかしながら、充填材料４５１０は、内側支持部４３２０より下側又は上側まで延在してもよい。従って、内側支持部４３２０の高さがウェイトポート４６００の深さ以上の場合、ウェイトポート４６００は、それぞれ、ゴルフボール（不図示）を打つときのゴルフクラブヘッド４１００の振動を減衰し、ノイズを減衰し、及び／又は良好な感触及び音を提供する充填材料４５１０によって、取り囲まれ及び／又はカバーされる。本明細書に記載の装置、方法、及び製造物は、これに限定されない。
【０１７３】
内側ポート領域４３２５内の充填材料４５１０の高さ又は厚さは、一定でもよく、変化してもよい。一例では、充填材料４５１０の厚さは、内側ポート領域４３２５の中央部の周りの方が、内側ポート領域４３２５の１つ以上の外周部より厚くてもよい。別の例では、充填材料４５１０の厚さは、内側ポート領域４３２５の中央部の周りの方が、内側ポート領域４３２５の１つ以上の外周部より薄くてもよい。更に別の例では、充填材料４５１０の厚さは、ウェイトポート４６００又はその周囲の方が、内側ポート領域４３２５の他の場所より厚くてもよい。一例では、内側ポート領域４３２５の全体は、充填材料４５１０で充填され得る。別の例では、内側ポート領域４３２５の一部のみが、充填材料４５１０で充填され得る。従って、一部のウェイトポート４６００は、部分的に又は完全に充填材料４５１０で取り囲まれ及び／又はカバーされなくてもよい。本明細書に記載の装置、方法、及び製造物は、これに限定されない。
【０１７４】
ゴルフクラブヘッド４１００を含む、本明細書に記載のゴルフクラブヘッドはいずれも、本明細書に記載の充填材料を含み得る１つ以上の内部領域を有し得る。一例では、充填材料４５１０は、ウェイトポート４６００の１つ以上からボディ部４１１０の内部ポート領域４３２５に注入され得る。図４１〜図４７の例では、ウェイトポート４６１５、４６５５の各々は、内部ポート領域４３２５又はボディ部４１１０の内部に、それぞれ、開口部４６１６、４６５６を含み得る。従って、開口部４６１６、４６５６を使用して、内部ポート領域４３２５に充填材料４５１０を注入することができる。一例では、開口部４６１６又は４６５６の１つが、内部ポート領域４３２５に充填材料４５１０を注入するために使用され得る一方で、開口部４６１６、４６５６の他方が、ボディ部４１１０に注入された充填材料によって置換された空気を排出するために使用され得る。内側支持部４３２０は、ボディ部４１１０に充填材料４５１０が注入されるときに、充填材料４５１０の境界又は外周保持を提供し得る。充填材料４５１０は、充填材料４５１０の高さが内側支持部４３２０の高さと同様か、実質的に同様か、又はそれ以上になるまで、内側ポート領域４３２０に注入され得る。従って、充填材料は、内側ポート領域４３２５の形状に成形され得る。あるいは、内側ポート領域４３２０は、充填材料４５１０で部分的に充填され得る。本明細書に記載の装置、方法、及び製造物は、これに限定されない。
【０１７５】
あるいは、１つ以上の挿入物は、弾性ポリマー材料又はエラストマー材料（例えば、充填材料）から形成されて、ゴルフクラブヘッドの内部の１つ以上の領域に配置され得る。図４６は、弾性ポリマー材料又はエラストマー材料から構成され得る挿入物４７５０を有する図４１のゴルフクラブヘッド４１００の例を示している。挿入物４７５０は、内部ポート領域４３２５の形状と同様な形状を有するように製造され得る。従って、挿入物４７５０は、概ね平坦でボトム部４１４０の内側面４１４４に接触して配置されるように、内部ポート領域４３２５でのボトム部４１４０の曲率と同様の曲率を有し得る。挿入物４７５０は、内部ポート領域４３２５に挿入されて内部ポート領域４３２５内に概ねフィットするように、内部ポート領域４３２５の形状と同様の形状であり得る。更に、挿入物４７５０は、内側支持部４３２０に取り囲まれ及び／又は接触し得る。内側支持部４３２０は、内部ポート領域４３２５に挿入物を維持することを支援するように、又は内部ポート領域４３２５に挿入物を維持するように、挿入物４７５０の外周の全部又は一部と係合し得る。挿入物４７５０は、ウェイトポート４６００の各々の側壁部の形状及び／又は輪郭に概ねマッチするように、複数の切欠き部４７５６を有し得る。従って、挿入物４７５０を内部ポート領域４３２５に配置した場合に、複数のウェイトポート４６００の各ポートは、対応する切欠き部４７５６に受け入れられる。本明細書に記載の装置、方法、及び製造物は、これに限定されない。
【０１７６】
挿入物４７５０は、任意のウェイトポート４６００の高さと同様、又は実質的に同様な厚さを有し得る。従って、挿入物４７５０が内部ポート領域４３２５に入れた場合に、ウェイトポート４６００又はその近傍の挿入物４７５０のトップ部は、ウェイトポート４６００と同じ高さ、又は実質的に同じ高さとなり得る。しかしながら、挿入物４７５０の厚さは、挿入物４７５０の任意の位置での挿入物４７５０の厚さが任意のウェイトポート４６００の高さより大きく又は小さくなるように変化してもよい。挿入物４７５０は、ゴルフボール（不図示）を打つときのゴルフクラブヘッド４１００の振動を減衰し、ノイズを減衰し、重心を下げ、及び／又は良好な感触及び音を提供し得る。本明細書に記載の装置、方法、及び製造物は、これに限定されない。
【０１７７】
本明細書に記載の挿入物はいずれも、一体的な連続部品として弾性ポリマー材料から製造され得る。挿入物４７５０は、任意の凹部及び／又は穴部がない一体的な連続部品であり得る。図４７に示す例によれば、挿入物４７５０は、挿入物４７５０の重量を減らせる複数の穴部４７６２を含み得る。挿入物４７５０は、挿入物４７５０に任意の構成で配置された任意の数の穴部を含み得る。図４７の例では、挿入物４７５０は、挿入物４７５０の厚さを貫通すると共にハニカムパターンと同様なパターンを画定するように挿入物４７５０に配置された複数の六角形穴部４７６２を含む。穴部４７６２は、任意の形状又は間隔を有し得る。上記の例は、特定の形状を有する穴部を説明したが、本明細書に記載の装置、方法、及び製造物は、他の適切な形状（例えば、円形、三角形、八角形、又は他の適切な幾何学形状）の穴部を含み得る。更に、開口部は、形状、サイズ、及び／又は挿入物４７５０上の配置が類似してもよく、異なってもよい。一例では、挿入物４７５０は、複数の丸穴部（不図示）を含み得る。別の例では、挿入物４７５０は、複数のスロット、溝、及び／又はスリット（不図示）を含み得る。更に別の例では、挿入物４７５０は、挿入物４７５０を貫通しない凹部（不図示）を含み得る。本明細書に記載の装置、方法、及び製造物は、これに限定されない。
【０１７８】
充填材料４５１０及び／又は挿入物４７５０は、本明細書に記載の任意の材料で製造され得る。充填材料４５１０又は挿入物４７５０は、ゴルフクラブヘッド４１００のボディ部４１１０と充填材料４５１０又は挿入物４７５０との間の接着力の改善及び／又は層間剥離の軽減のために、結合部（不図示）によってボディ部４１１０に結合、連結及び／又は接続され得る。更に、本明細書に記載のように、内側支持部４３２０は、内側ポート領域４３２５に挿入物４７５０を部分的に又は完全に維持するように、挿入物４７５０と係合し得る。一例では、挿入物４７５０は、挿入物４７５０は、内側支持部４３２０の摩擦係合によって、及び／又は挿入物４７５０を内側支持部４３２０及び／又はボトム部４１４０の内側面４１４４に結合する結合部によって、内部ポート領域４３２５に維持され得る。結合部は、結合剤、エポキシ樹脂、結合剤の組み合わせ、結合構造又は連結具、結合構造及び／又は連結具の組み合わせ、及び／又は、１つ以上の結合剤と１つ以上の結合構造及び／又は１つ以上の連結具との組み合わせなどの、本明細書に記載の任意の結合部であり得る。本明細書に記載の装置、方法、及び製造物は、これに限定されない。
【０１７９】
図４８〜図５５の例では、ゴルフクラブヘッド４８００は、クラウン部４８３５を持つトップ部４８３０と、ボトム部４８４０と、トウ部４８５０と、ヒール部４８６０と、フロント部４８７０と、リア部４８８０とを有するボディ部４８１０を含み得る。ボトム部４８４０は、トップ部４８３０とボトム部４８４０との間に、フロント部４８７０を除き、トウ部４８５０からリア部４８８０を回ってヒール部４８６０に至るゴルフクラブヘッド４８００の周縁部を横断して延在する、ゴルフクラブヘッド４８００のサイド部として規定されたスカート部（不図示）を含み得る。フロント部４８７０は、ゴルフボール（不図示）に当たるフェース部４８７５を含み得る。ボディ部４８１０はまた、本明細書に記載の任意のホーゼル部と多くの点で類似し得るホーゼル部４８６５を含み得る。あるいは、ボディ部４８１０は、ホーゼル部４８６５に代えてボア（不図示）を含み得る。ボディ部４８１０は、本明細書に記載の任意の材料から、部分的に又は完全に作製され得る。更に、ゴルフクラブヘッド４８００は、本明細書に記載の任意のゴルフクラブヘッドのクラブヘッド体積と同様なクラブヘッド体積を有する任意のタイプのゴルフクラブヘッドであり得る。本明細書に記載の装置、方法、及び製造物は、これに限定されない。
【０１８０】
クラウン部４８３５は、トップ部４８３０に取り付けられ得る、別個に形成された部品であり得る。クラウン部４８３５は、ボディ部４８１０とは異なる１つ以上の材料から構成され得る。一例（不図示）では、クラウン部４８３５は、グラファイト系複合材料などの複合材料から少なくとも部分的に構成され得る。別の例（不図示）では、クラウン部４８３５は、グラファイトエポキシ複合材料などの複合材料から構成された２つの外側層と、弾性ポリマー材料から構成された内側層とを含み得る。本明細書に記載の装置、方法、及び製造物は、これに限定されない。
【０１８１】
ボトム部４８４０は、例えば、第１のウェイトポート領域４９１０、第２のウェイトポート領域４９２０、及び第３のウェイトポート領域４９３０として示される、複数のウェイトポート領域を含み得る。第１のウェイトポート領域４９１０は、ヒール部４８６０の近傍に、又はトウ部４８５０よりヒール部４８６０の近くにあってもよく、第１セットのウェイトポート４９１１（概ねウェイトポート４９１２、４９１４、４９１６として示される）を含んでもよい。第２のウェイトポート領域４９２０は、フロント部４８７０の近傍に、又はリア部４８８０よりフロント部４８７０の近くにあってもよく、第２セットのウェイトポート４９２１（概ねウェイトポート４９２２、４９２４、４９２６として示される）を含んでもよい。第３のウェイトポート領域４９３０は、リア部４８８０の近傍に、又はフロント部４８７０よりリア部４８８０の近くにあってもよく、第３セットのウェイトポート４９３１（概ねウェイトポート４９３２、４９３４、４９３６として示される）を含んでもよい。ボトム部は、各ウェイトポート領域が任意の数のウェイトポートを含む、３つより多いウェイトポート領域又は３つより少ないウェイトポート領域を含み得る。ボディ部４８１０は、第１セットのウェイト部４９６０（概ねウェイト部４９６２、４９６４、４９６６として示される）と、第２セットのウェイト部４９７０（概ねウェイト部４９７２、４９７４、４９７６として示される）と、第３セットのウェイト部４９８０（概ねウェイト部４９８２、４９８４、４９８６として示される）として示される、複数のウェイト部を含み得る。各ウェイトポートは、本明細書に記載の任意のゴルフクラブヘッドと同様のウェイト部を受けることができる。一例では、１つ以上のウェイトポートは、ウェイト部を含まなくてもよい。複数のウェイト部の各ウェイト部及び複数のウェイトポートの各ウェイトポートの特性（例えば、密度、形状、体積、サイズ、色、寸法、深さ、直径、構成材料、質量、形成方法など）、及び／又は任意の他の特性は、本明細書に記載の任意のゴルフクラブヘッドの各ウェイト部及びウェイトポートのそれぞれと多くの点で類似し得る。一例では、図４８〜図５５のゴルフクラブヘッドのウェイトポート及びウェイト部は、それぞれ、本明細書に記載のウェイトポート及び／又はウェイト部のいずれよりも大きい寸法（すなわち、長さ、幅、直径、深さなど）を有し得る。本明細書に記載の装置、方法、及び製造物は、これに限定されない。
【０１８２】
第１セットのウェイト部４９６０、第２セットのウェイト部４９７０、及び／又は第３セットのウェイト部４９８０は、類似又は異なる質量を有し得る。一例では、第１セットのウェイト部４９６０の全体の質量は、第２セットのウェイト部４９７０及び／又は第３セットのウェイト部４９８０の全体の質量より大きくてもよい。別の例では、第２セットのウェイト部４９７０の全体の質量は、第１セットのウェイト部４９６０及び／又は第３セットのウェイト部４９８０の全体の質量より大きくてもよい。更に別の例では、第３セットのウェイト部４９８０の全体の質量は、第２セットのウェイト部４９７０及び／又は第１セットのウェイト部４９６０の全体の質量より大きくてもよい。第１セットのウェイト部４９６０、第２セットのウェイト部４９７０、及び／又は第３セットのウェイト部４９８０の各々におけるウェイト部の各質量は、類似してもよく、異なってもよい。従って、ウェイトポート領域４９１０、４９２０、及び／又は４９３０の各々において類似又は異なる質量を有するウェイト部を使用することによって、各ウェイトポート領域における全体の質量及び／又は各ウェイトポート領域における質量分布を調整し、ゴルフクラブヘッド４８００を使用する人のためにゴルフクラブヘッドのスイングウェイト、重心、慣性モーメント、及び／又は全体的な感触を概ね最適化及び／又は調整することができる。本明細書に記載の装置、方法、及び製造物は、これに限定されない。
【０１８３】
ボトム部４８４０の外側面４８４２及び／又は内側面４８４４は、本明細書に記載の任意の内側支持部及び外側支持部と同様の１つ以上の内側支持部（不図示）及び／又は１つ以上の外側支持部（不図示）を含み得る。本明細書に記載の装置、方法、及び製造物は、これに限定されない。
【０１８４】
ボディ部４８１０の内部の特定の領域は、本明細書に記載の任意のゴルフクラブヘッドと同様の弾性ポリマー材料又はエラストマー材料を含み得る。充填材料は、ゴルフボール（不図示）を打つときのゴルフクラブヘッド４８００の振動を減衰し、ノイズを減衰し、重心を下げ、及び／又は良好な感触及び音を提供し得る。ゴルフクラブヘッド４８００は、本明細書に記載の充填材料を含み得る１つ以上の内部領域を有し得る。一例では、充填材料は、本明細書に記載されるように、１つ以上のウェイトポートからボディ部４８１０に注入され得る。図４８〜図５５の例では、ウェイトポート４９２４、４９３４の各々は、ボディ部４８１０の内部への開口部４９２５、４９３５をそれぞれ含み得る。従って、開口部４９２５及び／又は４９３５を使用して、ボディ部４８１０に充填材料を注入することができる。一例では、開口部４９２５又は４９３５の１つが、ボディ部４８１０に充填材料を注入するために使用され得る一方で、開口部４９２５又は４９３５の他方が、それぞれ、ボディ部４８１０に注入された充填材料によって置換された空気を排出するために使用され得る。充填材料は、充填材料の高さが第１セットのウェイトポート４９１１、第２セットのウェイトポート４９２１、及び／又は第３セットのウェイトポート４９３１の１つ以上のウェイトポートの高さと同様か、実質的に同様か、又はそれ以上になるまで、ボディ部４８１０に注入され得る。従って、充填材料は、ボトム部４８４０の１つ以上の部分又はボトム部４８４０の全体の形状に成形され得る。本明細書に記載の装置、方法、及び製造物は、これに限定されない。
【０１８５】
あるいは、１つ以上の挿入物は、弾性ポリマー材料又はエラストマー材料（例えば、充填材料）から形成されて、ゴルフクラブヘッド４８００の内部の１つ以上の領域に配置され得る。図５２〜図５５は、弾性ポリマー材料又はエラストマー材料から構成され得る挿入物５４５０を有する図４８のゴルフクラブヘッド４８００の例を示している。挿入物５４５０は、ボトム部４８４０の内側面４８４４の全体又は一部の形状と同様の形状を有するように製造され得る。従って、図５５に示すように、挿入物５４５０は、概ね平坦でボトム部４８４０の内側面４８４４に接触して配置されるように、ボトム部４８４０の曲率と同様の曲率を有し得る。挿入物５４５０は、ボディ部４８１０の内側面４８４４の任意の内側支持部（不図示）に、部分的に及び／又は完全に取り囲まれてもよく、及び／又は接触してもよい。挿入物５４５０は、第１セットのウェイトポート４９１１、第２セットのウェイトポート４９２１、及び／又は第３セットのウェイトポート４９３１の各ウェイトポートの側壁部の形状及び／又は輪郭に概ねマッチするように、複数の切欠き部５４５６を有し得る。従って、挿入物５４５０をボトム部４８４０の内側面４８４４に配置した場合に、複数のウェイトポートの各ポートは、対応する切欠き部５４５６に受け入れられる。対応する切欠き部５４５６を通って延びる各ウェイトポートは、ボトム部４８４０の内側面４８４４における挿入物５４５０の位置の維持を支援し得る。本明細書に記載の装置、方法、及び製造物は、これに限定されない。
【０１８６】
挿入物５４５０は、ボトム部４８４０の内側面４８４４を部分的にカバー、及び／又は完全にカバーし得る。図５２〜図５５の例では、挿入物５４５０は、フロント部４８７０からリア部４８８０まで、及び、ヒール部４８６０又はその近傍の位置からトウ部４８５０の近傍のボトム部４８４０の内側面４８４４の位置まで延在する。一例では、挿入物５４５０は、トウ部４８５０まで延在しなくてもよい。別の例（不図示）では、挿入物５４５０は、トウ部４８５０まで延在してもよい。挿入物５４５０がボトム部４８４０にあり得る全てのウェイトポートを取り囲み及び／又は接触するように、挿入物５４５０はボトム部４８４０の内側面４８４４の任意の部分をカバーし得る。例えば、図５２に示すように、挿入物５４５０は、ヒール部４８６０からウェイトポート４９２２、４９３６を通過するまで延在し、第１セットのウェイトポート４９１１、第２セットのウェイトポート４９２１、及び／又は第３セットのウェイトポート４９３１の全てのウェイトポートを取り囲み及び／又は接触する。従って、挿入物５４５０は、ゴルフボール（不図示）を打つときに、第１セットのウェイトポート４９１１、第２セットのウェイトポート４９２１、及び／又は第３セットのウェイトポート４９３１の各ウェイトポート又はその周囲での振動を減衰及び／又はノイズを減衰して、ゴルフクラブヘッド４８００の良好な感触及び音を提供し得る。本明細書に記載の装置、方法、及び製造物は、これに限定されない。
【０１８７】
挿入物５４５０は、第１セットのウェイトポート４９１１、第２セットのウェイトポート４９２１、及び／又は第３セットのウェイトポート４９３１のいずれかのウェイトポートの高さと同様又は実質的に同様の厚さを有し得る。従って、挿入物５４５０がボトム部４８４０の内側面４８４４と接触している場合、第１セットのウェイトポート４９１１、第２セットのウェイトポート４９２１、及び／又は第３セットのウェイトポート４９３１のウェイトポート又はその近傍での挿入物５４５０のトップ部は、第１セットのウェイトポート４９１１、第２セットのウェイトポート４９２１、及び／又は第３セットのウェイトポート４９３１のウェイトポートの高さと同じ又は実質的に同じであり得る。しかしながら、挿入物５４５０の任意の位置での挿入物５４５０の厚さが第１セットのウェイトポート４９１１、第２セットのウェイトポート４９２１、及び／又は第３セットのウェイトポート４９３１のいずれかのウェイトポートの高さより大きく又は小さくなるように、挿入物５４５０の厚さは変化し得る。挿入物５４５０は、ゴルフボール（不図示）を打つときのゴルフクラブヘッド４８００の振動を減衰し、ノイズを減衰し、重心を下げ、及び／又は良好な感触及び音を提供し得る。本明細書に記載の装置、方法、及び製造物は、これに限定されない。
【０１８８】
本明細書に記載の挿入物はいずれも、一体的な連続部品として弾性ポリマー材料から製造され得る。
挿入物５４５０は、凹部及び／又は穴部がない一体的な連続部品であり得る。図５２〜図５５に示す例によれば、挿入物５４５０は、挿入物５４５０の重量を減らせる複数の穴部５４６２を含み得る。挿入物５４５０は、挿入物５４５０に任意の構成で配置された任意の数の穴部５４６２を含み得る。挿入物５４５０は、挿入物５４５０の厚さを貫通すると共にハニカムパターンと同様なパターンを画定するように挿入物５４５０に配置された複数の六角形穴部５４６２を含む。穴部５４６２は、任意の形状又は間隔を有し得る。上記の例は、特定の形状を有する穴部を説明したが、本明細書に記載の装置、方法、及び製造物は、他の適切な形状（例えば、円形、三角形、八角形、又は他の適切な幾何学形状）の穴部を含み得る。更に、開口部は、形状、サイズ、及び／又は挿入物５４５０上の配置が類似してもよく、異なってもよい。一例では、挿入物５４５０は、複数の丸穴部（不図示）を含み得る。別の例では、挿入物５４５０は、複数のスロット、溝、及び／又はスリット（不図示）を含み得る。更に別の例では、挿入物５４５０は、穴部に代えて挿入物５４５０を貫通しない凹部（不図示）を含み得る。本明細書に記載の装置、方法、及び製造物は、これに限定されない。
【０１８９】
充填材料及び／又は挿入物５４５０は、本明細書に記載の任意の材料で製造され得る。充填材料又は挿入物５４５０は、ゴルフクラブヘッド４８００のボディ部４８１０と充填材料又は挿入物５４５０との間の接着力の改善及び／又は層間剥離の軽減のために、結合部（不図示）によってボディ部４８１０に結合、連結及び／又は接続され得る。結合部は、結合剤、エポキシ樹脂、結合剤の組み合わせ、結合構造又は連結具、結合構造及び／又は連結具の組み合わせ、及び／又は、１つ以上の結合剤と１つ以上の結合構造及び／又は１つ以上の連結具との組み合わせなどの、本明細書に記載の任意の結合部であり得る。更に、１つ以上の内側支持部（不図示）は、本明細書に記載の任意のゴルフクラブヘッドと同様に、挿入物５４５０の位置を部分的に又は完全に維持するように、挿入物５４５０と係合し得る。本明細書に記載の装置、方法、及び製造物は、これに限定されない。
【０１９０】
図５６〜図６１の例では、ゴルフクラブヘッド５６００は、クラウン部５６３５を持つトップ部５６３０と、ボトム部５６４０と、トウ部５６５０と、ヒール部５６６０と、フロント部５６７０と、リア部５６８０とを有するボディ部５６１０を含み得る。ボトム部５６４０は、トップ部５６３０とボトム部５６４０との間に、フロント部５６７０を除き、トウ部５６５０からリア部５６８０を回ってヒール部５６６０に至るゴルフクラブヘッド５６００の周縁部を横断して延在する、ゴルフクラブヘッド５６００のサイド部として規定されたスカート部（不図示）を含み得る。フロント部５６７０は、ゴルフボール（不図示）に当たるフェース部５６７５を含み得る。ボディ部５６１０はまた、本明細書に記載の任意のホーゼル部と多くの点で類似し得るホーゼル部５６６５を含み得る。あるいは、ボディ部５６１０は、ホーゼル部５６６５に代えてボア（不図示）を含み得る。ボディ部５６１０は、本明細書に記載の任意の材料から、部分的に又は完全に作製され得る。更に、ゴルフクラブヘッド５６００は、本明細書に記載の任意のゴルフクラブヘッドのクラブヘッド体積と同様なクラブヘッド体積を有する任意のタイプのゴルフクラブヘッドであり得る。本明細書に記載の装置、方法、及び製造物は、これに限定されない。
【０１９１】
クラウン部５６３５は、トップ部５６３０に取り付けられ得る別個の部品であり得る。クラウン部５６３５は、ボディ部５６１０とは異なる１つ以上の材料から構成され得る。一例（不図示）では、クラウン部５６３５は、グラファイト系複合材料などの複合材料から少なくとも部分的に構成され得る。別の例（不図示）では、クラウン部５６３５は、グラファイトエポキシ複合材料などの複合材料から構成された２つの外側層と、弾性ポリマー材料から構成された内側層とを含み得る。本明細書に記載の装置、方法、及び製造物は、これに限定されない。
【０１９２】
ボトム部５６４０は、例えば、第１のウェイトポート領域５７１０、第２のウェイトポート領域５７２０、及び第３のウェイトポート領域５７３０として示される、複数のウェイトポート領域を含み得る。第１のウェイトポート領域５７１０は、リア部５６８０の近傍に、又はフロント部５６７０よりリア部５６８０の近くにあってもよく、第１セットのウェイトポート５７１１（概ねウェイトポート５７１２、５７１４、５７１６として示される）を含んでもよい。第２のウェイトポート領域５７２０は、トウ部５６５０の近傍に、又はヒール部５６６０よりトウ部５６５０の近くにあってもよく、第３セットのウェイトポート５７３１（概ねウェイトポート５７３２、５７３４、５７３６として示される）を含んでもよい。
【０１９３】
第１のウェイトポート領域５７１０は、リア部５６８０又はその近傍でのボディ部５６１０の周縁部から１．２５インチ、１．０インチ、０．７５インチ、又は０．５インチ以下に完全に配置され得る。第２のウェイトポート領域５７２０は、トウ部５６５０又はその近傍でのボディ部５６１０の周縁部から１．２５インチ、１．０インチ、０．７５インチ、又は０．５インチ以下に完全に配置され得る。第３のウェイトポート領域５７３０は、フェース部５６７５又はその近傍でのボディ部５６１０の周縁部から１．２５インチ、１．０インチ、０．７５インチ、又は０．５インチ以下に完全に配置され得る。
【０１９４】
第１のウェイトポート領域５７１０は、リア部５６８０又はその近傍でのボディ部５６１０の周縁部から１．２５インチ、１．０インチ、０．７５インチ、又は０．５インチ以下に部分的に配置され得る。第２のウェイトポート領域５７２０は、トウ部５６５０又はその近傍でのボディ部５６１０の周縁部から１．２５インチ、１．０インチ、０．７５インチ、又は０．５インチ以下に部分的に配置され得る。第３のウェイトポート領域５７３０は、フェース部５６７５又はその近傍でのボディ部５６１０の周縁部から１．２５インチ、１．０インチ、０．７５インチ、又は０．５インチ以下に部分的に配置され得る。
【０１９５】
ボトム部５６４０は、各ウェイトポート領域が任意の数のウェイトポートを含む、３つより多いウェイトポート領域又は３つより少ないウェイトポート領域を含み得る。ボディ部５６１０は、第１セットのウェイト部５７６０（概ねウェイト部５７６２、５７６４、５７６６として示される）と、第２セットのウェイト部５７７０（概ねウェイト部５７７２、５７７４、５７７６として示される）と、第３セットのウェイト部５７８０（概ねウェイト部５７８２、５７８４、５７８６として示される）として示される、複数のウェイト部を含み得る。各ウェイトポートは、本明細書に記載の任意のゴルフクラブヘッドと同様のウェイト部を受けることができる。一例では、１つ以上のウェイトポートは、ウェイト部を含まなくてもよい。複数のウェイト部の各ウェイト部及び複数のウェイトポートの各ウェイトポートの特性（例えば、密度、形状、体積、サイズ、色、寸法、深さ、直径、構成材料、質量、形成方法など）、及び／又は任意の他の特性は、本明細書に記載の任意のゴルフクラブヘッドの各ウェイト部及びウェイトポートのそれぞれと多くの点で類似し得る。一例では、図５６〜図６１のゴルフクラブヘッドのウェイトポート及びウェイト部は、それぞれ、本明細書に記載のウェイトポート及び／又はウェイト部のいずれよりも大きい寸法（すなわち、長さ、幅、直径、深さなど）を有し得る。本明細書に記載の装置、方法、及び製造物は、これに限定されない。
【０１９６】
第１セットのウェイト部５７６０、第２セットのウェイト部５７７０、及び／又は第３セットのウェイト部５７８０は、類似又は異なる質量を有し得る。一例では、第１セットのウェイト部５７６０の全体の質量は、第２セットのウェイト部５７７０及び／又は第３セットのウェイト部５７８０の全体の質量より大きくてもよい。別の例では、第２セットのウェイト部５７７０の全体の質量は、第１セットのウェイト部５７６０及び／又は第３セットのウェイト部５７８０の全体の質量より大きくてもよい。更に別の例では、第３セットのウェイト部５７８０の全体の質量は、第２セットのウェイト部５７７０及び／又は第１セットのウェイト部５７６０の全体の質量より大きくてもよい。第１セットのウェイト部５７６０、第２セットのウェイト部５７７０、及び／又は第３セットのウェイト部５７８０の各々におけるウェイト部の各質量は、類似してもよく、異なってもよい。従って、ウェイトポート領域５７１０、５７２０、及び／又は５７３０の各々において類似又は異なる質量を有するウェイト部を使用することによって、各ウェイトポート領域における全体の質量及び／又は各ウェイトポート領域における質量分布を調整し、ゴルフクラブヘッド５６００を使用する人のためにゴルフクラブヘッドのスイングウェイト、重心、慣性モーメント、及び／又は全体的な感触を概ね最適化及び／又は調整することができる。本明細書に記載の装置、方法、及び製造物は、これに限定されない。
【０１９７】
後方垂直面５７８１は、ゴルフクラブヘッド５６００のリア部５６８０の後方境界を画定し得る。前方垂直面５７７１は、ゴルフクラブヘッド５６００のフロント部５６７０の前方境界を画定し得る。後方垂直面５７８１は、前方垂直面に実質的に平行で、それからオフセットされ得る。
【０１９８】
第１セットのウェイト部５７６０（概ねウェイト部５７６２、５７６４、５７６６として示される）の１つ以上のウェイト部は、第２セットのウェイト部５７７０（概ねウェイト部５７７２、５７７４、５７７６として示される）の１つ以上のウェイト部に揃えられ、それからオフセットされ得る。第１セットのウェイト部の第１のウェイト部は、第２セットのウェイト部の第１のウェイト部に揃えられ、それからオフセットされ得る。第１セットのウェイト部の第２のウェイト部は、第２セットのウェイト部の第２のウェイト部に揃えられ、それからオフセットされ得る。第１セットのウェイト部の第３のウェイト部は、第２セットのウェイト部の第３のウェイト部に揃えられ、それからオフセットされ得る。
【０１９９】
ゴルフクラブヘッド５６００のボトム部５６４０の中心部５７０５は、前方垂直面５７７１と後方垂直面５７８１の間で等距離に位置する点として規定され得る。中心部５７０５は、ゴルフクラブヘッド５６００のフェース部５６７５の中心部と交差する中央垂直面５７０２に配置されてもよく、中央垂直面５７０２は、前方垂直面５７７１及び後方垂直面５７８１に直交する。中心部５７０５は、ボトム部５６４０の外側面５６４２に配置され得る。
【０２００】
第１セットのウェイト部５７６０のウェイト部５７６２は、中央垂直面５７０２の近傍で第１のウェイトポート領域５７１０内に配置され得る。第３セットのウェイト部５７８０のウェイト部５７８４は、中央垂直面５７０２の近傍で第３のウェイトポート領域５７３０内に配置され得る。
【０２０１】
第１セットのウェイトポート５７１１のウェイトポートは、中央垂直面５７０２の近傍で第１のウェイトポート領域５７１０内に配置され得る。第３セットのウェイトポート５７３１のウェイトポート５７３４は、中央垂直面５７０２の近傍で第３のウェイトポート領域５７３０内に配置され得る。
【０２０２】
ヒール側垂直面５７０１は、中央垂直面５７０２に平行で、それからオフセットされ得る。ヒール側垂直面５７０１は、中央垂直面５７０２から約０．２５〜０．５５インチ、又は０．３５〜０．７５インチだけオフセットされ得る。第１セットのウェイト部５７６０のウェイト部５７６２は、ヒール側垂直面５７０１に沿って第１のウェイトポート領域５７１０内に配置され得る。第３セットのウェイト部５７８０のウェイト部５７８２は、ヒール側垂直面５７０１に沿って第３のウェイトポート領域５７３０内に配置され得る。
【０２０３】
トウ側垂直面５７０３は、中央垂直面５７０２に平行で、それからオフセットされ得る。トウ側垂直面５７０３は、中央垂直面５７０２から約０．２５〜０．５５インチ、又は０．３５〜０．７５インチだけオフセットされ得る。第１セットのウェイト部５７６０のウェイト部５７６６は、トウ側垂直面５７０３に沿って第１のウェイトポート領域５７１０内に配置され得る。第３セットのウェイト部５７８０のウェイト部５７８６は、トウ側垂直面５７０３に沿って第３のウェイトポート領域５７３０内に配置され得る。
【０２０４】
第２セットのウェイト部５７７０を含む第２のウェイトポート領域５７２０は、図５７に示すように、ゴルフクラブヘッド５６００の中心部５７０５と交差する境界線（５７０８、５７０９）の間の角度５７０６によって画定されるボトム領域に配置され得る。角度５７０６は、約２０〜３５度、３０〜４５度、４０〜５５度、又は５０〜６５度であり得る。第２セットのウェイト部５７７０は、ゴルフクラブヘッド５６００の重心を中央垂直面５７０２のトウ側に配置して、ゴルフクラブヘッドをフェード方向に偏らせる。
【０２０５】
第２セットのウェイト部５７７０の１つ以上のウェイト部（例えば、５７７２、５７７４、５７７６）は、図５７に示すように、ボトム部５６４０の中心部から外向きに延びる半径（ｒ）によって画定される弧５７０８に沿って配置され得る。半径（ｒ）は、約１．２５〜２．５インチ、１．２５〜１．５インチ、１．４〜１．７インチ、１．６〜１．８５インチ、１．７５〜１．９５インチ、１．８〜２．０５インチ、２．０〜２．２５インチ、２．１〜２．３５インチ、又は２．２〜２．５インチの長さを有し得る。
【０２０６】
ボトム部５６４０の外側面５６４２及び／又は内側面５６４４は、本明細書に記載の任意の内側支持部及び外側支持部と同様な１つ以上の内側支持部（不図示）及び／又は１つ以上の外側支持部（不図示）を含み得る。本明細書に記載の装置、方法、及び製造物は、これに限定されない。
【０２０７】
図６２〜図７５の例では、ゴルフクラブヘッド６２００は、トップ部６２３０と、クラウン部６２３５と、ボトム部６２４０と、トウ部６２５０と、ヒール部６２６０と、フロント部６２７０と、リア部６２８０とを有するボディ部６２１０を含み得る。ボトム部６２４０は、トップ部６２３０とボトム部６２４０との間に、フロント部６２７０を除き、トウ部６２５０からリア部６２８０を回ってヒール部６２６０に至るゴルフクラブヘッド６２００の周縁部を横断して延在する、ゴルフクラブヘッド６２００のサイド部として規定されたスカート部６２９０を含み得る。あるいは、ゴルフクラブヘッド６２００は、スカート部６２９０を含まなくてもよい。フロント部６２７０は、ゴルフボール（例えば、その１つが概ね７６０１として図７６に示される）に当たるフェース部６２７５を含み得る。フェース部６２７５は、ボディ部６２１０と一体であってもよく、フロント部６２７０の開口部を封止するようにフロント部６２７０に結合（例えば、溶接）される別個のフェース部であってもよい。ボディ部６２１０はまた、シャフト部（不図示）を受けるように構成されたホーゼル部６２７５を含み得る。ホーゼル部６２７５は、本明細書に記載の任意のホーゼル部と多くの点で類似し得る。ホーゼル部６２７５は、交換可能なホーゼルスリーブを含み得る。あるいは、ボディ部６２１０は、ホーゼル部６２６５に代えてボアを含み得る。ボディ部６２１０は、本明細書に記載の任意の材料から、部分的に又は完全に作製され得る。更に、ゴルフクラブヘッド６２００は、本明細書に記載の任意のゴルフクラブヘッドのクラブヘッド体積と同様なクラブヘッド体積を有する任意のタイプのゴルフクラブヘッドであり得る。本明細書に記載の装置、方法、及び製造物は、これに限定されない。
【０２０８】
トップ部６２３０は、フロント部６２７０とクラウン部６２３５の間に延在するフォワード部６２３１を含み得る。一例では、フォワード部６２３１は、フロント−リア方向に少なくとも１２ｍｍの距離６２３４に延在し得る。別の例では、フォワード部６２３１は、フロント−リア方向に少なくとも１６ｍｍの距離６２３４に延在し得る。更に別の例では、フォワード部６２３１は、フロント−リア方向に少なくとも２０ｍｍの距離６２３４に延在し得る。上記の例は特定の距離を説明したが、本明細書に記載の装置、方法、及び製造物は、フロント−リア方向の１２ｍｍ未満の距離に延在するフォワード部を含み得る。フォワード部６２３１は、ゴルフクラブヘッド６２００の構造的完全性を高め、ゴルフボールとの衝突時にフロント部６２７０が後方に歪むことに抵抗することができる。本明細書に記載の装置、方法、及び製造物は、これに限定されない。
【０２０９】
クラウン部６２３５は、トップ部６２３０に取り付けられ得る別個の部品であり得る。クラウン部６２３５は、トップ部６２３０の開口部を封止し得る。図７４に示すように、例えば、ゴルフクラブヘッド６２００のトップ部６２３０は、クラウン部６２３５の取り付け前の開口部を含み得る。クラウン部６２３５は、１つ以上の材料から構成することができ、それらの材料はボディ部６２１０の材料と同じでもよく、異なってもよい。一例では、クラウン部６２３５は、繊維系複合材料などの複合材料から少なくとも部分的に構成され得る。クラウン部６２３５は、トップ部６２３０のショルダー部６２３３に取り付けられ得る。ショルダー部６２３３は、トップ部６２３０の開口部に沿って延在し得る。ショルダー部６２３０は、クラウン部６２３５を支持し得る。一例では、ショルダー部６２３３は、トップ部６３０の開口部に向かう内側に少なくとも２ｍｍの距離７０３３に延在し得る。別の例では、ショルダー部６２３３は、少なくとも６ｍｍの距離７０３３に延在し得る。更に別の例では、ショルダー部６２３３は、少なくとも８ｍｍの距離７０３３に延在し得る。上記の例は特定の距離を説明したが、本明細書に記載の装置、方法、及び製造物は、トップ部６２３０の開口部に向かう内側に２ｍｍ未満の距離に延在し得るショルダー部６２３３を含み得る。ショルダー部６２３３は、トップ部６２３０の開口部を取り囲む連続部分であり得る。あるいは、ショルダー部６２３３は、クラウン部６２３５を支持するように配置された１つ以上の別々のショルダー部を含み得る。別の例では、ショルダー部６２３３は、クラウン部６２３５を支持するように配置された複数のタブを含み得る。更に別の例では、ショルダー部６２３３を省略してもよく、クラウン部６２３５は、トップ部６２３０の外側面に接着され得る。更に別の例では、ショルダー部６２３３を省略してもよく、クラウン部６２３５は、開口部の外周エッジとの締り嵌めを提供するクラウン部６２３５のボトム面から延びる突出部を含み得る。本明細書に記載の装置、方法、及び製造物は、これに限定されない。
【０２１０】
クラウン部６２３５は、１つ以上の薄肉部を含んでもよく、その１つが概ね７１３５として示される。薄肉部７１３５は、クラウン部６２３５の重量を減らすことができ、ゴルフクラブヘッド６２００のＣＧを下げることができる。一例では、薄肉部７１３５は、１．０ｍｍ未満の厚さ７１３６を有し得る。別の例では、薄肉部７１３５は、０．７５ｍｍ未満の厚さ７１３６を有し得る。更に別の例では、薄肉部７１３５は、０．６５ｍｍ未満の厚さ７１３６を有し得る。上記の例は特定の厚さを説明したが、本明細書に記載の装置、方法、及び製造物は、１．０ｍｍ以上の厚さを有する１つ以上の薄肉部７１３５を含み得る。１つ以上の薄肉部７１３５は、１つ以上の比較的厚いクラウン補強領域から延在しもよく、その１つが概ね６２３６として示される。一例では、薄肉部７１３５は、クラウン部６２３５の少なくとも５０％を形成し得る。別の例では、薄肉部７１３５は、クラウン部６２３５の外部表面積の少なくとも７５％を形成し得る。更に別の例では、薄肉部７１３５は、クラウン部６２３５の外部表面積の少なくとも８５％を形成し得る。更に別の例では、薄肉部７１３５は、クラウン部６２３５の外部表面積の少なくとも９５％を形成し得る。上記の例は特定のパーセンテージを説明したが、本明細書に記載の装置、方法、及び製造物は、クラウン部６２３５の外部表面積の７５％未満を形成する１つ以上の薄肉部７１３５を含み得る。本明細書に記載の装置、方法、及び製造物は、これに限定されない。
【０２１１】
クラウン補強部６２３６は、クラウン部６２３５の剛性を高め、クラウン部６２３５の他の場所に比較的剛性の低い部分の存在を補うことができる。クラウン補強部６２３６は、ゴルフクラブヘッド６２００の全体的な剛性を高めることができる。クラウン補強部６２３６は、ゴルフボールに衝撃を与えるフェース部６２７５に応じて衝撃力を分散させることができる。クラウン補強部６２３６は、ゴルフボールに衝撃を与えるフェース部６２７５に応じてフェース部６２７５及び／又はトップ部６２３０のフォワード部６２３１がリア部６２８０側に歪むことを制限することができる。クラウン補強部６２３６は、ゴルフボールに衝撃を与えるフェース部６２７５に応じてクラウン部６２３５がフロント−リア方向に物理的に圧縮されることを制限することができ、クラウン部６２３５が２つ以上の複合材料の層で構成される例では、クラウン部６２３５の６２３５の亀裂や層間剥離のリスクを低減することができる。クラウン補強部６２３６は、隆起部分の一部であり得る。クラウン補強部６２３６は、輪郭部分の一部であり得る。クラウン補強部６２３６は、ゴルフショットを揃えるゴルファーのための視覚的位置合わせ補助として機能し得る。クラウン補強部６２３６は、ゴルフボールに衝撃を与えるフェース部６２７５に応じてゴルフクラブヘッド６２００の音響応答を改善することができる。クラウン補強部６２３６は、クラウン部６２３５の平均厚さより大きい厚さを有し得る。クラウン補強部６２３６は、クラウン部６２３５と一体、又は、クラウン部６２３５の表面に接着又は固定されて構造的補強を提供する１つ以上の別個の部品のいずれかであり得る。本明細書に記載の装置、方法、及び製造物は、これに限定されない。
【０２１２】
上記のように、クラウン部６２３５は、図６２において概ね第１のクラウン補強部６２３７、第２のクラウン補強部６２３８、第３のクラウン補強部６２３９として示される、１つ以上のクラウン補強部を含み得る。第１のクラウン補強部６２３７は、トップ部６２３０のフォワード部６２３１に隣接して配置され得る。第１のクラウン補強部６２３７は、クラウン部６２３５とトップ部６２３０のフォワード部６１３１の間に形成された接合部６２３２に沿って延在し得る。第１のクラウン補強部６２３７は、クラウン部６２３５の平均厚さより大きい厚さを有し得る。一例では、第１のクラウン補強部６２３７は、２ｍｍを超える厚さを有し得る。別の例では、第１のクラウン補強部６２３７は、２．２ｍｍ以上の厚さを有し得る。上記の例は特定の厚さを説明したが、本明細書に記載の装置、方法、及び製造物は、２ｍｍ以下の厚さを有する第１のクラウン補強部６２３７を含み得る。第１のクラウン補強部６２３７は、繊維系複合材料７６１４の２つ以上のプライ（ｐｌｉｅｓ）（例えば、３プライ、４プライ、５プライ、６プライ、７プライ、８プライ、又は９プライの繊維系複合材料７６１４など）を含み得る。一例では、第１のクラウン補強部６２３７は、少なくとも１．２５ｃｍの長さを有し得る。別の例では、第１のクラウン補強部６２３７は、少なくとも２ｃｍの長さを有し得る。更に別の例では、第１のクラウン補強部６２３７は、少なくとも３ｃｍの長さを有し得る。更に別の例では、第１のクラウン補強部６２３７は、少なくとも４ｃｍの長さを有し得る。別の例では、第１のクラウン補強部６２３７は、４〜４．５ｃｍの間の長さを有し得る。上記の例は特定の長さを説明したが、本明細書に記載の装置、方法、及び製造物は、３ｃｍ未満の長さを有する第１のクラウン補強部６２３７を含み得る。第１のクラウン補強部６２３７は、ゴルフクラブヘッド６２００の空気抵抗を低減することができる。本明細書に記載の装置、方法、及び製造物は、これに限定されない。
【０２１３】
第２のクラウン補強部６２３８は、第１のクラウン補強部６２３７からリア部６２８０に向かって延在し得る。第２のクラウン補強部６２３８は、第１のクラウン補強部６２３７からリア部６２８０に向かって及びトウ部６２５０に向かって延在し得る。第２のクラウン補強部６２３８は、第１のクラウン補強部６２３７のトウ側端部からクラウン部６２３５のリア側外周まで延在し得る。第２のクラウン補強部６２３８は、フロント−リア方向に次第に先細くなり得る。第２のクラウン補強部６２３８は、フォワード部６２３１とリア部６２８０の間の支持構造として機能し得る。第２のクラウン補強部６２３８は、ゴルフボールに衝突するフェース部６２７５に応じてフォワード部６２３１の後方に歪むことに対抗することができる。第２のクラウン補強部６２３８は、クラウン部６２３５の平均厚さより大きい厚さを有し得る。第２のクラウン補強部６２３８は、２ｍｍを超える厚さを有し得る。第２のクラウン補強部６２３８は、２．２ｍｍ以上の厚さを有し得る。上記の例は特定の厚さを説明したが、本明細書に記載の装置、方法、及び製造物は、２ｍｍ以下の厚さを有する第２のクラウン補強部６２３８を含み得る。第２のクラウン補強部６２３８は、繊維系複合材料７６１４の２つ以上のプライ（例えば、３プライ、４プライ、５プライ、６プライ、７プライ、８プライ、又は９プライの繊維系複合材料７６１４など）を含み得る。一例では、第２のクラウン補強部６２３８は、少なくとも２ｃｍの長さを有し得る。別の例では、第２のクラウン補強部６２３８は、少なくとも４ｃｍの長さを有し得る。上記の例は特定の長さを説明したが、本明細書に記載の装置、方法、及び製造物は、２ｃｍ未満の長さを有する第２のクラウン補強部６２３８を含み得る。第２のクラウン補強部６２３８は、ゴルフクラブヘッドの空気抵抗を低減することができる。本明細書に記載の装置、方法、及び製造物は、これに限定されない。
【０２１４】
第３のクラウン補強部６２３９は、第１のクラウン補強部６２３７からリア部６２８０に向かって延在し得る。第３のクラウン補強部６２３９は、第１のクラウン補強部６２３７からリア部６２８０に向かって及びヒール部６２６０に向かって延在し得る。第３のクラウン補強部６２３９は、第１のクラウン補強部６２３７のヒール側端部からクラウン部６２３５のリア側外周まで延在し得る。第３のクラウン補強部６２３９は、フロント−リア方向に次第に先細くなり得る。第３のクラウン補強部６２３９は、フォワード部６２３１とリア部６２８０の間の支持構造として機能し得る。第３のクラウン補強部６２３９は、ゴルフボールに衝突するフェース部６２７５に応じてフォワード部６２３１の後方に歪むことに対抗することができる。第３のクラウン補強部６２３９は、クラウン部６２３５の平均厚さより大きい厚さを有し得る。第３のクラウン補強部６２３９は、２ｍｍを超える厚さを有し得る。第３のクラウン補強部６２３９は、２．２ｍｍ以上の厚さを有し得る。上記の例は特定の厚さを説明したが、本明細書に記載の装置、方法、及び製造物は、２ｍｍ以下の厚さを有する第３のクラウン補強部６２３９を含み得る。第３のクラウン補強部６２３９は、繊維系複合材料７６１４の２つ以上のプライ（例えば、３プライ、４プライ、５プライ、６プライ、７プライ、８プライ、又は９プライの繊維系複合材料７６１４など）を含み得る。一例では、第３のクラウン補強部６２３９は、少なくとも２ｃｍの長さを有し得る。別の例では、第３のクラウン補強部６２３９は、少なくとも４ｃｍの長さを有し得る。第３のクラウン補強部６２３９は、ゴルフクラブヘッド６２００の空気抵抗を低減することができる。上記の例は特定の数のクラウン補強部を説明したが、本明細書に記載の装置、方法、及び製造物は、より多く又は少ないクラウン補強部を含み得る。本明細書に記載の装置、方法、及び製造物は、これに限定されない。
【０２１５】
クラウン部６２３５は、中央クラウン部６４３１と、トウ側クラウン部６４３２と、ヒール側クラウン部６４３３とを含み得る。中央クラウン部６４３１は、隆起状中央クラウン部であり得る。隆起状中央クラウン部６４３１は、ヒール側クラウン部６４３３とトウ側クラウン部６４３２の間に配置され得る。隆起状中央クラウン部６４３１は、トウ側クラウン部６４３２の最大高さより大きい最大高さを有し得る。隆起状中央クラウン部６４３１は、ヒール側クラウン部６４３３の最大高さより大きい最大高さを有し得る。隆起状中央クラウン部６４３１は、視覚的位置合わせ補助として機能し得る。隆起状中央クラウン部６４３１は、ゴルフクラブヘッド６２００の空力性能を改善することができる。本明細書に記載の装置、方法、及び製造物は、これに限定されない。
【０２１６】
中央クラウン部６４３１は、薄肉部７１３５を含み得る。トウ側クラウン部６４３２は、薄肉部７１３５を含み得る。ヒール側クラウン部６４３３は、薄肉部７１３５を含み得る。薄肉部７１３５は、クラウン部６２３５の全体的な質量を低減するのに望ましく、ゴルフクラブヘッド６２００のＣＧを下げることができる。本明細書に記載の装置、方法、及び製造物は、これに限定されない。
【０２１７】
クラウン部６２３５は、複数の輪郭付け面を含み得る。複数の輪郭付け面は、ゴルフクラブヘッド６２００の空気抵抗を低減することができる。複数の輪郭付け面は、ゴルフクラブヘッド６２００の構造的完全性を高めることができる。中央クラウン部６４３１の外側面は、トウ側クラウン部６４３２の外側面より高くされ得る。中央クラウン部６４３１の外側面は、ヒール側クラウン部６４３３の外側面より高くされ得る。クラウン部６４３５は、中央クラウン部６４３１とトウ側クラウン部６４３２の間に位置する第１の輪郭付け遷移領域６４３４を含み得る。クラウン部６４３５は、中央クラウン部６４３１とヒール側クラウン部６４３３の間に位置する第２の輪郭付け遷移領域６４３５を含み得る。第１の輪郭付け遷移領域６４３４の位置は、第２のクラウン補強部６２３８の位置と一致し得る。第２の輪郭付け遷移領域６４３５の位置は、第３のクラウン補強部６２３９の位置と一致し得る。中央クラウン部６４３１、トウ側クラウン部６４３２、ヒール側クラウン部６４３３、第１の輪郭付け遷移領域６４３４、及び第２の輪郭付け遷移領域６４３５は共に、多層クラウン部６２３５を形成し得る。中央クラウン部６４３１、トウ側クラウン部６４３２、ヒール側クラウン部６４３３、第１の輪郭付け遷移領域６４３４、及び第２の輪郭付け遷移領域６４３５は共に、マルチ厚みクラウン部６２３５を形成し得る。本明細書に記載の装置、方法、及び製造物は、これに限定されない。
【０２１８】
図７３は、図６２に例示したゴルフクラブヘッドの図６４に示す７３−７３線に沿った断面図を示す。中央クラウン部６４３１の外側面７３３１は、トウ側クラウン部６４３２の外側面より高くされ得る。一例では、中央クラウン部６４３１の外側面７３３１は、トウ側クラウン部６４３２の外側面より０．５ｍｍ以上の高さまで高くされ得る。別の例では、中央クラウン部６４３１の外側面７３３１は、トウ側クラウン部６４３２の外側面より１．０ｍｍ以上の高さまで高くされ得る。更に別の例では、中央クラウン部６４３１の外側面７３３１は、トウ側クラウン部６４３２の外側面より２．０ｍｍ以上の高さまで高くされ得る。中央クラウン部６４３１の外側面７３３１は、ヒール側クラウン部６４３３の外側面７３３３より高くされ得る。一例では、中央クラウン部６４３１の外側面７３３１は、ヒール側クラウン部６４３３の外側面７３３３より０．５ｍｍ以上の高さまで高くされ得る。別の例では、中央クラウン部６４３１の外側面７３３１は、ヒール側クラウン部６４３３の外側面７３３３より１．０ｍｍ以上の高さまで高くされ得る。更に別の例では、中央クラウン部６４３１の外側面７３３１は、ヒール側クラウン部６４３３の外側面７３３３より２．０ｍｍ以上の高さまで高くされ得る。上記の例は特定の高さを説明したが、本明細書に記載の装置、方法、及び製造物は、０．５ｍｍ未満の高さを有する外側面を含み得る。本明細書に記載の装置、方法、及び製造物は、これに限定されない。
【０２１９】
図７２に示すように、ヒール側クラウン部６４３３の外側面７３３３は、接合部６２３２に近接するフォワード部６２３１より下側に凹み得る。同様に、トウ側クラウン部６４３２の外側面７３３２は、接合部６２３２に近接するフォワード部６２３１より下側に凹み得る。一例では、ヒール側クラウン部６４３３の外側面７３３３は、接合部６２３２に近接するフォワード部６２３１より下側に０．５ｍｍ以上の距離まで凹み得る。別の例では、ヒール側クラウン部６４３３の外側面７３３３は、接合部６２３２に近接するフォワード部６２３１より下側に１．０ｍｍ以上の距離まで凹み得る。更に別の例では、トウ側クラウン部６４３２の外側面７３３２は、接合部６２３２に近接するフォワード部６２３１より下側に０．５ｍｍ以上の距離まで凹み得る。トウ側クラウン部６４３２の外側面７３３２は、接合部６２３２に近接するフォワード部６２３１より下側に１．０ｍｍ以上の距離まで凹み得る。上記の例は特定の距離を説明したが、本明細書に記載の装置、方法、及び製造物は、０．５ｍｍ未満の距離まで凹んだ外側面を含み得る。本明細書に記載の装置、方法、及び製造物は、これに限定されない。
【０２２０】
中央クラウン部６４３１は、第１のクラウン補強部６２３７、第２のクラウン補強部６２３８、第３のクラウン補強部６２３９、及びクラウン部６２３５のリア側外周７１５１によって境界付けられ得る。中央クラウン部６４３１の前方部分は、フェース部６２７５の幾何学的中心６２７６（例えば、ゴルフクラブヘッド６２００の「スイートスポット」又はその近傍）と交差し且つ前方垂直面６８１５に対して垂直である垂直面（例えば、その１つが概ね７６０４として示される）に対して対称な形状を有し得る。中央クラウン部６４３１の前方部分は、フェース部６２７５の幾何学的中心６２７６と交差し且つ前方垂直面６８１５に対して垂直である垂直面７６０４に対して非対称な形状を有し得る。一例では、図７６に示すように、第２のクラウン補強部６２３８と第３のクラウン補強部６２３９は、フロント−リア方向に広がり得る。中央クラウン部６４３１は、不規則な多角形のような形状（例えば、四辺形のような形状）を有し得る。フロント部６２７０又はその近傍での第２のクラウン補強部６２３８と第３のクラウン補強部６２３９の間の距離は、リア部６２８０又はその近傍での第２のクラウン補強部６２３８と第３のクラウン補強部６２３９の間の距離より小さくてもよい。別の例では、第２のクラウン補強部６２３８と第３のクラウン補強部６２３９は、フロント−リア方向に狭まり得る。フロント部６２７０又はその近傍での第２のクラウン補強部６２３８と第３のクラウン補強部６２３９の間の距離は、リア部６２８０又はその近傍での第２のクラウン補強部６２３８と第３のクラウン補強部６２３９の間の距離より大きくてもよい。更に別の例では、第２のクラウン補強部６２３８と第３のクラウン補強部６２３９は、フロント−リア方向に狭まってから広がり得る（例えば、図１０１を参照）。別の例では、第２のクラウン補強部６２３８と第３のクラウン補強部６２３９は、フロント−リア方向に広がってから狭まり得る（例えば、図１０２を参照）。更に別の例では、第２のクラウン補強部６２３８と第３のクラウン補強部６２３９は、フロント−リア方向に実質的に平行であり得る。フロント部６２７０又はその近傍での第２のクラウン補強部６２３８と第３のクラウン補強部６２３９の間の距離は、リア部６２８０又はその近傍での第２のクラウン補強部６２３８と第３のクラウン補強部６２３９の間の距離と等しく、又は実質的に同じであり得る。本明細書に記載の装置、方法、及び製造物は、これに限定されない。
【０２２１】
一例では、図６２に示すように、中央クラウン部６４３１は、トウ側クラウン部６４３２及びヒール側クラウン部６４３３に対して隆起し得る。別の例では、中央クラウン部６４３１は、トウ側クラウン部６４３２及びヒール側クラウン部６４３３に対して押し下げられ得る。中央クラウン部６４３１、トウ側クラウン部６４３２、及びヒール側クラウン部６４３３の相対的な高さの変化は、ゴルフクラブヘッド６２００に関連する抵抗係数の低減により空力性能を改善することができる。中央クラウン部６４３１、トウ側クラウン部６４３２、及びヒール側クラウン部６４３３の相対的な高さの変化は、視覚的位置合わせ補助を提供し得る。中央クラウン部６４３１、トウ側クラウン部６４３２、及びヒール側クラウン部６４３３の相対的な高さの変化は、一体型リブを有する輪郭付け遷移領域と共に、クラウン部６２３５の構造的完全性を高めることができる。本明細書に記載の装置、方法、及び製造物は、これに限定されない。
【０２２２】
クラウン部６２３５の総表面積は、中央クラウン部６４３１、トウ側クラウン部６４３２、ヒール側クラウン部６４３３、第１の輪郭付け遷移領域６４３４、及び第２の輪郭付け遷移領域６４３５の表面積を含み得る。一例では、中央クラウン部６４３１の表面積は、クラウン部６２３５の総表面積の少なくとも１０％であり得る。別の例では、中央クラウン部６４３１の表面積は、クラウン部６２３５の総表面積の少なくとも２０％であり得る。更に別の例では、中央クラウン部６４３１の表面積は、クラウン部６２３５の総表面積の少なくとも３０％であり得る。更に別の例では、中央クラウン部６４３１の表面積は、クラウン部６２３５の総表面積の少なくとも４０％であり得る。更に別の例では、中央クラウン部６４３１の表面積は、クラウン部６２３５の総表面積の少なくとも５０％であり得る。更に別の例では、中央クラウン部６４３１の表面積は、クラウン部６２３５の総表面積の少なくとも６０％であり得る。更に別の例では、中央クラウン部６４３１の表面積は、クラウン部６２３５の総表面積の少なくとも７０％であり得る。更に別の例では、中央クラウン部６４３１の表面積は、クラウン部６２３５の総表面積の少なくとも８０％であり得る。更に別の例では、中央クラウン部６４３１の表面積は、クラウン部６２３５の総表面積の少なくとも９０％であり得る。本明細書に記載の装置、方法、及び製造物は、これに限定されない。
【０２２３】
トウ側クラウン部６４３２は、第２のクラウン補強部６２３８、クラウン部６２３５のトウ側外周７６３３、及びクラウン部６２３５のフロント側外周によって境界付けられ得る。一例では、トウ側クラウン部６４３２の表面積は、クラウン部６２３５の総表面積の少なくとも５％であり得る。別の例では、トウ側クラウン部６４３２の表面積は、クラウン部６２３５の総表面積の少なくとも１０％であり得る。更に別の例では、トウ側クラウン部６４３２の表面積は、クラウン部６２３５の総表面積の少なくとも１５％であり得る。更に別の例では、トウ側クラウン部６４３２の表面積は、クラウン部６２３５の総表面積の少なくとも２０％であり得る。更に別の例では、トウ側クラウン部６４３２の表面積は、クラウン部６２３５の総表面積の少なくとも２５％であり得る。更に別の例では、トウ側クラウン部６４３２の表面積は、クラウン部６２３５の総表面積の少なくとも３０％であり得る。更に別の例では、トウ側クラウン部６４３２の表面積は、クラウン部６２３５の総表面積の少なくとも３５％であり得る。更に別の例では、トウ側クラウン部６４３２の表面積は、クラウン部６２３５の総表面積の少なくとも４０％であり得る。本明細書に記載の装置、方法、及び製造物は、これに限定されない。
【０２２４】
ヒール側クラウン部６４３３は、第３のクラウン補強部６２３９、クラウン部６２３５のヒール側外周、及びクラウン部６２３５のフロント側外周によって境界付けられ得る。一例では、ヒール側クラウン部６４３３の表面積は、クラウン部６２３５の総表面積の少なくとも５％であり得る。別の例では、ヒール側クラウン部６４３３の表面積は、クラウン部６２３５の総表面積の少なくとも１０％であり得る。更に別の例では、ヒール側クラウン部６４３３の表面積は、クラウン部６２３５の総表面積の少なくとも１５％であり得る。更に別の例では、ヒール側クラウン部６４３３の表面積は、クラウン部６２３５の総表面積の少なくとも２０％であり得る。更に別の例では、ヒール側クラウン部６４３３の表面積は、クラウン部６２３５の総表面積の少なくとも２５％であり得る。更に別の例では、ヒール側クラウン部６４３３の表面積は、クラウン部６２３５の総表面積の少なくとも３０％であり得る。本明細書に記載の装置、方法、及び製造物は、これに限定されない。
【０２２５】
一例では、中央クラウン部６４３１は、クラウン部の総外側表面積の４０％以上である外側表面積７３３１を有してもよく、トウ側クラウン部６４３２は、クラウン部の総外側表面積の３０％以上である外側表面積７３３２を有してもよく、ヒール側クラウン部６４３３は、クラウン部の総外側表面積の１５％以下である外側表面積７３３３を有してもよい。別の例では、中央クラウン部６４３１は、クラウン部の総外側表面積の５０％以上である外側表面積７３３１を有してもよく、トウ側クラウン部６４３２は、クラウン部の総外側表面積の１５％以上である外側表面積７３３２を有してもよく、ヒール側クラウン部６４３３は、クラウン部の総外側表面積の５％以上である外側表面積７３３３を有してもよい。更に別の例では、中央クラウン部６４３１は、クラウン部の総外側表面積の４０％以上である外側表面積７３３１を有してもよく、トウ側クラウン部６４３２は、クラウン部の総外側表面積の１０％以上である外側表面積７３３２を有してもよく、ヒール側クラウン部６４３３は、クラウン部の総外側表面積の５％以上である外側表面積７３３３を有してもよい。本明細書に記載の装置、方法、及び製造物は、これに限定されない。
【０２２６】
図７６は、図６２に例示したゴルフクラブヘッド６２００をフェース部６２７５に近接するゴルフボール７６０１と共に示す上面図を示す。ゴルフボール７６０１は、フェース部６２７５の幾何学的中心６２７６に位置合わせされ得る。ゴルフボール７６０１は、約１．６８インチの直径を有し得る。中央平面７６０４は、ゴルフボール７６０１とゴルフクラブヘッド６２００を二等分する。トウ側平面７６０５は、ゴルフクラブヘッド６２００のトウ側を境界付ける。ヒール側平面７６０６は、ゴルフクラブヘッド６２００のヒール側を境界付ける。トウ側ゴルフボール外周面７６０２は、ゴルフボール７６０１のトウ側を境界付ける。ヒール側ゴルフボール外周面７６０３は、ゴルフボール７６０１のヒール側を境界付ける。クラウン部６２３５は、トウ側外周７６３３、ヒール側外周７６３１、フロント側外周７６３２、及びヒール外周７１５１を含む外周を含み得る。本明細書に記載の装置、方法、及び製造物は、これに限定されない。
【０２２７】
図７７は、図６２に例示したゴルフクラブヘッド６２００の例示的なクラウン部６２３５の図７６に示す７７−７７線に沿った断面図を示す。クラウン部６２３５は、複合材料の２つ以上の層を含み得る。クラウン部６２３５は、複合材料の外側層７６１０と、複合材料の内側層７６１５とを含み得る。クラウン部６２３５は、複数の一体型リブを含み得る。各一体型リブは、複合材料の複数の層を含み得る。一体型リブ（例えば、概ね７６２５、７６３０として示される）は、複合材料の内側層７６１５と外側層７６１０の間に配置され得る。一体型リブ７６２５、７６３０は、クラウン補強部６２３６を形成し得る。本明細書に記載の装置、方法、及び製造物は、これに限定されない。
【０２２８】
トウ側一体型リブ７６２５は、クラウン部６２３５のフロント側外周７６３２からクラウン部６２３５のリア側外周７１５１まで延在し得る。トウ側一体型リブ７６２５は、図７８に示すように、複合材料７６１４の複数の層を含み得る。トウ側一体型リブ７６２５は、クラウン部の内側層７６１５と外側層７６１０の間に配置された複合材料７６１４の２つ以上の層を含み得る。トウ側一体型リブ７６２５は、フォワード部６２３１から後方に延在し得る。トウ側一体型リブ７６２５は、中央平面７６０４とトウ側ゴルフボール平面７６０２の間の開始位置から後方に延在し、トウ側平面７６０５とトウ側ゴルフボール平面７６０２の間の終了位置で終端し得る。一例では、トウ側一体型リブ７６２５は、２．０ｍｍ以上の最大厚さを有し得る。別の例では、トウ側一体型リブ７６２５は、２．１ｍｍ以上の最大厚さを有し得る。更に別の例では、トウ側一体型リブ７６２５は、２．２ｍｍ以上の最大厚さを有し得る。本明細書に記載の装置、方法、及び製造物は、これに限定されない。
【０２２９】
図７８は、図７７に示したクラウン部６２３５の領域７８００の拡大図を示す。クラウン部６２３５は、複合材料の複数の層を含み得る。クラウン部６２３５は、複合材料の外側層７６１０と、複合材料の内側層７６１５とを含み得る。一例では、複合材料の内側層７６１５は、ガラス繊維複合材料を含んでもよく、複合材料の外側層７６１０は、アラミド遷移複合材料を含んでもよい。
【０２３０】
クラウン部６２３５は、一体型リブ７６２５を形成する複合層のスタック（積み重ね）を含み得る。一体型リブ７６２５は、複合材料の外側層７６１０と複合材料の内側層７６１５の間に配置され得る。クラウン部６２３５は、平行又は実質的に平行な面に配置された複合材料７６１４の１つ以上の層を含み得る。クラウン部６２３５は、非平行な面に配置された複合材料７６１４の１つ以上の層を含み得る。特定の軸に沿って決定されるようなクラウン部６２３５の引張強度は、非平行（つまり、不均一な向き）な面に配置された複合材料７６１４の層を有することによって増強され得る。本明細書に記載の装置、方法、及び製造物は、これに限定されない。
【０２３１】
一体型リブ（例えば、概ね７６２５、７６３０、７６３５として示される）は、クラウン部６２３５に埋め込まれた構造的支持を提供し得る。各一体型リブは、１つ以上の薄肉部７１３５に隣接するクラウン補強領域に配置され得る。クラウン部６２３５は、一体型リブ７６２５、７６３０が存在する薄肉部７１３５と厚肉クラウン補強部との間に輪郭付け遷移領域（例えば、概ね６４３４、６４３５として示される）を有し得る。輪郭付け遷移領域６４３４、６４３５は、薄肉部７１３５と隣接する厚肉部との間の明瞭なエッジ（例えば、６２３７、６２３８、６２３９など）を回避することで、クラウン部６２３５内の望ましくない応力集中を防止又は軽減することができる。ゴルフクラブヘッド６２００の使用中にクラウン部６２３５の層の亀裂や剥離が生じる可能性があるので、応力集中は望ましくない可能性がある。例えば、クラウン部の内側面又は外側面のいずれかに取り付けられた非一体型リブを有する代替的な実施形態では、非一体型リブとクラウン部６２３５の表面との間に形成された接合部に明瞭なエッジが存在する可能性があり、そのエッジは望ましくない応力集中をもたらす可能性がある。多数のボールを打った後、応力集中の存在が、非一体型リブに近接するクラウン部６２３５の層の亀裂や剥離を生じさせる可能性がある。このクラウン部６２３５の物理的な劣化は、ゴルフクラブヘッド６２００の性能に悪影響を与える可能性がある。例えば、クラウン部６２３５が物理的に劣化するにつれて、ショット間のばらつきが増大する可能性がある。ショット間のばらつきは、ゴルフクラブヘッド６２００から一貫した性能を求める人にとって受け入れられない可能性がある。従って、長期の耐久性及び一貫性のために、薄肉部７１３５と一体型リブ７６２５、７６３０の厚肉部の間に輪郭付け遷移領域を有するクラウン部６２３５を有することが望ましい。本明細書に記載の装置、方法、及び製造物は、これに限定されない。
【０２３２】
クラウン部６２３５は、内側構造層７６１５と外側構造層７６１０の間に配置された複数の複合層７６１２を含み得る。本明細書で使用される「複合層」という用語は、任意の適切な１つ以上の形状（例えば、平坦、湾曲、又は複雑な湾曲）及び任意の適切な寸法を有する任意の適切な１つ以上の層を表し得る。複数の複合層７６１２と内側構造層及び外側構造層（例えば、概ね７６１０、７６１５として示される）は共に、ボディ部６２１０に結合されてトップ部６２３０の開口部を封止するときにクラウン部６２３５を形成することができ、ゴルフボールとの衝突時に加わる捩れや圧縮力に耐えるゴルフクラブ６２００の能力を改善することができ、これによりパフォーマンスが向上したり、ミスヒットが減少したりする可能性がある。本明細書に記載の装置、方法、及び製造物は、これに限定されない。
【０２３３】
複数の複合層７６１２は、スタック配置の複合材料の複数の層を含み得る。複合層７６１２の層は、ある量の樹脂と組み合わされたファブリック（繊維）の層を含み得る。ファブリックは、グラファイトファイバー（一般に「カーボンファイバー」と称される）、グラスファイバー、アラミドファイバー、カーボンナノチューブ、又は他の適切な高性能ファイバー、これらファイバーの組み合わせ、又は材料で構成され得る。幾つかの例では、ファブリックは、カーボンファイバー及びアラミドファイバーからなるハイブリッドファイバーなどの２種類以上のファイバーの混成物であり得る。アラミドファイバーの例には、ＫＥＶＬＡＲ、ＴＷＡＲＯＮ、ＮＯＭＥＸ、ＮＥＷ  ＳＴＡＲ、ＴＥＣＨＮＯＲＡ、及びＴＥＩＪＩＮＣＯＮＥＸの各ファイバーが含まれる。ファブリックは、織布、編布、縫布、又は不織布（例えば、一方向性）のファブリックとして構成され得る。適切な織布ファブリックの例には、Ｓｔｙｌｅ  ７７２５  Ｂｉ−ｄｉｒｅｃｔｉｏｎａｌ  Ｅ−Ｇｌａｓｓ（Ｉｔｅｍ  Ｎｏ．１０９４）、 Ｔｗｉｌｌ  Ｗｅａｖｅ  Ｃａｒｂｏｎ  Ｆｉｂｅｒ  Ｆａｂｒｉｃ（Ｉｔｅｍ  Ｎｏ．１０６９）、及び、ＫＥＶＬＡＲ  Ｐｌａｉｎ  Ｗｅａｖｅ  Ｆａｂｒｉｃ（Ｉｔｅｍ  Ｎｏ．２４６９）があり、これら全てオハイオ州ブルックビルのＦｉｂｒｅ  Ｇｌａｓｔ  Ｄｅｖｅｌｏｐｍｅｎｔｓ  Ｃｏｒｐｏｒａｔｉｏｎ社から入手できる。
【０２３４】
幾つかの例では、樹脂は、手作業又は注入プロセスのいずれかによって、ラミネーションプロセス中にファブリックに塗布され得る。他の例では、ファブリックは、樹脂が事前に含浸され得る。これらのファブリックは、一般に「プリプレグ（ｐｒｅｐｒｅｇ）」ファブリックと称される。プリプレグファブリックは、樹脂が早期に硬化しないように冷蔵が必要であり得る。製造時、クラウン部６２３５が樹脂の硬化に連れて望ましい構造的属性となるように、樹脂を完全に硬化（すなわち、重合）させるために、（例えば、オーブン又はオートクレーブで）クラウン部６２３５を加熱することが必要であり得る。本明細書に記載の装置、方法、及び製造物は、これに限定されない。
【０２３５】
幾つかの例では、樹脂は、エポキシ樹脂、ビニルエステル樹脂、ポリエステル樹脂、又は他の適切な樹脂などの熱硬化性樹脂であり得る。樹脂の選択は、少なくとも部分的に、ファブリックの適合性及び複合層の特性に基づき得る。エポキシ樹脂は、寸法的に安定した、強力で軽量な複合クラウン部６２３５を形成するのに使用できるので、適切である。適切なエポキシ樹脂は、Ｆｉｂｒｅ  Ｇｌａｓｔ  Ｄｅｖｅｌｏｐｍｅｎｔｓ  Ｃｏｒｐｏｒａｔｉｏｎ社から入手できるＳｙｓｔｅｍ  ２０００  Ｅｐｏｘｙ  Ｒｅｓｉｎ（Ｉｔｅｍ  Ｎｏ．２０００−Ａ）である。
【０２３６】
エポキシ樹脂は、Ｆｉｂｒｅ  Ｇｌａｓｔ  Ｄｅｖｅｌｏｐｍｅｎｔｓ  Ｃｏｒｐｏｒａｔｉｏｎ社から入手できる２０２０  Ｅｐｏｘｙ  Ｈａｒｄｅｎｅｒ（Ｉｔｅｍ  Ｎｏ．２０２０−Ａ）、２０６０  Ｅｐｏｘｙ  Ｈａｒｄｅｎｅｒ（Ｉｔｅｍ  Ｎｏ．２０６０−Ａ）、又は、２１２０  Ｅｐｏｘｙ  Ｈａｒｄｅｎｅｒ（Ｉｔｅｍ  Ｎｏ．２１２０−Ａ）などの適切なエポキシ硬化剤と混合され得る。エポキシ硬化剤の選択は、少なくとも部分的に、製造される複合クラウン部６２３５のサイズ及び複雑さによって決定され得る、所望のポットライフ及び作業時間に基づき得る。エポキシ硬化剤の選択は、所望の硬化温度及び硬化時間に基づき得る。エポキシ硬化剤は、選択された製造温度及び時間に適合するものが選択され得る。本明細書に記載の装置、方法、及び製造物は、これに限定されない。
【０２３７】
クラウン部６２３５は、液体樹脂を繊維で作られたファブリックに散布してファブリックを濡らすウェットレイアップ（満水保かん）プロセスなどの任意の適切なプロセスによって形成され得る。液体樹脂は、手作業、樹脂注入プロセス、又は任意の他の適切なプロセスによって散布され得る。満水保かんプロセスは、剥離プライ層又は離型剤を利用して、真空袋詰めプロセス中に複合クラウン部６２３５が真空袋詰めフィルムに付着することを防止できる。適切な剥離プライ層の例は、フロリダ州ウェストパームビーチのＵ．Ｓ．Ｃｏｍｐｏｓｉｔｅｓ，Ｉｎｃ．社から入手できるＰｅｅｌ  Ｐｌｙ  Ｒｅｌｅａｓｅ  Ｆａｂｒｉｃ（Ｃａｔａｌｏｇ  Ｎｏ．ＶＢ−Ｐ５６１５０）である。
【０２３８】
レイアッププロセス中、ファブリックは、適切なサイズにトリミングしてから型の上に置かれ得る。次に、ローラーやブラシなどの任意の適切な工具を使用して、樹脂がファブリックの表面に塗布され得る。ラミネーションプロセスを通じて、樹脂がファブリックに含浸するように、樹脂がファブリックに押し入れられ得る。プリプレグファブリックをレイアップに使用する場合、ラミネーションプロセスを容易化するために適切な量の樹脂が既にファブリックに含まれているので、樹脂を塗布するステップを省略できる。剥離プライ層をプリプレグファブリックと真空袋詰めフィルムの間に挿入して、複合カーボンクラウン部６２３５が真空袋詰めフィルムに付着することを防止できる。本明細書に記載の装置、方法、及び製造物は、これに限定されない。
【０２３９】
図７９は、図６２に示した輪郭付けクラウン部６２３５を生成する製造プロセスの実行前の例示的なクラウン部６２３５の各層の分解図を示す。クラウン部６２３５は、上側の複数の複合層７９５０と、下側の複数の複合層７９５５と、上側の複数の複合層と下側の複数の複合層の間に配置されたクラウン補強部６２３６とを含み得る。クラウン補強部６２３６の存在は、図６２に示すように、軽量の薄肉部７１３５をクラウン補強部６２３６に隣接して利用することを可能にし得る。クラウン補強部６２３６及び隣接する薄肉部７１３５は共に、均一な厚さを有するクラウン部（例えば、その１つが概ね４８３５として示される）より軽量及び／又は強固なクラウン部６２３５を生成し得る。薄肉部７１３５は、クラウン補強部６２３６を含まないクラウン部６２３５内の任意の領域であり得る。クラウン補強部６２３６は、スタック構成で配置された複合材料の複数の層を含み得る。複合材料７６１４の各層は、樹脂と組み合わされたファブリックの層を含み得る。ファブリックは、カーボンファイバー、グラスファイバー、アラミドファイバー、カーボンナノチューブ、又は他の適切な高性能ファイバー、これらファイバーの組み合わせ、又は材料で構成され得る。幾つかの例では、ファブリックは、カーボンファイバー及びアラミドファイバーからなるハイブリッドファイバーなどの２種類以上のファイバーの混成物であり得る。ファブリックは、織布、編布、縫布、又は一方向性ファブリックとして構成され得る。本明細書に記載の装置、方法、及び製造物は、これに限定されない。
【０２４０】
クラウン部６２３５の製造中、図７９に示すような複数の複合層７６１４は、輪郭付け型枠に配置され得る。輪郭付け複合クラウン部６２３５を形成するために、隣接する層同士の結合が促進されるように圧力が層７６１４に加えられ得る。クラウン部６２３５を形成するために、隣接する層同士の結合が促進されるように熱が層に加えられ得る。複合層７６１４を型枠の輪郭付け面に対して押し付けると、図６２に示すように、隆起状中央クラウン部６４３１と、隆起状中央クラウン部に隣接する輪郭付け遷移領域（例えば、概ね６４３４、６４３５として示される）が生成され得る。隆起状中央クラウン部６４３１に隣接する滑らかな遷移領域を確保するために、クラウン補強領域６２３６を形成する複合層のスタック内の後続の各複合層は（例えば、スタック内の降順で）徐々に幅広になり、製造されたクラウン部６２３５に滑らかな遷移領域６４３４、６４３５を付与することができる。図７９に示す例では、クラウン補強部６２３６の各複合層は、フロント側幅（ＷF ）、ヒール側幅（ＷH ）、トウ側幅（ＷT ）を有し得る。一例では、クラウン補強部６２３６内の複合層７６１４は、クラウン補強部６２３６内の隣接する複合層７６１４より少なくとも１％大きい幅（ＷF 、ＷH 、又はＷT ）を有し得る。別の例では、クラウン補強部６２３６内の複合層７６１４は、クラウン補強部６２３６内の隣接する複合層７６１４より少なくとも５％大きい幅（ＷF 、ＷH 、又はＷT ）を有し得る。更に別の例では、クラウン補強部６２３６内の複合層７６１４は、クラウン補強部６２３６内の隣接する複合層７６１４より少なくとも１０％大きい幅（ＷF 、ＷH 、又はＷT ）を有し得る。更に別の例では、クラウン補強部６２３６内の複合層７６１４は、クラウン補強部６２３６内の隣接する複合層７６１４より少なくとも１５％大きい幅（ＷF 、ＷH 、又はＷT ）を有し得る。更に別の例では、クラウン補強部６２３６内の複合層７６１４は、クラウン補強部６２３６内の隣接する複合層７６１４より少なくとも３０％大きい幅（ＷF 、ＷH 、又はＷT ）を有し得る。上記の例は特定のパーセンテージを説明したが、本明細書に記載の装置、方法、及び製造物は、クラウン補強部６２３６内の複合層７６１４がクラウン補強部６２３６内の隣接する複合層７６１４の１％未満の幅を有し得る。本明細書に記載の装置、方法、及び製造物は、これに限定されない。
【０２４１】
内側構造層７６１５は、樹脂と組み合わされたファブリックの層を含み得る。ファブリックは、カーボンファイバー、グラスファイバー、アラミドファイバー、カーボンナノチューブ、又は他の適切な高性能ファイバー、これらファイバーの組み合わせ、又は材料で構成され得る。幾つかの例では、ファブリックは、カーボンファイバー及びアラミドファイバーからなるハイブリッドファイバーなどの２種類以上のファイバーの混成物であり得る。ファブリックは、織布、編布、縫布、又は一方向性ファブリックとして構成され得る。一例では、内側構造層７６１５は、エポキシ樹脂を含浸させたグラスファイバーファブリックの層を含み得る。本明細書に記載の装置、方法、及び製造物は、これに限定されない。
【０２４２】
外側構造層７６１０は、樹脂と組み合わされたファブリックの層を含み得る。ファブリックは、カーボンファイバー、グラスファイバー、アラミドファイバー、カーボンナノチューブ、又は他の適切な高性能ファイバー、これらファイバーの組み合わせ、又は材料で構成され得る。幾つかの例では、ファブリックは、カーボンファイバー及びアラミドファイバーからなるハイブリッドファイバーなどの２種類以上のファイバーの混成物であり得る。ファブリックは、織布、編布、縫布、又は一方向性ファブリックとして構成され得る。一例では、外側構造層７６１０は、エポキシ樹脂を含浸させたＫＥＶＬＡＲファイバーファブリックの繊維層を含み得る。本明細書に記載の装置、方法、及び製造物は、これに限定されない。
【０２４３】
複数の複合層７６１２は、スタック構成で配置された複合材料の複数の層を含み得る。一例では、複数の複合層７６１２は、プリプレグ一方向性ファブリックの２つ以上の層を含み得る。別の例では、複数の複合層７６１２は、プリプレグ一方向性ファブリックの３つ以上の層を含み得る。更に別の例では、複数の複合層７６１２は、２つの直交軸に沿って引張強度を高めるように４つの層が０／９０／０／９０構成で配置された、プリプレグ一方向性ファブリックの４つ以上の層を含み得る。本明細書に記載の装置、方法、及び製造物は、これに限定されない。
【０２４４】
クラウン部６２３５の外側面７６１１は、アンチグレア（映り込み防止）仕上げされ得る。クラウン部６２３５の外側面７６１１は、ゴルフクラブヘッド６２００をゴルフボールに位置合わせしてゴルフショットを実行するときに、人の目に向かって上方に反射する光の量が低減するように、中光沢性又は低光沢性の外観を有し得る。相対的な光沢値は、クラウン部６２３５の外側面７６１１に一定の強度及び角度で光線を投射し、同じ方向で逆向きに人に向かって上方に反射した光の量を測定することにより決定され得る。測定尺度では、０グロスユニット（ＧＵ）の鏡面反射率は、完全にマット（つや消し）な表面に関連付けられ、１００ＧＵの鏡面反射率は、高度に研磨された黒いガラス材料に関連付けられる。ゴルフクラブヘッド６２００の人によって知覚される注意散漫を低減するように比較的低い鏡面反射率を有するクラウン部６２３５を提供することが望ましく、これによりミスショットを低減し得る。一例では、クラウン部６２３５の外側面７６１１は、５５ＧＵ未満の鏡面反射率を有し得る。別の例では、クラウン部６２３５の外側面７６１１は、４０ＧＵ未満の鏡面反射率を有し得る。更に別の例では、クラウン部６２３５の外側面７６１１は、２５ＧＵ未満の鏡面反射率を有し得る。更に別の例では、クラウン部６２３５の外側面７６１１は、１０ＧＵ未満の鏡面反射率を有し得る。上記の例は特定の鏡面反射率を説明したが、本明細書に記載の装置、方法、及び製造物は、５５ＧＵ以上の鏡面反射率を有するクラウン部６２３５の外側面７６１１を含み得る。本明細書に記載の装置、方法、及び製造物は、これに限定されない。
【０２４５】
幾つかの例では、クラウン部６２３５の外側面は、は、反射防止コーティングを含み得る。一例では、反射防止コーティングは、５５ＧＵ未満の鏡面反射率を有し得る。別の例では、反射防止コーティングは、４０ＧＵ未満の鏡面反射率を有し得る。更に別の例では、反射防止コーティングは、２５ＧＵ未満の鏡面反射率を有し得る。更に別の例では、反射防止コーティングは、１０ＧＵ未満の鏡面反射率を有し得る。本明細書に記載の装置、方法、及び製造物は、これに限定されない。
【０２４６】
製造プロセス中に内側構造層７６１５が隣接する内側複合層７６１４に接着するよう促すために、内側構造層７６１５と隣接する複合層との間に樹脂又はフィルム接着層を挿入する必要性があり得る。製造プロセス中に外側構造層７６１０が隣接する内側複合層７６１４に接着するよう促すために、外側構造層７６１０と隣接する複合層との間に樹脂又はフィルム接着層を挿入する必要性があり得る。樹脂又はフィルム接着剤は、エポキシ、エポキシフォーム（発泡体）、液体樹脂、又はドイツのＣｏｌｌａｎｏ  ＡＧ社から入手できる任意の適切なフィルム接着剤であり得る。一例では、クラウン部６２３５は、内側構造層７６１５と隣接する複合層７６１４との間に第１のフィルム接着層を含み得る。第１のフィルム接着層は、外側構造層７６１０を上側の複数の複合層７９５０内の隣接する複合層７６１４の上面に接着することができる。クラウン部６２３５は、内側構造層７６１５と隣接する複合層７６１４との間に第２のフィルム接着層を含み得る。第２のフィルム接着層は、内側構造層７６１５を下側の複数の複合層７９５５内の隣接する複合層７６１４の底面に接着することができる。本明細書に記載の装置、方法、及び製造物は、これに限定されない。
【０２４７】
図７８は、図７７に示した断面図の一部７８００の拡大図を示す。クラウン部６２３５は、内側層７６１５と外側層７６１０の間に配置された一体型リブ７６２５を含み得る。一体型リブ７６２５は、複合材料７６１２の複数の層を含み得る。一体型リブ７６２５は、複合材料の２つ以上の層を含み得る。一体型リブ７６２５は、カーボンファイバー複合材料の２つ以上の層を含み得る。一体型リブ７６２５は、複合材料の３つ以上の層を含み得る。一体型リブ７６２５は、複合材料の４つ以上の層を含み得る。一体型リブ７６２５は、複合材料の５つ以上の層を含み得る。一体型リブ７６２５は、複合材料の６つ以上の層を含み得る。一体型リブ７６２５は、複合材料の７つ以上の層を含み得る。一体型リブ７６２５は、複合材料の８つ以上の層を含み得る。一体型リブ７６２５は、複合材料の９つ以上の層を含み得る。本明細書に記載の装置、方法、及び製造物は、これに限定されない。
【０２４８】
一体型リブは、トウ側一体型リブ７６２５であり得る。トウ側一体型リブ７６２５は、クラウン部６２３５のフロント側外周７６３２からクラウン部６２３５のリア側外周７１５１まで延在し得る。トウ側一体型リブ７６２５は、複合材料７６１４の複数の層を含み得る。トウ側一体型リブ７６２５は、クラウン部６２３５の内側層７６１５と外側層７６１０の間に配置された複合材料の２つ以上の層を含み得る。トウ側一体型リブ７６２５は、フォワード部６２３１から後方に延在し得る。トウ側一体型リブ７６２５は、中央平面７６０４とトウ側ゴルフボール平面７６０２の間の開始位置から後方に延在し、トウ側平面７６０５とトウ側ゴルフボール平面７６０２の間の終了位置で終端し得る。一例では、トウ側一体型リブ７６２５は、２ｍｍ以上の最大厚さを有し得る。別の例では、トウ側一体型リブ７６２５は、２．１ｍｍ以上の最大厚さを有し得る。更に別の例では、トウ側一体型リブ７６２５は、２．４ｍｍ以上の最大厚さを有し得る。上記の例は特定の厚さを説明したが、本明細書に記載の装置、方法、及び製造物は、２ｍｍ未満の最大厚さを有するトウ側一体型リブ７６２５を含み得る。本明細書に記載の装置、方法、及び製造物は、これに限定されない。
【０２４９】
クラウン部６２３５は、ヒール側一体型リブ７６３０を含み得る。ヒール側一体型リブ７６３０は、クラウン部６２３５のフロント側外周７６３２からクラウン部６２３５のリア側外周７１５１まで延在し得る。ヒール側一体型リブ７６３０は、複合材料７６１４の複数の層を含み得る。ヒール側一体型リブ７６３０は、クラウン部の内側層７６１５と外側層７６１０の間に配置された複合材料の２つ以上の層を含み得る。ヒール側一体型リブ７６３０は、フォワード部６２３１から後方に延在し得る。ヒール側一体型リブ７６３０は、中央平面７６０４とヒール側ゴルフボール平面７６０３の間の開始位置から後方に延在し、ヒール側平面７６０６とヒール側ゴルフボール平面７６０３の間の終了位置で終端し得る。一例では、ヒール側一体型リブ７６３０は、２．０ｍｍ以上の最大厚さを有し得る。別の例では、ヒール側一体型リブ７６３０は、２．１ｍｍ以上の最大厚さを有し得る。更に別の例では、ヒール側一体型リブ７６３０は、２．４ｍｍ以上の最大厚さを有し得る。上記の例は特定の厚さを説明したが、本明細書に記載の装置、方法、及び製造物は、２ｍｍ未満の最大厚さを有するヒール側一体型リブ７６３０を含み得る。本明細書に記載の装置、方法、及び製造物は、これに限定されない。
【０２５０】
クラウン部６２３５は、中央一体型リブ７６３５を含み得る。中央一体型リブ７６３５は、クラウン部６２３５のフロント側外周７６３２に沿って延在し得る。中央一体型リブ７６３５は、トウ側一体型リブ７６２５からヒール側一体型リブ７６３０まで延在し得る。ヒール側一体型リブ７６３０は、トウ側一体型リブ７６２５の最前端からヒール側一体型リブ７６３０の最前端まで延在し得る。中央一体型リブ７６３５は、クラウン部６２３５のフロント側外周７６３２とトップ部６２３０のフォワード部６２３１の間に形成された接合部６２３２の横に少なくとも３センチメートルの距離で延在し得る。中央一体型リブ７６３５は、複合材料７６１４の複数の層を含み得る。中央一体型リブ７６３５は、クラウン部６２３５の内側層７６１５と外側層７６１０の間に配置された複合材料の２つ以上の層を含み得る。中央一体型リブ７６３５は、トウ側ゴルフボール平面７６０２とヒール側ゴルフボール平面７６０３の間に配置され得る。一例では、中央一体型リブ７６３５は、２．０ｍｍ以上の最大厚さを有し得る。別の例では、中央一体型リブ７６３５は、２．１ｍｍ以上の最大厚さを有し得る。更に別の例では、中央一体型リブ７６３５は、２．４ｍｍ以上の最大厚さを有し得る。上記の例は特定の厚さを説明したが、本明細書に記載の装置、方法、及び製造物は、２ｍｍ未満の最大厚さを有する中央一体型リブ７６３５を含み得る。本明細書に記載の装置、方法、及び製造物は、これに限定されない。
【０２５１】
一体型リブ（例えば、概ね７６２５、７６３０、７６３５として示される）は、クラウン部６２３５の曲げ強度を高めることができる。一体型リブ７６２５、７６３０、７６３５は、クラウン部６２３５の圧縮強度を高めることができる。一体型リブ７６２５、７６３０、７６３５は、ゴルフボールとの衝突時にボディ部６２１０からクラウン部６２３５に伝達される衝撃力に応じてクラウン部６２３５が外側へ歪むこと（例えば、膨らみ）を低減することができる。同様に、一体型リブ７６２５、７６３０、７６３５は、クラウン部６２３５の外側面に加えられた下向きの力に応じてクラウン部６２３５がゴルフクラブヘッド６２００の内部キャビティの内側に歪むことを低減することができる。内向きの歪みはテスト環境で繰り返し測定することが外向きの歪みよりも簡単な場合があり、内向きの歪みは外向きの歪みと相関する場合がある。内向きの歪みは、クラウン部の外側面に下向きの力を加え、適切な測定器で物理的な歪みを測定することにより測定され得る。一例では、２００重量ポンド（ｌｂｆ）の下向きの力が中央クラウン部６４３１に加えられたとき、中央クラウン部６４３１は、０．０２５インチ未満の歪みが生じ得る。別の例では、２００  ｌｂｆの下向きの力が中央クラウン部６４３１に加えられたとき、中央クラウン部６４３１は、０．０１５インチ未満の歪みが生じ得る。別の例では、２００  ｌｂｆの下向きの力が中央クラウン部６４３１に加えられたとき、中央クラウン部６４３１は、０．０１２インチ未満の歪みが生じ得る。本明細書に記載の装置、方法、及び製造物は、これに限定されない。
【０２５２】
一体型リブ（例えば、概ね７６２５、７６３０、７６３５として示される）により、クラウン部６２３５は、一体型リブを有しない同様のクラウン部（例えば、その１つが図４８に概ね４８３５として示される）より歪みに抵抗することができる。一例では、それぞれのクラウン部に２００  ｌｂｆの下向きの力を加えたことに応じて、一体型リブを有するクラウン部６２３５は内側に約０．０１２インチ歪み得る一方で、一体型リブを有しないクラウン部４８３５は約０．０２０インチ歪み得る。別の例では、それぞれのクラウン部に２００  ｌｂｆの下向きの力を加えたことに応じて、フェアウェイウッド系ゴルフクラブヘッド８８００の一体型リブ（例えば、８８１５、８８１６、８８１７）を有するクラウン部８８３５は、内側に約０．００７インチ歪み得る一方で、同様のゴルフクラブヘッドの一体型リブを有しないクラウン部４８３５は、約０．０１３インチ歪み得る。更に別の例では、それぞれのクラウン部に２００  ｌｂｆの下向きの力を加えたことに応じて、ハイブリッド系ゴルフクラブヘッド８００の一体型リブ（例えば、８０１５、８０１６、８０１７）を有するクラウン部８０３５は、内側に約０．００５インチ歪み得る一方で、同様のゴルフクラブヘッドの一体型リブを有しないクラウン部は、約０．００９インチ歪み得る。本明細書に記載の装置、方法、及び製造物は、これに限定されない。
【０２５３】
図７９の例では、クラウン部６２３５は、中央一体型リブ７６２５と、トウ側一体型リブ７６２５と、ヒール側一体型リブ７６３０とを含み得る。トウ側一体型リブ７６２５とヒール側一体型リブ７６３０は、クラウン部６２３５に沿ってフロント−リア方向に広がり得る。別の例では、図１００に示すように、トウ側一体型リブ１００２５とヒール側一体型リブ１００３０は、クラウン部１００３０に沿ってフロント−リア方向に広がり得る。更に別の例では、図１０１に示すように、トウ側一体型リブ１０１２５とヒール側一体型リブ１０１３０は、クラウン部１０１３５に沿ってフロント−リア方向に狭まってから広がり得る。更に別の例では、図１０２に示すように、トウ側一体型リブ１０２２５とヒール側一体型リブ１０２３０は、クラウン部１０２３５に沿ってフロント−リア方向に広がってから狭まり得る。別の例では、トウ側一体型リブとヒール側一体型リブは、クラウン部に沿ってフロント−リア方向に実質的に平行であり得る。本明細書に記載の装置、方法、及び製造物は、これに限定されない。
【０２５４】
図１００は、輪郭付けクラウン部を生成する製造プロセスの実行前の例示的なクラウン部１００３５の各層１００１４の分解図を示す。一例では、クラウン部１００３５は、図６２のゴルフクラブヘッド６２００のクラウン部６２３５を置き換え得る。クラウン部１００３５は、上側の複数の複合層１００５０と、下側の複数の複合層１００５５と、上側の複数の複合層と下側の複数の複合層の間に配置されたクラウン補強部１００３６とを含み得る。クラウン補強部１００３６の存在は、軽量の薄肉部をクラウン補強部１００３６に隣接して利用することを可能にし、これらは共に、均一な厚さを有するクラウン部（例えば、その１つが図４８に概ね４８３５として示される）より軽量及び／又は強固なクラウン部１００３５を提供し得る。薄肉部７１３５は、クラウン補強部１００３６を含まないクラウン部１００３５内の任意の領域であり得る。クラウン補強部１００３６は、トウ側一体型リブ１００２５と、ヒール側一体型リブ１００３０とを含み得る。トウ側一体型リブ１００２５は、内側層１００１０と外側層１００１５の間に配置され得る。トウ側一体型リブ１００２５は、上側の複数の複合層１００５０と下側の複数の複合層１００５５の間に配置され得る。トウ側一体型リブ１００２５は、複合材料１００１４の１つ以上の層を含み得る。トウ側一体型リブ１００２５は、複合材料１００１４の２つ以上の層を含み得る。トウ側一体型リブ１００２５は、クラウン部１００３５のフロント部からクラウン部１００３５のリア部まで延在し得る。トウ側一体型リブ１００２５は、クラウン部１００３５のフロント側外周１００３２又はその近傍の位置からクラウン部１００３５のリア側外周１００５１又はその近傍の位置まで延在し得る。トウ側一体型リブ１００２５は、クラウン部１００３５のフロント側外周１００３２又はその近傍の位置からクラウン部１００３５のトウ側外周１００３３に向かって延在し得る。ヒール側一体型リブ１００３０は、内側層１００１０と外側層１００１５の間に配置され得る。ヒール側一体型リブ１００３０は、上側の複数の複合層１００５０と下側の複数の複合層１００５５の間に配置され得る。ヒール側一体型リブ１００３０は、複合材料１００１４の１つ以上の層を含み得る。ヒール側一体型リブ１００３０は、複合材料１００１４の２つ以上の層を含み得る。ヒール側一体型リブ１００３０は、クラウン部１００３５のフロント部からクラウン部１００３５のリア部まで延在し得る。ヒール側一体型リブ１００３０は、クラウン部１００３５のフロント側外周１００３２又はその近傍の位置からクラウン部１００３５のリア側外周１００５１又はその近傍の位置まで延在し得る。ヒール側一体型リブ１００３０は、クラウン部１００３５のフロント側外周１００３２又はその近傍の位置からクラウン部１００３５のヒール側外周１００３１に向かって延在し得る。トウ側一体型リブ１００２５とヒール側一体型リブ１００３６は、クラウン部１００３５においてフロント−リア方向に広がり得る。上側の複数の複合層１００５０は、本明細書に記載の上側の複数の複合層７９５０と同様であり得る。下側の複数の複合層１００５５は、本明細書に記載の下側の複数の複合層７９５５と同様であり得る。外側層１００１０は、本明細書に記載の外側層７９１０と同様であり得る。内側層１００１５は、本明細書に記載の外側層７９１５と同様であり得る。クラウン部１００３５は、本明細書に記載の任意のゴルフクラブヘッドに組み込まれ得る。本明細書に記載の装置、方法、及び製造物は、これに限定されない。
【０２５５】
クラウン部１００３５の製造中、図１００に示すような複数の複合層１００１４は、輪郭付け型枠に配置され得る。輪郭付け複合クラウン部１００３５を形成するために、隣接する層同士の結合が促進されるように圧力が層１００１４に加えられ得る。クラウン部１００３５を形成するために、隣接する層同士の結合が促進されるように熱が層１００１４に加えられ得る。複合層１００１４を型枠の輪郭付け面に対して押し付けると、隆起状中央クラウン部と、隆起状中央クラウン部に隣接する輪郭付け遷移領域が生成され得る。隆起状中央クラウン部に隣接する滑らかな遷移領域を確保するために、クラウン補強領域１００３６を形成する複合層のスタック内の後続の各複合層は（例えば、スタック内の降順で）徐々に幅広になり、製造されたクラウン部１００３５に滑らかな遷移領域を付与することができる。図１００に示す例では、トウ側一体型リブ１００２５の各複合層は、トウ側幅（ＷT ）を有し得る。ヒール側一体型リブ１００３０の各複合層は、ヒール側幅（ＷH ）を有し得る。一例では、一体型リブ１００２５又は１００３０内の複合層１００１４は、一体型リブ１００２５又は１００３０内の隣接する複合層１００１４より少なくとも１％大きい幅（例えば、ＷH 又はＷT ）を有し得る。別の例では、一体型リブ１００２５又は１００３０内の複合層１００１４は、一体型リブ１００２５又は１００３０内の隣接する複合層１００１４より少なくとも５％大きい幅（例えば、ＷH 又はＷT ）を有し得る。更に別の例では、一体型リブ１００２５又は１００３０内の複合層１００１４は、一体型リブ１００２５又は１００３０内の隣接する複合層１００１４より少なくとも１０％大きい幅（例えば、ＷH 又はＷT ）を有し得る。更に別の例では、一体型リブ１００２５又は１００３０内の複合層１００１４は、一体型リブ１００２５又は１００３０内の隣接する複合層１００１４より少なくとも１５％大きい幅（例えば、ＷH 又はＷT ）を有し得る。更に別の例では、一体型リブ１００２５又は１００３０内の複合層１００１４は、一体型リブ１００２５又は１００３０内の隣接する複合層１００１４より少なくとも３０％大きい幅（例えば、ＷH 又はＷT ）を有し得る。本明細書に記載の装置、方法、及び製造物は、これに限定されない。
【０２５６】
図１０１は、輪郭付けクラウン部を生成する製造プロセスの実行前の例示的なクラウン部１０１３５の各層の分解図を示す。一例では、クラウン部１０１３５は、図６２のゴルフクラブヘッド６２００のクラウン部６２３５を置き換え得る。クラウン部１０１３５は、上側の複数の複合層１０１５０と、下側の複数の複合層１０１５５と、上側の複数の複合層と下側の複数の複合層の間に配置されたクラウン補強部１０１３６とを含み得る。クラウン補強部１０１３６の存在は、軽量の薄肉部をクラウン補強部１０１３６に隣接して利用することを可能にし、これらは共に、均一な厚さを有するクラウン部（例えば、その１つが図４８に概ね４８３５として示される）より軽量及び／又は強固なクラウン部１０１３５を提供し得る。薄肉部は、クラウン補強部１０１３６を含まないクラウン部１０１３５内の任意の領域であり得る。クラウン補強部１０１３６は、トウ側一体型リブ１０１２５と、ヒール側一体型リブ１０１３０とを含み得る。トウ側一体型リブ１０１２５は、内側層１０１１０と外側層１０１１５の間に配置され得る。トウ側一体型リブ１０１２５は、上側の複数の複合層１０１５０と下側の複数の複合層１０１５５の間に配置され得る。トウ側一体型リブ１０１２５は、複合材料１０１１４の１つ以上の層を含み得る。トウ側一体型リブ１０１２５は、複合材料１０１１４の２つ以上の層を含み得る。トウ側一体型リブ１０１２５は、クラウン部１０１３５のフロント部からクラウン部１０１３５のリア部まで延在し得る。トウ側一体型リブ１０１２５は、クラウン部１０１３５のフロント側外周１０１３２又はその近傍の位置からクラウン部１０１３５のリア側外周１０１５１又はその近傍の位置まで延在し得る。トウ側一体型リブ１０１２５は、クラウン部１０１３５のフロント側外周１０１３２又はその近傍の位置からクラウン部１０１３５のトウ側外周１０１３３に向かって延在し得る。ヒール側一体型リブ１０１３０は、内側層１０１１０と外側層１０１１５の間に配置され得る。ヒール側一体型リブ１０１３０は、上側の複数の複合層１０１５０と下側の複数の複合層１０１５５の間に配置され得る。ヒール側一体型リブ１０１３０は、複合材料１０１１４の１つ以上の層を含み得る。ヒール側一体型リブ１０１３０は、複合材料１０１１４の２つ以上の層を含み得る。ヒール側一体型リブ１０１３０は、クラウン部１０１３５のフロント部からクラウン部１０１３５のリア部まで延在し得る。ヒール側一体型リブ１０１３０は、クラウン部１０１３５のフロント側外周１０１３２又はその近傍の位置からクラウン部１０１３５のリア側外周１０１５１又はその近傍の位置まで延在し得る。ヒール側一体型リブ１０１３０は、クラウン部１０１３５のフロント側外周１０１３２又はその近傍の位置からクラウン部１０１３５のヒール側外周１０１３１に向かって延在し得る。トウ側一体型リブ１０１２５とヒール側一体型リブ１０１３０は、クラウン部１０１３５においてフロント−リア方向に狭まってから広がり得る。トウ側一体型リブ１０１２５は、狭まるフロント部と、広がるリア部とを有し得る。ヒール側一体型リブ１０１３０は、狭まるフロント部と、広がるリア部とを有し得る。上側の複数の複合層１０１５０は、本明細書に記載の上側の複数の複合層７９５０と同様であり得る。下側の複数の複合層１０１５５は、本明細書に記載の下側の複数の複合層７９５５と同様であり得る。外側層１０１１０は、本明細書に記載の外側層７９１０と同様であり得る。内側層１０１１５は、本明細書に記載の外側層７９１５と同様であり得る。クラウン部１０１３５は、本明細書に記載の任意のゴルフクラブヘッドに組み込まれ得る。本明細書に記載の装置、方法、及び製造物は、これに限定されない。
【０２５７】
クラウン部１０１３５の製造中、図１０１に示すような複数の複合層１０１１４は、輪郭付け型枠に配置され得る。輪郭付け複合クラウン部１０１３５を形成するために、隣接する層同士の結合が促進されるように圧力が層１０１１４に加えられ得る。クラウン部１０１３５を形成するために、隣接する層同士の結合が促進されるように熱が層１０１１４に加えられ得る。複合層１０１１４を型枠の輪郭付け面に対して押し付けると、隆起状中央クラウン部と、隆起状中央クラウン部に隣接する輪郭付け遷移領域が生成され得る。隆起状中央クラウン部に隣接する滑らかな遷移領域を確保するために、クラウン補強領域１０１３６を形成する複合層のスタック内の後続の各複合層は（例えば、スタック内の降順で）徐々に幅広になり、製造されたクラウン部１０１３５に滑らかな遷移領域を付与することができる。図１０１に示す例では、トウ側一体型リブ１０１２５の各複合層は、トウ側幅（ＷT ）を有し得る。ヒール側一体型リブ１０１３０の各複合層は、ヒール側幅（ＷH ）を有し得る。一例では、一体型リブ１０１２５又は１０１３０内の複合層１０１１４は、一体型リブ１０１２５又は１０１３０内の隣接する複合層１００１４より少なくとも１％大きい幅（例えば、ＷH 又はＷT ）を有し得る。別の例では、一体型リブ１０１２５又は１０１３０内の複合層１０１１４は、一体型リブ１０１２５又は１０１３０内の隣接する複合層１０１１４より少なくとも５％大きい幅（例えば、ＷH 又はＷT ）を有し得る。更に別の例では、一体型リブ１０１２５又は１０１３０内の複合層１０１１４は、一体型リブ１０１２５又は１０１３０内の隣接する複合層１０１１４より少なくとも１０％大きい幅（例えば、ＷH 又はＷT ）を有し得る。更に別の例では、一体型リブ１０１２５又は１０１３０内の複合層１０１１４は、一体型リブ１０１２５又は１０１３０内の隣接する複合層１０１１４より少なくとも１５％大きい幅（例えば、ＷH 又はＷT ）を有し得る。更に別の例では、一体型リブ１０１２５又は１０１３０内の複合層１００１４は、一体型リブ１０１２５又は１０１３０内の隣接する複合層１００１４より少なくとも３０％大きい幅（例えば、ＷH 又はＷT ）を有し得る。本明細書に記載の装置、方法、及び製造物は、これに限定されない。
【０２５８】
図１０２は、輪郭付けクラウン部を生成する製造プロセスの実行前の例示的なクラウン部１０２３５の各層の分解図を示す。一例では、クラウン部１０２３５は、図６２のゴルフクラブヘッド６２００のクラウン部６２３５を置き換え得る。クラウン部１０２３５は、上側の複数の複合層１０２５０と、下側の複数の複合層１０２５５と、上側の複数の複合層と下側の複数の複合層の間に配置されたクラウン補強部１０２３６とを含み得る。クラウン補強部１０２３６の存在は、軽量の薄肉部をクラウン補強部１０２３６に隣接して利用することを可能にし、これらは共に、均一な厚さを有するクラウン部（例えば、４８３５）より軽量及び／又は強固なクラウン部１０２３５を提供し得る。薄肉部は、クラウン補強部１０２３６を含まないクラウン部１０２３５内の任意の領域であり得る。クラウン補強部１０２３６は、トウ側一体型リブ１０２２５と、ヒール側一体型リブ１０２３０とを含み得る。トウ側一体型リブ１０２２５は、内側層１０２１０と外側層１０２１５の間に配置され得る。トウ側一体型リブ１０２２５は、上側の複数の複合層１０２５０と下側の複数の複合層１０２５５の間に配置され得る。トウ側一体型リブ１０２２５は、複合材料１０２１４の１つ以上の層を含み得る。トウ側一体型リブ１０２２５は、複合材料１０２１４の２つ以上の層を含み得る。トウ側一体型リブ１０２２５は、クラウン部１０２３５のフロント部からクラウン部のリア部まで延在し得る。トウ側一体型リブ１０２２５は、クラウン部１０２３５のフロント側外周１０２３２又はその近傍の位置からクラウン部１０２３５のリア側外周１０２５１又はその近傍の位置まで延在し得る。トウ側一体型リブ１０２２５は、クラウン部１０２３５のフロント側外周１０２３２又はその近傍の位置からクラウン部１０２３５のトウ側外周１０２３３に向かって延在し得る。ヒール側一体型リブ１０２３０は、内側層１０２１０と外側層１０２１５の間に配置され得る。ヒール側一体型リブ１０２３０は、上側の複数の複合層１０２５０と下側の複数の複合層１０２５５の間に配置され得る。ヒール側一体型リブ１０２３０は、複合材料１０２１４の１つ以上の層を含み得る。ヒール側一体型リブ１０２３０は、複合材料１０２１４の２つ以上の層を含み得る。ヒール側一体型リブ１０２３０は、クラウン部１０２３５のフロント部からクラウン部のリア部まで延在し得る。ヒール側一体型リブ１０２３０は、クラウン部１０２３５のフロント側外周１０２３２又はその近傍の位置からクラウン部１０２３５のリア側外周１０２５１又はその近傍の位置まで延在し得る。ヒール側一体型リブ１０２３０は、クラウン部１０２３５のフロント側外周１０２３２又はその近傍の位置からクラウン部１０２３５のヒール側外周１０２３１に向かって延在し得る。トウ側一体型リブ１０２２５とヒール側一体型リブ１０２３６は、クラウン部１０２３５においてフロント−リア方向に広がってから狭まり得る。トウ側一体型リブ１０２２５は、広がるフロント部と、狭まるリア部とを有し得る。ヒール側一体型リブ１０２３０は、広がるフロント部と、狭まるリア部とを有し得る。上側の複数の複合層１０２５０は、本明細書に記載の上側の複数の複合層７９５０と同様であり得る。下側の複数の複合層１０２５５は、本明細書に記載の下側の複数の複合層７９５５と同様であり得る。外側層１０２１０は、本明細書に記載の外側層７９１０と同様であり得る。内側層１０２１５は、本明細書に記載の外側層７９１５と同様であり得る。クラウン部１０２３５は、本明細書に記載の任意のゴルフクラブヘッドに組み込まれ得る。本明細書に記載の装置、方法、及び製造物は、これに限定されない。
【０２５９】
クラウン部１０２３５の製造中、図１０２に示すような複数の複合層１０２１４は、輪郭付け型枠に配置され得る。輪郭付け複合クラウン部１０２３５を形成するために、隣接する層同士の結合が促進されるように圧力が層１０２１４に加えられ得る。クラウン部１０１３５を形成するために、隣接する層同士の結合が促進されるように熱が層１０２１４に加えられ得る。複合層１０２１４を型枠の輪郭付け面に対して押し付けると、隆起状中央クラウン部と、隆起状中央クラウン部に隣接する輪郭付け遷移領域が生成され得る。隆起状中央クラウン部に隣接する滑らかな遷移領域を確保するために、クラウン補強領域１０２３６を形成する複合層のスタック内の後続の各複合層は（例えば、スタック内の降順で）徐々に幅広になり、製造されたクラウン部１０２３５に滑らかな遷移領域を付与することができる。図１０２に示す例では、トウ側一体型リブ１０２２５の各複合層は、トウ側幅（ＷT ）を有し得る。ヒール側一体型リブ１０２３０の各複合層は、ヒール側幅（ＷH ）を有し得る。一例では、一体型リブ（例えば、１０２２５、１０２３０）内の複合層１０２１４は、一体型リブ内の隣接する複合層１０２１４より少なくとも１％大きい幅（例えば、ＷH 又はＷT ）を有し得る。別の例では、一体型リブ１０２２５又は１０２３０内の複合層１０２１４は、一体型リブ１０２２５又は１０２３０内の隣接する複合層１０２１４より少なくとも５％大きい幅（例えば、ＷH 又はＷT ）を有し得る。更に別の例では、一体型リブ１０２２５又は１０２３０内の複合層１０２１４は、一体型リブ１０２２５又は１０２３０内の隣接する複合層１０２１４より少なくとも１０％大きい幅（例えば、ＷH 又はＷT ）を有し得る。更に別の例では、一体型リブ１０２２５又は１０２３０内の複合層１０２１４は、一体型リブ１０２２５又は１０２３０内の隣接する複合層７６１４より少なくとも１５％大きい幅（例えば、ＷH 又はＷT ）を有し得る。更に別の例では、一体型リブ１０２２５又は１０２３０内の複合層１０２１４は、一体型リブ１０２２５又は１０２３０内の隣接する複合層１０２１４より少なくとも３０％大きい幅（例えば、ＷH 又はＷT ）を有し得る。本明細書に記載の装置、方法、及び製造物は、これに限定されない。
【０２６０】
図６２〜図７５を再び参照すると、ボディ部６２１０は、突出部６２４１を含み得る。突出部６２４１は、ゴルフクラブヘッド６２００のＣＧを下げるように機能し得る。突出部６２４１は、フェース部からリア部６２８０に向かってＣＧをシフトするように機能し得る。突出部６２４１は、ボディ部６２１０のリア部６２８０の輪郭に沿った弧状の形状を有し得る。突出部６２４１は、スカート部６２９０から延在し得る。突出部６２４１は、ボトム部６２４０から延在し得る。突出部６２４１は、リア部６２８０から延在し得る。突出部６２４１は、ボトム部６２４０及びスカート部６２９０から延在し得る。突出部６２４１は、リア部６２８０及びボトム部６２４０から延在し得る。突出部６２４０は、リア部６２８０及びスカート部６２９０から延在し得る。突出部６２４０は、ボトム部６２４０、スカート部６２９０、及びリア部６２８０から延在し得る。本明細書に記載の装置、方法、及び製造物は、これに限定されない。
【０２６１】
突出部６２４１は、図６９に示すように、クラウン部６２３５のリア外周７１５１を超えた距離６８４６で延在し得る。一例では、突出部６２４１は、クラウン部６２３５のリア側外周７１５１を少なくとも２ｍｍ超えて後方に延在し得る。別の例では、突出部６２４１は、クラウン部６２３５のリア側外周７１５１を少なくとも３ｍｍ超えて後方に延在し得る。更に別の例では、突出部６２４１は、クラウン部６２３５のリア側外周７１５１を少なくとも５ｍｍ超えて後方に延在し得る。突出部６２４１は、ゴルフクラブヘッド６２００の後方２分の１に配置され得る。ゴルフクラブヘッド６２００の中立軸６８０６は、図６８に示すように、突出部６２４１と交差し得る。突出部６２４１は、ゴルフクラブヘッド６２００の後方３分の１に配置され得る。突出部６２４１は、ゴルフクラブヘッド６２００の水平中央平面６８０５の下側に配置され得る。水平中央平面６８０５は、接地面６８１０に平行で且つ垂直方向にオフセットされ、フェース部６２７５の幾何学的中心６２７６と交差し得る。幾何学的中心６２７６は、フェース部６２７５の中点に対応し得る。本明細書に記載の装置、方法、及び製造物は、これに限定されない。
【０２６２】
突出部６２４１の位置及び質量のために、ゴルフクラブヘッド６２００は、他のゴルフクラブヘッドと比較して比較的低いＣＧを有し得る。ＣＧの高さが低いと、ボールスピンが比較的少なくなる可能性があり、これは一部の人にとって望ましい場合がある。一例では、ＣＧは、ゴルフクラブヘッド６２００の中立軸６８０６に沿って、又はこれに近接して配置され得る。別の例では、ＣＧは、図６８に示すように、中立軸６８０６の下側に配置され得る。ＣＧは、中立軸６８０６の下側で０．２インチの範囲内に配置され得る。ＣＧは、中立軸６８０６の下側の約０．１インチ〜約０．２インチに配置され得る。ＣＧは、中立軸６８０６の少なくとも０．１インチ下側に配置され得る。ＣＧは、中立軸６８０６の少なくとも０．１５インチ下側に配置され得る。
【０２６３】
突出部６２４１は、１つ以上のウェイトポート領域を含んでもよく、各ウェイトポート領域は、１つ以上のウェイトポートを含んでもよい。一例では、突出部６２４１は、ウェイトポート領域６３３０を含み得る。ウェイトポート領域６３３０は、ウェイトポートのセット６３３１（例えば、概ねウェイトポート６３３２、６３３３、６３３４、６３３５、６３３６、６３３７として示される）を含み得る。一例では、ウェイトポート６３３１は、弧６３４５に沿って配置され得る。弧６３４５は、リア部６２８０の輪郭に沿っていてもよい。弧６３４５は、前方垂直面６８１５に関して凹状であり得る。ゴルフクラブヘッド６２００は、ウェイト部のセット６３６１として示される（概ねウェイト部６３６２、６３６３、６３６４、６３６５、６３６６、６３６７として示される）複数のウェイトを含み得る。ウェイトポートのセット６３３１のうちの１つ以上のウェイトポートは、本明細書に記載の任意のゴルフクラブヘッドと同様のウェイト部を受けることができる。一例では、ウェイトポートのセット６３３１のうちの１つ以上のウェイトポートは、ウェイト部を含まなくてもよい。本明細書に記載の装置、方法、及び製造物は、これに限定されない。
【０２６４】
複数のウェイト部の各ウェイト部及び複数のウェイトポートの各ウェイトポートの特性（例えば、密度、形状、体積、サイズ、色、寸法、深さ、直径、構成材料、質量、形成方法など）、及び／又は任意の他の特性は、本明細書に記載の任意のゴルフクラブヘッドの各ウェイト部及びウェイトポートのそれぞれと多くの点で類似し得る。一例では、図６２〜図７５のゴルフクラブヘッドのウェイトポート及びウェイト部は、それぞれ、本明細書に記載のウェイトポート及び／又はウェイト部のいずれよりも大きい寸法（例えば、長さ、幅、直径、深さなど）を有し得る。本明細書に記載の装置、方法、及び製造物は、これに限定されない。
【０２６５】
ウェイト部のセット６３６１（例えば、概ねウェイト部６３６２、６３６３、６３６４、６３６５、６３６６、６３６７として示される）は、類似又は異なる質量を有し得る。各ウェイトポートにおいて類似又は異なる質量を有するウェイト部を使用することによって、ウェイトポート領域６３３０における全体の質量及び／又はウェイトポート領域６３３０における質量分布を調整し、ゴルフクラブヘッド６２００を使用する人のためにゴルフクラブヘッド６２００のスイングウェイト、重心、慣性モーメント、及び／又は全体的な感触を概ね最適化及び／又は調整することができる。一例では、ウェイト部のセット６３６１は、少なくとも８グラムの質量を有し得る。別の例では、ウェイト部のセット６３６１は、まとめて少なくとも１２グラムの質量を有し得る。更に別の例では、ウェイト部のセット６３６１は、まとめて８グラム〜１３グラムの間の質量を有し得る。更に別の例では、ウェイト部のセット６３６１は、まとめて１２グラム〜１６グラムの間の質量を有し得る。更に別の例では、ウェイト部のセット６３６１は、まとめて１５グラム〜１９グラムの間の質量を有し得る。更に別の例では、ウェイト部のセット６３６１は、まとめて１８グラム〜２２グラムの間の質量を有し得る。上記の例は特定の質量を説明したが、本明細書に記載の装置、方法、及び製造物は、８グラム未満の総質量、又は１９グラムを超える総質量を有するウェイト部のセット６３６１を含み得る。更に、突出部６２４１は、ウェイト部のセット６３６１と組み合わせて、少なくとも１５グラムの質量を有し得る。別の例では、突出部６２４１は、ウェイト部のセット６３６１と組み合わせて、少なくとも１８グラムの質量を有し得る。更に別の例では、突出部６２４１は、ウェイト部のセット６３６１と組み合わせて、少なくとも２４グラムの質量を有し得る。上記の例は特定の質量を説明したが、本明細書に記載の装置、方法、及び製造物は、ウェイト部のセット６３６１と組み合わせて、１５グラム未満の総質量を有する突出部６２４１を含み得る。本明細書に記載の装置、方法、及び製造物は、これに限定されない。
【０２６６】
１つ以上のウェイトポート６３３１は、垂直の後方に傾斜した軸を有し得る。図７０に例として示すように、ウェイトポート６３３６は、ある角度７０３８だけ垂直の後方に傾斜した軸７０３６を有し得る。ウェイトポート６３３６の後方傾斜配向は、図５８のゴルフクラブヘッド５６００のように、ウェイト部６３６６を、ウェイトポート６３３６がボトム部６２４０に垂直な場合より低く配置することができる。ウェイトポート６３３６の後方傾斜配向は、ゴルフクラブヘッド６２００のＣＧを低くすることができる。ウェイトポート６３３６の後方傾斜配向は、ゴルフクラブヘッド６２００のＣＧを後方にシフトさせることができる。一例では、角度７０３８は、少なくとも５度であり得る。別の例では、角度７０３８は、少なくとも１０度であり得る。更に別の例では、角度７０３８は、少なくとも１５度であり得る。上記の例は特定の角度を説明したが、本明細書に記載の装置、方法、及び製造物は、５度未満の後方傾斜配向を有するウェイトポート６３３６を含み得る。本明細書に記載の装置、方法、及び製造物は、これに限定されない。
【０２６７】
ボトム部６２４０の外側面６２４２及び／又は内側面６２４４は、本明細書に記載の任意の内側支持部及び外側支持部と同様な１つ以上の内側支持部（不図示）及び／又は１つ以上の外側支持部（不図示）を含み得る。ボトム部６２４０は、１ｍｍ未満の厚さ６２４５を有し得る。ボトム部６２４０は、０．７ｍｍ未満の厚さ６２４５を有し得る。ボトム部６２４０は、０．６ｍｍ未満の厚さ６２４５を有し得る。本明細書に記載の装置、方法、及び製造物は、これに限定されない。
【０２６８】
ゴルフクラブヘッド６２００のボディ部２３１０の内部の特定の領域は、本明細書で充填材料と称され得る弾性ポリマー材料又はエラストマー材料を含み得る。充填材料は、ゴルフクラブヘッド６２００がゴルフボールを打つことに応じて、振動を減衰し、ノイズを減衰し、重心を下げ、及び／又は良好な感触及び音を提供し得る。ゴルフクラブヘッド６２００は、本明細書に記載の充填材料を含み得る１つ以上の内部領域を有し得る。一例では、充填材料は、本明細書に記載するように、１つ以上のウェイトポート（例えば、概ねウェイト部６３３２、６３３３、６３３４、６３３５、６３３６、６３３７として示される）からボディ部６２１０に注入され得る。本明細書に記載の装置、方法、及び製造物は、これに限定されない。
【０２６９】
クラウン部６２３５は、特定の図においてドライバー系ゴルフクラブヘッドと併せて示しているが、これに限定されない。クラウン部６２３５は、例えば図８０〜図８７に示すようなハイブリッド系ゴルフクラブヘッド、及び、例えば図８８〜図９５に示すようなフェアウェイウッド系ゴルフクラブヘッドで使用するためにサイズ変更され得る。本明細書に記載のゴルフクラブヘッドのいずれも、本明細書に記載のクラウン補強部を有するクラウン部を含み得る。本明細書に記載のゴルフクラブヘッドのいずれも、本明細書に記載の１つ以上の一体型リブを有するクラウン部を含み得る。本明細書に記載のゴルフクラブヘッドのいずれも、本明細書に記載のトウ側クラウン部及びヒール側クラウン部を有するクラウン部を含み得る。本明細書に記載のゴルフクラブヘッドのいずれも、本明細書に記載の中央クラウン部、トウ側クラウン部、及びヒール側クラウン部を有するクラウン部を含み得る。本明細書に記載のゴルフクラブヘッドのいずれも、本明細書に記載の１つ以上の輪郭付け遷移領域を有するクラウン部を含み得る。本明細書に記載のゴルフクラブヘッドのいずれも、本明細書に記載の多層クラウン部を含み得る。本明細書に記載のゴルフクラブヘッドのいずれも、本明細書に記載の隆起状クラウン部を含み得る。本明細書に記載のゴルフクラブヘッドのいずれも、本明細書に記載の多層複合構造を有するクラウン部を含み得る。本明細書に記載の装置、方法、及び製造物は、これに限定されない。
【０２７０】
図８０〜図８７及び図９８の例では、ハイブリッド系ゴルフクラブヘッド８０００は、トップ部８０３０と、クラウン部８０３５と、ボトム部８０４０と、トウ部８０５０と、ヒール部８０６０と、フロント部８０７０と、リア部８０８０とを有するボディ部８０１０を含み得る。ボトム部８０４０は、トップ部８０３０とボトム部８０４０との間に、フロント部８０７０を除き、トウ部８０５０からリア部８０８０を回ってヒール部８０６０に至るゴルフクラブヘッド８０００の周縁部を横断して延在する、ゴルフクラブヘッド８０００のサイド部として規定されたスカート部８０９０を含み得る。あるいは、ゴルフクラブヘッド８０００は、スカート部８０９０を含まなくてもよい。フロント部８０７０は、ゴルフボール（不図示）に当たるフェース部８０７５を含み得る。フェース部８０７５は、ボディ部８０１０と一体であってもよく、フロント部８０７０の開口部を封止するようにフロント部８０７０に結合（例えば、溶接）される別個のフェース部であってもよい。ボディ部８０１０はまた、シャフト部を受けるように構成されたホーゼル部８０６５を含み得る。ホーゼル部８０６５は、本明細書に記載の任意のホーゼル部と多くの点で類似し得る。ホーゼル部８０６５は、交換可能なホーゼルスリーブを含み得る。あるいは、ボディ部８０１０は、ホーゼル部８０６５に代えてボアを含み得る。ボディ部８０１０は、本明細書に記載の任意の材料から、部分的に又は完全に作製され得る。更に、ゴルフクラブヘッド８０００は、本明細書に記載の任意のゴルフクラブヘッドのクラブヘッド体積と同様なクラブヘッド体積を有する任意のタイプのゴルフクラブヘッドであり得る。本明細書に記載の装置、方法、及び製造物は、これに限定されない。
【０２７１】
クラウン部８０３５は、中央クラウン部８０３１と、トウ側クラウン部８０３２と、ヒール側クラウン部８０３３とを含み得る。第１の輪郭付け遷移領域８０２１は、中央クラウン部８０３１とトウ側クラウン部８０３２を分離し得る。第２の輪郭付け遷移領域８０２２は、中央クラウン部８０３１とヒール側クラウン部８０３３を分離し得る。クラウン部８０３５は、中央一体型リブ８０１５と、トウ側一体型リブ８０１６と、ヒール側一体型リブ８０１７とを含み得る。中央一体型リブ８０１５は、クラウン部のフロント側外周８０３３の近傍のクラウン部８０３５内に配置され得る。トウ側一体型リブ８０１６は、第１の輪郭付け遷移領域８０２１の近傍のクラウン部８０３５内に配置され得る。ヒール側一体型リブ８０１７は、第２の輪郭付け遷移領域８０２２の近傍のクラウン部８０３５内に配置され得る。トウ側クラウン部８０３２は、クラウン部８０３５のフロント側外周８００３、クラウン部のトウ側外周８００１、及び第１の輪郭付け遷移領域８０２１によって境界付けられ得る。ヒール側クラウン部８０３３は、フロント側外周８００３、クラウン部のヒール側外周８００２、及び第２の輪郭付け遷移領域８０２２によって境界付けられ得る。中央クラウン部８０３１は、第１の輪郭付け遷移領域８０２１と第２の輪郭付け遷移領域８０２２の間に延在し得る。中央クラウン部８０３１は、クラウン部のリア側外周８００４によって境界付けられ得る。一例では、中央クラウン部８０３１は、２平方インチを超える表面積を有し得る。別の例では、中央クラウン部８０３１は、２〜４平方インチの範囲の表面積を有し得る。更に別の例では、中央クラウン部８０３１は、２．２〜３．５平方インチの範囲の表面積を有し得る。更に別の例では、中央クラウン部８０３１は、２．５〜３．２平方インチの範囲の表面積を有し得る。一例では、トウ側クラウン部８０３２は、０．２〜１．５平方インチの範囲の表面積を有し得る。別の例では、トウ側クラウン部８０３２は、０．２〜１．２平方インチの範囲の表面積を有し得る。更に別の例では、トウ側クラウン部８０３２は、０．３〜０．８平方インチの範囲の表面積を有し得る。更に別の例では、トウ側クラウン部８０３２は、０．４〜０．５平方インチの範囲の表面積を有し得る。上記の例は特定の表面積を説明したが、本明細書に記載の装置、方法、及び製造物は、４平方インチを超える表面積を有するトウ側クラウン部８０３２を含み得る。本明細書に記載の装置、方法、及び製造物は、これに限定されない。
【０２７２】
図９８の例では、クラウン部をボディ部８０１０に取り付ける前のハイブリッド系ゴルフクラブヘッド８０００を示している。挿入物９８５０は、ゴルフクラブヘッド８０００の内部領域内に設けられる。挿入物９８５０は、ゴルフボールとの衝突に起因するゴルフクラブヘッド８０００内の振動を減衰させることができ、人によって知覚される音又は感触を改善することができる。ゴルフクラブヘッド８０００は、ゴルフクラブヘッド８０００のボトム部８０４０に配置されたウェイトポートのセット（例えば、８１３２〜８１３９）を含み得る。各ウェイトポートは、ウェイト部（例えば、８１７０）を含み得る。ウェイトポートのセットは、第１セットのウェイトポート８１０１と、第２セットのウェイトポート８１０２と、第３セットのウェイトポート８１０３とを含み得る。第１セットのウェイトポート８１０１は、リア部８０８０よりフロント部８０７０の近くに配置され得る。第２セットのウェイトポート８１０２は、トウ部８０５０よりヒール部８０６０の近くに配置され得る。第３セットのウェイトポート８１０３は、ヒール部８０６０よりトウ部８０５０の近くに配置され得る。第１セットのウェイトポート８１０１は、約３．５グラム以上の質量を有する１つ以上のウェイト部を含み得る。第１セットのウェイトポート８１０１は、約４グラム以上の質量を有する１つ以上のウェイト部を含み得る。第２セットのウェイトポート８１０２は、約０．５グラム以上の質量を有する１つ以上のウェイト部を含み得る。第２セットのウェイトポート８１０２は、約０．７５グラム以上の質量を有する１つ以上のウェイト部を含み得る。第３セットのウェイトポート８１０３は、約０．５グラム以上の質量を有する１つ以上のウェイト部を含み得る。第３セットのウェイトポート８１０３は、約０．７５グラム以上の質量を有する１つ以上のウェイト部を含み得る。図９８に示すように、挿入物９８５０は、第１セットのウェイトポート８１０１からゴルフクラブヘッド８０００のリア部８０８０に向かって延在し得る。挿入物９８５０は、第１セットのウェイトポート８１０１からリア部８０８０まで延在し得る。挿入物９８５０は、第２セットのウェイトポート８１０２と第３セットのウェイトポート８１０３の間に延在し得る。挿入物９８５０は、第１セットのウェイトポート８１０１、第２セットのウェイトポート８１０２、及び第３セットのウェイトポート８１０３まで延在し得る。挿入物９８５０は、挿入物９８５０の厚さを貫通又は部分的に貫通する複数の六角形穴部を含み得る。六角形穴部は、ハニカムパターンと同様なパターンを画定するように挿入物９８５０に配置され得る。本明細書に記載の装置、方法、及び製造物は、これに限定されない。
【０２７３】
図８８〜図９５及び図９９の例では、フェアウェイウッド系ゴルフクラブヘッド８８００は、トップ部８８３０と、クラウン部８８３５と、ボトム部８８４０と、トウ部８８５０と、ヒール部８８６０と、フロント部８８７０と、リア部８８８０とを有するボディ部８８１０を含み得る。ボトム部８８４０は、トップ部８８３０とボトム部８８４０との間に、フロント部８８７０を除き、トウ部８８５０からリア部８８８０を回ってヒール部８８６０に至るゴルフクラブヘッド８８００の周縁部を横断して延在する、ゴルフクラブヘッド８８００のサイド部として規定されたスカート部８８９０を含み得る。あるいは、ゴルフクラブヘッド８８００は、スカート部８８９０を含まなくてもよい。フロント部８８７０は、ゴルフボール（不図示）に当たるフェース部８８７５を含み得る。フェース部８８７５は、ボディ部８８１０と一体であってもよく、フロント部８８７０の開口部を封止するようにフロント部８８７０に結合（例えば、溶接）される別個のフェース部であってもよい。ボディ部８８１０はまた、シャフト部を受けるように構成されたホーゼル部８８６５を含み得る。ホーゼル部８８６５は、本明細書に記載の任意のホーゼル部と多くの点で類似し得る。ホーゼル部８８６５は、交換可能なホーゼルスリーブを含み得る。あるいは、ボディ部８８１０は、ホーゼル部８８６５に代えてボアを含み得る。ボディ部８８１０は、本明細書に記載の任意の材料から、部分的に又は完全に作製され得る。更に、ゴルフクラブヘッド８８００は、本明細書に記載の任意のゴルフクラブヘッドのクラブヘッド体積と同様なクラブヘッド体積を有する任意のタイプのゴルフクラブヘッドであり得る。一例では、ヒール側クラウン部８８３３は、０．５平方インチ未満の表面積を有し得る。別の例では、ヒール側クラウン部８８３３は、０．０５〜０．４平方インチの範囲の表面積を有し得る。更に別の例では、ヒール側クラウン部８８３３は、０．１〜０．３平方インチの範囲の表面積を有し得る。更に別の例では、ヒール側クラウン部８８３３は、０．１〜０．２平方インチの範囲の表面積を有し得る。上記の例は特定の表面積を説明したが、本明細書に記載の装置、方法、及び製造物は、０．４平方インチを超える表面積を有するヒール側クラウン部８８３３を含み得る。本明細書に記載の装置、方法、及び製造物は、これに限定されない。
【０２７４】
クラウン部８８３５は、中央クラウン部８８３１と、トウ側クラウン部８８３２と、ヒール側クラウン部８８３３とを含み得る。第１の輪郭付け遷移領域８８２１は、中央クラウン部８８３１とトウ側クラウン部８８３２を分離し得る。第２の輪郭付け遷移領域８８２２は、中央クラウン部８８３１とヒール側クラウン部８８３３を分離し得る。クラウン部８８３５は、中央一体型リブ８８１５と、トウ側一体型リブ８８１６と、ヒール側一体型リブ８８１７とを含み得る。中央一体型リブ８８１５は、クラウン部のフロント側外周８８３３の近傍のクラウン部８８３５内に配置され得る。トウ側一体型リブ８８１６は、第１の輪郭付け遷移領域８８２１の近傍のクラウン部８８３５内に配置され得る。ヒール側一体型リブ８８１７は、第２の輪郭付け遷移領域８８２２の近傍のクラウン部８８３５内に配置され得る。トウ側クラウン部８８３２は、クラウン部８８３５のフロント側外周８８０３、クラウン部８８３５のトウ側外周８８０１、及び第１の輪郭付け遷移領域８８２１によって境界付けられ得る。ヒール側クラウン部８８３３は、クラウン部８８３５のフロント側外周８８０３、クラウン部のヒール側外周８８０２、及び第２の輪郭付け遷移領域８８２２によって境界付けられ得る。中央クラウン部８８３１は、第１の輪郭付け遷移領域８８２１と第２の輪郭付け遷移領域８８２２の間に延在し得る。中央クラウン部８８３１は、クラウン部８８３５のリア側外周８８０４によって境界付けられ得る。中央クラウン部８８３１は、トウ側クラウン部８８３２及びヒール側クラウン部８８３３に対して隆起し得る。一例では、中央クラウン部８８３１は、３平方インチを超える表面積を有し得る。別の例では、中央クラウン部８８３１は、２．５〜６平方インチの範囲の表面積を有し得る。更に別の例では、中央クラウン部８８３１は、３．０〜４．５平方インチの範囲の表面積を有し得る。更に別の例では、中央クラウン部８８３１は、３．２〜４．２平方インチの範囲の表面積を有し得る。一例では、トウ側クラウン部８８３２は、０．４〜２．３平方インチの範囲の表面積を有し得る。別の例では、トウ側クラウン部８８３２は、０．８〜１．５平方インチの範囲の表面積を有し得る。更に別の例では、トウ側クラウン部８８３２は、１．０〜１．４平方インチの範囲の表面積を有し得る。更に別の例では、トウ側クラウン部８８３２は、１．１〜１．３平方インチの範囲の表面積を有し得る。一例では、ヒール側クラウン部８８３３は、２平方インチ未満の表面積を有し得る。別の例では、ヒール側クラウン部８８３３は、０．２〜１平方インチの範囲の表面積を有し得る。更に別の例では、ヒール側クラウン部８８３３は、０．２〜０．８平方インチの範囲の表面積を有し得る。更に別の例では、ヒール側クラウン部８８３３は、０．３〜０．６平方インチの範囲の表面積を有し得る。上記の例は特定の表面積を説明したが、本明細書に記載の装置、方法、及び製造物は、６平方インチを超える表面積を有するヒール側クラウン部８８３３を含み得る。本明細書に記載の装置、方法、及び製造物は、これに限定されない。
【０２７５】
図９９の例では、クラウン部をボディ部８８１０に取り付ける前のフェアウェイウッド系ゴルフクラブヘッド８８００を示している。挿入物９９５０は、ゴルフクラブヘッド８８００の内部領域内に設けられる。挿入物９９５０は、ゴルフボールとの衝突に起因するゴルフクラブヘッド８８００内の振動を減衰させることができ、人によって知覚される音又は感触を改善することができる。ゴルフクラブヘッド８８００は、ゴルフクラブヘッド８８００のボトム部８８４０に配置されたウェイトポートのセット（例えば、８８３２〜８８３９）を含み得る。各ウェイトポートは、ウェイト部（例えば、８９７０）を含み得る。ウェイトポートのセットは、第１セットのウェイトポート８８０１と、第２セットのウェイトポート８８０２と、第３セットのウェイトポート８８０３とを含み得る。第１セットのウェイトポート８８０１は、リア部８８８０よりフロント部８８７０の近くに配置され得る。第２セットのウェイトポート８８０２は、トウ部８８５０よりヒール部８８６０の近くに配置され得る。第３セットのウェイトポート８８０３は、ヒール部８８６０よりトウ部８８５０の近くに配置され得る。第１セットのウェイトポート８８０１は、約３．５グラム以上の質量を有する１つ以上のウェイト部を含み得る。第１セットのウェイトポート８８０１は、約４グラム以上の質量を有する１つ以上のウェイト部を含み得る。第２セットのウェイトポート８８０２は、約０．５グラム以上の質量を有する１つ以上のウェイト部を含み得る。第２セットのウェイトポート８８０２は、約０．７５グラム以上の質量を有する１つ以上のウェイト部を含み得る。第３セットのウェイトポート８８０３は、約０．５グラム以上の質量を有する１つ以上のウェイト部を含み得る。第３セットのウェイトポート８８０３は、約０．７５グラム以上の質量を有する１つ以上のウェイト部を含み得る。図９９に示すように、例えば、挿入物９９５０は、第１セットのウェイトポート８８０１からゴルフクラブヘッド８８００のリア部８８８０に向かって延在し得る。挿入物９９５０は、第２セットのウェイトポート８８０２と第３セットのウェイトポート８８０３の間に延在し得る。挿入物９９５０は、第１セットのウェイトポート８８０１に隣接するフロント面を有し得る。挿入物９９５０は、第２セットのウェイトポート８８０２に隣接するヒール側面を有し得る。挿入物９９５０は、第３セットのウェイトポート８８０３に隣接するトウ側面を有し得る。挿入物９９５０は、第２セットのウェイトポート８８０２と第３セットのウェイトポート８８０３の間に延在し、ゴルフクラブヘッド８８００のリア部８８８０に関して凹状であるリア側面を有し得る。挿入物９９５０は、第１セットのウェイトポート８８０１、第２セットのウェイトポート８８０２、及び第３セットのウェイトポート８８０３まで延在し得る。挿入物９９５０は、挿入物９８５０の厚さを貫通又は部分的に貫通する複数の六角形穴部を含み得る。六角形穴部は、ハニカムパターンと同様なパターンを画定するように挿入物９９５０に配置され得る。本明細書に記載の装置、方法、及び製造物は、これに限定されない。
【０２７６】
本明細書に記載のゴルフクラブヘッドのいずれも、ゴルフクラブの一部であり得る。ゴルフクラブは、ゴルフクラブヘッドから延びるシャフト（不図示）を含み得る。シャフトは、ゴルフクラブヘッドのホーゼルに取り付けられた第１の端部と、第１の端部の反対側の第２の端部とを有し得る。ゴルフクラブは、シャフトの第２の端部又はその近傍にグリップを含み得る。シャフトは、金属材料、複合材料、又は任意の他の適切な材料、又はそれら材料の組み合わせから形成され得る。グリップは、ゴム材料、ポリマー材料、又は他の適切な材料、又はそれら材料の組み合わせから形成され得る。本明細書に記載の装置、方法、及び製造物は、これに限定されない。
【０２７７】
「ａｎｄ（及び）」及び「ｏｒ（又は）」という用語は、論理積及び論理和の意味の両方を有し得る。「ａ」及び「ａｎ」という用語は、本開示で別段の指示がない限り、１つ又は複数のものとして定義される。「ｃｏｕｐｌｅｄ（結合）」という用語及びその任意の変形は、２つ以上の要素を化学的、機械的、及び／又は他の方法で直接又は間接に接続することを指す。「ｒｅｍｏｖａｂｌｙ  ｃｏｎｎｅｃｔｅｄ（取り外し可能に接続された）」という語句は、「取り外し可能に接続された」２つの要素が、いずれかの要素の有用性を破壊又は損なうことなく互いに分離され得るように定義される。
【０２７８】
「ｓｕｂｓｔａｎｔｉａｌｌｙ（実質的に，略、など）」の用語は、要素の特徴、パラメータ、特性、又は値の説明に使用される場合、要素が提供しようとする特徴、パラメータ、特性、又は値を損なわない偏差又は変動を表し得る。要素の特徴、パラメータ、特性、又は値の偏差又は変動は、例えば、許容誤差、測定誤差、測定精度限界及び他の要因に基づき得る。「ｐｒｏｘｉｍａｔｅ（近接する）」という用語は、「ａｄｊａｃｅｎｔ（隣接する）」、「ｃｌｏｓｅ（近い）」、「ｉｍｍｅｄｉａｔｅ（接近した）」、「ｎｅａｒｂｙ（近隣の）」などの用語と同義であり、これらの用語は、本開示に現れるように交換可能に使用され得る。
【０２７９】
本明細書に記載の装置、方法、及び製造物は、種々の実施形態で実現することができ、これらの実施形態の幾つかの上記説明は、必ずしも全ての可能な実施形態の完全な説明を表すものではない。代わりに、図面の説明、及び図面自体は、少なくとも１つの実施形態を開示し、及び代替の実施形態を開示し得る。
【０２８０】
ゴルフのルールが時々変更され得る（例えば、ＵＳＧＡ（Ｕｎｉｔｅｄ  Ｓｔａｔｅｓ  Ｇｏｌｆ  Ａｓｓｏｃｉａｔｉｏｎ）、Ｒ＆Ａ（Ａｎｃｉｅｎｔ  Ｇｏｌｆ  Ｃｌｕｂ  ｏｆ  Ｓｔ．  Ａｎｄｒｅｗｓ）などのゴルフ標準団体及び／又は運営組織によって、新しい規則が採択され得る又は古い規則が撤廃又は変更され得る）ので、本明細書に記載の装置、方法、及び製造物に関連するゴルフ用品は、任意の特定の時点のゴルフのルールに準拠してもよく、準拠しなくてもよい。従って、本明細書に記載の装置、方法、及び製造物に関連するゴルフ用品は、準拠又は非準拠のゴルフ用品として宣伝され、売り出され、及び／又は販売されてもよい。本明細書に記載の装置、方法、及び製造物は、これに限定されない。
【０２８１】
更に、上記の例はゴルフクラブヘッドについて説明したが、本明細書に記載の装置、方法、及び製造物は、釣り竿、ホッケーのスティック、スキーのポール、テニスのラケットなどの他の適切なタイプのスポーツ用品に適用することができる。
【０２８２】
特定の例示的な装置、方法、及び製造物が本明細書で説明されたが、本開示の適用範囲はこれに限定されない。それどころか、本開示は、文言通り又は均等論の下で、添付の特許請求の範囲内に適正に収まる全ての装置、方法、及び製造物をカバーする。
【図１】
2021515681.tif 000002
【図２】
2021515681.tif 000003
【図３】
2021515681.tif 000004
【図４】
2021515681.tif 000005
【図５】
2021515681.tif 000006
【図６】
2021515681.tif 000007
【図７】
2021515681.tif 000008
【図８】
2021515681.tif 000009
【図９】
2021515681.tif 000010
【図１０】
2021515681.tif 000011
【図１１】
2021515681.tif 000012
【図１２】
2021515681.tif 000013
【図１３】
2021515681.tif 000014
【図１４】
2021515681.tif 000015
【図１５】
2021515681.tif 000016
【図１６】
2021515681.tif 000017
【図１７】
2021515681.tif 000018
【図１８】
2021515681.tif 000019
【図１９】
2021515681.tif 000020
【図２０】
2021515681.tif 000021
【図２１】
2021515681.tif 000022
【図２２】
2021515681.tif 000023
【図２３】
2021515681.tif 000024
【図２４】
2021515681.tif 000025
【図２５】
2021515681.tif 000026
【図２６】
2021515681.tif 000027
【図２７】
2021515681.tif 000028
【図２８】
2021515681.tif 000029
【図２９】
2021515681.tif 000030
【図３０】
2021515681.tif 000031
【図３１】
2021515681.tif 000032
【図３２】
2021515681.tif 000033
【図３３】
2021515681.tif 000034
【図３４】
2021515681.tif 000035
【図３５】
2021515681.tif 000036
【図３６】
2021515681.tif 000037
【図３７】
2021515681.tif 000038
【図３８】
2021515681.tif 000039
【図３９】
2021515681.tif 000040
【図４０】
2021515681.tif 000041
【図４１】
2021515681.tif 000042
【図４２】
2021515681.tif 000043
【図４３】
2021515681.tif 000044
【図４４】
2021515681.tif 000045
【図４５】
2021515681.tif 000046
【図４６】
2021515681.tif 000047
【図４７】
2021515681.tif 000048
【図４８】
2021515681.tif 000049
【図４９】
2021515681.tif 000050
【図５０】
2021515681.tif 000051
【図５１】
2021515681.tif 000052
【図５２】
2021515681.tif 000053
【図５３】
2021515681.tif 000054
【図５４】
2021515681.tif 000055
【図５５】
2021515681.tif 000056
【図５６】
2021515681.tif 000057
【図５７】
2021515681.tif 000058
【図５８】
2021515681.tif 000059
【図５９】
2021515681.tif 000060
【図６０】
2021515681.tif 000061
【図６１】
2021515681.tif 000062
【図６２】
2021515681.tif 000063
【図６３】
2021515681.tif 000064
【図６４】
2021515681.tif 000065
【図６５】
2021515681.tif 000066
【図６６】
2021515681.tif 000067
【図６７】
2021515681.tif 000068
【図６８】
2021515681.tif 000069
【図６９】
2021515681.tif 000070
【図７０】
2021515681.tif 000071
【図７１】
2021515681.tif 000072
【図７２】
2021515681.tif 000073
【図７３】
2021515681.tif 000074
【図７４】
2021515681.tif 000075
【図７５】
2021515681.tif 000076
【図７６】
2021515681.tif 000077
【図７７】
2021515681.tif 000078
【図７８】
2021515681.tif 000079
【図７９】
2021515681.tif 000080
【図８０】
2021515681.tif 000081
【図８１】
2021515681.tif 000082
【図８２】
2021515681.tif 000083
【図８３】
2021515681.tif 000084
【図８４】
2021515681.tif 000085
【図８５】
2021515681.tif 000086
【図８６】
2021515681.tif 000087
【図８７】
2021515681.tif 000088
【図８８】
2021515681.tif 000089
【図８９】
2021515681.tif 000090
【図９０】
2021515681.tif 000091
【図９１】
2021515681.tif 000092
【図９２】
2021515681.tif 000093
【図９３】
2021515681.tif 000094
【図９４】
2021515681.tif 000095
【図９５】
2021515681.tif 000096
【図９６】
2021515681.tif 000097
【図９７】
2021515681.tif 000098
【図９８】
2021515681.tif 000099
【図９９】
2021515681.tif 000100
【図１００】
2021515681.tif 000101
【図１０１】
2021515681.tif 000102
【図１０２】
2021515681.tif 000103
【手続補正書】
【提出日】令和2年12月14日(2020.12.14)
【手続補正１】
【補正対象書類名】特許請求の範囲
【補正対象項目名】全文
【補正方法】変更
【補正の内容】
【特許請求の範囲】
【請求項１】
フロント部と、リア部と、トウ部と、ヒール部と、ボトム部と、開口部を持つトップ部とを有するボディ部と、
前記トップ部に取り付けられて前記開口部をカバーするクラウン部と
を備えたゴルフクラブヘッドであって、
前記クラウン部は、
トウ側クラウン部、ヒール側クラウン部、及び、前記ヒール側クラウン部と前記トウ側クラウン部の間に位置すると共に前記トウ側クラウン部の最大高さより大きく且つ前記ヒール側クラウン部の最大高さより大きい最大高さを有する隆起状中央クラウン部と、
前記トウ側クラウン部と前記隆起状中央クラウン部の間にある第１の輪郭付け遷移領域と、
前記ヒール側クラウン部と前記隆起状中央クラウン部の間にある第２の輪郭付け遷移領域を備え、
前記ヒール側クラウン部は、前記クラウン部の総外側表面積の５％以上の外側表面積を有することを特徴とするゴルフクラブヘッド。
【請求項２】
請求項１に記載のゴルフクラブヘッドにおいて、
前記隆起状中央クラウン部は、前記クラウン部の総外側表面積の４０％以上の外側表面積を有することを特徴とするゴルフクラブヘッド。
【請求項３】
請求項１に記載のゴルフクラブヘッドにおいて、
前記トウ側クラウン部は、前記クラウン部の総外側表面積の１０％以上の外側表面積を有することを特徴とするゴルフクラブヘッド。
【請求項４】
請求項１に記載のゴルフクラブヘッドにおいて、
前記ヒール側クラウン部は、前記クラウン部の総外側表面積の１０％以上の外側表面積を有することを特徴とするゴルフクラブヘッド。
【請求項５】
請求項１に記載のゴルフクラブヘッドにおいて、
前記第１の輪郭付け遷移領域の近傍にある第１の一体型リブを更に備えたことを特徴とするゴルフクラブヘッド。
【請求項６】
請求項１に記載のゴルフクラブヘッドにおいて、
前記第２の輪郭付け遷移領域の近傍にある第２の一体型リブを更に備えたことを特徴とするゴルフクラブヘッド。
【請求項７】
請求項１に記載のゴルフクラブヘッドにおいて、
前記第１の輪郭付け遷移領域に配置された第１の一体型リブを更に備え、
前記第１の一体型リブは複合材料の複数の層を含み、
前記クラウン部は、前記第１の一体型リブの近傍に２．１ミリメートル以上の厚さを有することを特徴とするゴルフクラブヘッド。
【請求項８】
請求項１に記載のゴルフクラブヘッドにおいて、
前記第２の輪郭付け遷移領域に配置された第２の一体型リブを更に備え、
前記第１の一体型リブは複合材料の複数の層を含み、
前記クラウン部は、前記第２の一体型リブの近傍に２．１ミリメートル以上の厚さを有することを特徴とするゴルフクラブヘッド。
【請求項９】
フロント部と、リア部と、トウ部と、ヒール部と、ボトム部と、開口部を持つトップ部と、前記フロント部から前記開口部まで延在するフォワード部とを有するボディ部と、
前記トップ部に取り付けられて前記開口部をカバーするクラウン部と
を備えたゴルフクラブヘッドであって、
前記クラウン部は、
トウ側クラウン部、ヒール側クラウン部、及び、前記ヒール側クラウン部と前記トウ側クラウン部の間に位置する隆起状中央クラウン部と、
前記トウ側クラウン部と前記隆起状中央クラウン部の間に延在し且つこれらを分離する第１の輪郭付け遷移領域であって、前記第１の輪郭付け遷移領域に配置された第１の一体型リブを有する、前記第１の輪郭付け遷移領域と、
前記ヒール側クラウン部と前記隆起状中央クラウン部の間に延在し且つこれらを分離する第２の輪郭付け遷移領域であって、前記第２の輪郭付け遷移領域に配置された第２の一体型リブを有する、前記第２の輪郭付け遷移領域を備えたことを特徴とするゴルフクラブヘッド。
【請求項１０】
請求項９に記載のゴルフクラブヘッドにおいて、
前記隆起状中央クラウン部は、前記トウ側クラウン部の最大高さより大きい最大高さを有することを特徴とするゴルフクラブヘッド。
【請求項１１】
請求項９に記載のゴルフクラブヘッドにおいて、
前記隆起状中央クラウン部は、前記ヒール側クラウン部の最大高さより大きい最大高さを有することを特徴とするゴルフクラブヘッド。
【請求項１２】
請求項９に記載のゴルフクラブヘッドにおいて、
前記第１の一体型リブは、中央一体型リブによって前記第２の一体型リブに接続され、
前記中央一体型リブは、前記クラウン部と前記トップ部の前記フォワード部の間に形成された接合部に沿って少なくとも３センチメートルの距離に延在することを特徴とするゴルフクラブヘッド。
【請求項１３】
請求項９に記載のゴルフクラブヘッドにおいて、
前記クラウン部は、前記フロント部の少なくとも８ｍｍ後方に配置されると共に、前記トップ部の前記フォワード部との接合部を形成することを特徴とするゴルフクラブヘッド。
【請求項１４】
請求項９に記載のゴルフクラブヘッドにおいて、
前記隆起状中央クラウン部は、０．６５ミリメートル未満の最小厚さを有することを特徴とするゴルフクラブヘッド。
【請求項１５】
フロント部と、リア部と、トウ部と、ヒール部と、ボトム部と、開口部を持つトップ部と、前記フロント部から前記開口部まで延在するフォワード部とを有するボディ部と、
前記トップ部に取り付けられて前記開口部をカバーするクラウン部と
を備えたゴルフクラブヘッドであって、
前記クラウン部は、
複合材料の外側層及び複合材料の内側層と、
前記クラウン部のフロント側外周から前記クラウン部のリア側外周に向かって延在するトウ側一体型リブであって、前記複合材料の外側層と前記複合材料の内側層の間に配置された複合材料の複数の層を含む、前記トウ側一体型リブと、
前記クラウン部の前記フロント側外周から前記クラウン部の前記リア側外周に向かって延在するヒール側一体型リブであって、前記複合材料の外側層と前記複合材料の内側層の間に配置された複合材料の複数の層を含む、前記ヒール側一体型リブと、
前記トウ側一体型リブから前記ヒール側一体型リブまで延在する中央一体型リブであって、前記クラウン部の前記フロント側外周と前記トップ部の前記フォワード部の間に形成された接合部に沿って延在する、前記中央一体型リブと、
前記トウ側一体型リブから前記ヒール側一体型リブまで延在すると共に前記中央一体型リブから前記クラウン部の前記リア側外周に向かって延在する隆起状中央クラウン部を備えたことを特徴とするゴルフクラブヘッド。
【請求項１６】
請求項１５に記載のゴルフクラブヘッドにおいて、
前記隆起状中央クラウン部は、前記クラウン部の総外側表面積の４０％以上の外側表面積を有することを特徴とするゴルフクラブヘッド。
【請求項１７】
請求項１５に記載のゴルフクラブヘッドにおいて、
前記クラウン部は更に、前記トウ側一体型リブから前記クラウン部のトウ側外周まで延在するトウ側クラウン部を備え、
前記トウ側クラウン部は、前記クラウン部の総外側表面積の１０％以上の外側表面積を有することを特徴とするゴルフクラブヘッド。
【請求項１８】
請求項１５に記載のゴルフクラブヘッドにおいて、
前記クラウン部は更に、前記ヒール側一体型リブから前記クラウン部のヒール側外周まで延在するヒール側クラウン部を備え、
前記ヒール側クラウン部は、前記クラウン部の総外側表面積の５％以上の外側表面積を有することを特徴とするゴルフクラブヘッド。
【請求項１９】
請求項１５に記載のゴルフクラブヘッドにおいて、
前記クラウン部は更に、前記トウ側一体型リブから前記クラウン部のトウ側外周まで延在するトウ側クラウン部を備え、
前記隆起状中央クラウン部は、前記トウ側クラウン部の最大高さより大きい最大高さを有することを特徴とするゴルフクラブヘッド。
【請求項２０】
請求項１５に記載のゴルフクラブヘッドにおいて、
前記クラウン部は更に、前記ヒール側一体型リブから前記クラウン部のヒール側外周まで延在するヒール側クラウン部を備え、
前記隆起状中央クラウン部は、前記ヒール側クラウン部の最大高さより大きい最大高さを有することを特徴とするゴルフクラブヘッド。
【国際調査報告】
2021515681.tif 000104
2021515681.tif 000105